(57)【要約】１つまたは多数の回路のエネルギを調節する目的で部分的に使用される、種々の既定のエネルギ経路を有するエネルギ調節配列用のコンパクトで一体化された配列。一部のエネルギ調節配列の変形例は、多数のエネルギ調節動作を提供するように動作可能である。【選択図】図１０
2004527108.tif 000002
【特許請求の範囲】
【請求項１】
互いに導電的に結合される複数の重ねられた電極と、
互いに導電的に分離された少なくとも第１の重ねられた電極対と第２の重ねられた電極対を含む均一な形状の複数の電極と
を備え、
前記第１の重ねられた電極対は、前記第２の重ねられた電極対よりも大きく、
少なくとも前記第１の重ねられた電極対の各電極は、他から導電的に分離されるように配置され、
前記複数の重ねられた電極のうち任意の１つの電極は、前記複数の電極の任意の１つの電極よりも大きく、
前記第１及び第２の重ねられた電極対は、互いに横方向に向けられシールドされるようにそれぞれ配置されるエネルギコンディショナ。
【請求項２】
互いに導電的に結合された第１のシールド電極、第２のシールド電極、第３のシールド電極を含む複数のシールド電極と、
互いの方向が相補的で対称的に配置された第１の被シールド電極と第２の被シールド電極を含む、少なくとも１つの被シールド電極の対と
を備え、
前記複数のシールド電極は、奇数のシールド電極からなり、
前記第１の被シールド電極は前記第１のシールド電極の上に配置され、前記第２の被シールド電極は前記第１のシールド電極の下に配置され、前記第２のシールド電極は前記第１の被シールド電極の上に配置され、前記第３のシールド電極は前記第２の被シールド電極の下に配置され、
前記１つの被シールド電極対の各被シールド電極は任意の１つのシールド電極より小さく、
前記複数のシールド電極のうち少なくとも１つのシールド電極は電圧バイアスを受け取るように動作可能であるエネルギコンディショナ。
【請求項３】
互いに導電的に結合された第１のシールド側電極、第２のシールド側電極、第３のシールド側電極を含む複数のシールド側電極と、
互いに逆鏡像での方向で配置された第１の電極と第２の電極を含む、少なくとも１つの電極対と
を備え、
前記複数のシールド側電極は奇数のシールド側電極からなり、
前記第１の電極は第１のシールド側電極の上に配置され、前記第２の電極は前記第１のシールド側電極の下に配置され、前記第２のシールド側電極は前記第１の電極の上に配置され、前記第３のシールド側電極は前記第２の電極の下に配置され、
前記少なくとも１つの電極対のうち各電極は、エネルギコンディショナの任意の１つのシールド側電極より小さく、
前記複数のシールド側電極は、互いに、前記少なくとも１つの電極対を少なくともシールドし、
前記複数のシールド側電極と前記少なくとも１つの電極対は環状の形状であるエネルギコンディショナ。
【請求項４】
前記複数の重ねられた電極と前記複数の電極は、少なくとも特性を有する材料によって互いから離れて配置されることを特徴とする請求項１に記載のエネルギコンディショナ。
【請求項５】
前記少なくとも１つの被シールド電極対は、互いに導電的に分離され、
前記少なくとも１つの被シールド電極対と前記複数のシールド電極は、少なくとも特性を有する材料によって互いからそれぞれ離れて配置される請求項２に記載のエネルギコンディショナ。
【請求項６】
前記１つの電極対は互いに導電的に分離され、
前記少なくとも１つの電極対と前記複数のシールド側電極は、少なくとも特性を有する材料によって互いからそれぞれ離れて配置される請求項３に記載のエネルギコンディショナ。
【請求項７】
さらに、少なくとも２つの外側の重ねられた電極によって特徴づけられる請求項１に記載のエネルギコンディショナ。
【請求項８】
さらに、少なくとも２つの外側のシールド電極によって特徴づけられる請求項２に記載のエネルギコンディショナ。
【請求項９】
さらに、少なくとも２つの外側のシールド側電極によって特徴づけられる請求項３に記載のエネルギコンディショナ。
【請求項１０】
互いに導電的に結合された複数の重ねられたシールド側電極と、
第１の複数のコプラナ被シールド側電極と、
第２の複数のコプラナ被シールド側電極と
を備え、
前記第１の複数のコプラナ被シールド電極と前記第２の複数のコプラナ被シールド電極は互いに導電的に分離されるエネルギコンディショナ。
【請求項１１】
前記第１の複数のコプラナ被シールド側電極と前記第２の複数のコプラナ被シールド側電極は、互いから物理的にシールドされる請求項１０に記載のエネルギコンディショナ。
【請求項１２】
前記エネルギコンディショナが少なくともバイパスキャパシタとして動作可能である請求項１から１１のいずれか一項に記載のエネルギコンディショナ。
【請求項１３】
前記エネルギコンディショナが少なくともフィードスルーキャパシタとして動作可能である請求項１から１１のいずれか一項に記載のエネルギコンディショナ。
【請求項１４】
前記エネルギコンディショナが少なくとも分圧器として動作可能である請求項１から１１のいずれか一項に記載のエネルギコンディショナ。
【請求項１５】
前記エネルギコンディショナが、基板、モータ、回路からなる配列要素のグループから選択された配列要素に少なくとも結合される請求項１から１１のいずれか一項に記載のエネルギコンディショナ。
【請求項１６】
前記エネルギコンディショナが、前記エネルギコンディショナ内から近距離場の電気的フラックス（near field electrical flux）の部分が逃げることを防ぐ請求項１から１１のいずれか一項に記載のエネルギコンディショナ。
【請求項１７】
前記エネルギコンディショナが、維持された静電シールド用に使用されるように動作可能である請求項１から１１のいずれか一項に記載のエネルギコンディショナ。
【請求項１８】
前記エネルギコンディショナが環状の形状である請求項１から１１のいずれか一項に記載のエネルギコンディショナ。
【請求項１９】
前記エネルギコンディショナが環状の形状であり、静電シールドのために動作可能である請求項１から１１のいずれか一項に記載のエネルギコンディショナ。
【請求項２０】
前記エネルギコンディショナが環状の形状であり、
前記エネルギコンディショナがさらに、少なくとも１つの導電開口部を備える請求項１から１１のいずれか一項に記載のエネルギコンディショナ。
【請求項２１】
前記エネルギコンディショナの任意の１つの電極が分離電極である請求項１から１１のいずれか一項に記載のエネルギコンディショナ。
【請求項２２】
前記エネルギコンディショナはエネルギが与えられる請求項１から１１のいずれか一項に記載のエネルギコンディショナ。
【請求項２３】
前記エネルギコンディショナはセンサの一部として動作可能である請求項１から１１のいずれか一項に記載のエネルギコンディショナ。
【請求項２４】
前記エネルギコンディショナが演算増幅器の一部として動作可能である請求項１から１１のいずれか一項に記載のエネルギコンディショナ。
【請求項２５】
前記特性を有する材料が、誘電性を有する材料、バリスタ性を有する材料、フェライト性を有する材料からなるグループから選択される請求項４から６のいずれか一項に記載のエネルギコンディショナ。
【発明の詳細な説明】
【技術分野】
【０００１】
本出願は、２００１年１０月１７日に提出された係属出願第０９／９８２，５５３号の部分継続出願である、２００１年１１月１５日に提出された係属出願第１０／００３，７１１の部分継続出願である、２００１年１１月２９日に提出された係属出願第０９／９９６，３５５号の部分継続出願である。本出願はまた、２０００年１２月１５日に提出された米国仮出願第６０／２５５，８１８号、２００１年４月２日に提出された米国仮出願第６０／２８０，８１９号、２００１年７月２日に提出された米国仮出願第６０／３０２，４２９号、２００１年８月８日に提出された米国仮出願第６０／３１０，９６２号により優先権を主張するものである。
【０００２】
本開示は、シングルセットまたはマルチセットとして実現可能な相補的な（complementary、補完的な）エネルギ経路、結合されたシールドエネルギ経路と組み合わされた別々に分離された電子回路部分の相補的な対を含む、種々のエネルギ調節（conditionings、調節、コンディショニング）配列要素を含んだ、コンパクトで統合されたエネルギの経路配列に関する。これらのエネルギ経路配列のアマルガムは、伝播エネルギの部分をエネルギ調節するだけでなく、同時に、他の方法では、新しい、典型的なエネルギ経路配列と共に動作する回路系に悪影響を与える、内部および／または外部で生成されたエネルギ部分に対して、所望のエネルギ部分に関するコンパクトで統合された分離機能と調節機能を提供することができる。他のエネルギ調節配列の変形例も、シングルセットの回路系に単一の共通基準電圧機能を提供するだけではなく、マルチセット回路系または分離された共通基準電圧機能系を同時に提供しながら、多数のダイナミックエネルギ調節動作を実行することができる。
【背景技術】
【０００３】
今日、世界的にシステムアプリケーション内の電子部品の密度が増大するにつれて、このような配列から生じる望ましくないノイズという副産物が、重要な電子回路の性能も、重要ではない電子回路の性能も制限している。このため、回路部分を望ましくないエネルギまたはノイズの影響から分離するかまたは免疫を与えることにより、望ましくないノイズの影響を避けることが、多くの回路配列と回路設計にとって重要になっている。
【０００４】
差分モードノイズエネルギと共通モードノイズエネルギが生成され、通常は、エネルギ経路、ケーブル、回路基板トラックまたはトレース、高速伝送線および／またはバスライン経路に沿うか、また、これらの周囲で伝播する。多くの場合、これらのタイプのエネルギ伝導体は、問題をさらに悪化させるエネルギ場を放射するアンテナとして作用し、このような高周波数では従来技術の受動素子を使用して伝播するエネルギの部分は、種々の容量性寄生および／または誘導性寄生の形態で、エネルギ寄生の干渉レベルを高める。これらの増加は、部分的には、これらの機能的および／または構造的に限定された関連技術の解決法において必要な動作上の配置制限と、固有の製造アンバランスと、および／またはアプリケーションに持ち込まれた性能上の欠点と、関連する電子回路に結合する望ましくない干渉エネルギを生成する非常に導電的な動作を固有に作成または誘導することの組み合わせによるものであり、このため、ＥＭＩからのシールドが望ましいものとなっている。
【０００５】
この結果、今日の高周波数動作環境では、解決法は、入力線と出力線を同時にフィルタリングすることと、注意深いシステムレイアウト、種々のアース配列および／または技術、広範な分離側静電シールドおよび／または磁気シールドの組み合わせを含むか、または備える。
【０００６】
したがって、簡単な既定のエネルギ経路の配列、および、動作可能な配列要素（component、コンポーネント、構成要素、部品）（離散型および／または非離散型、離散型と非離散型の間の変形例）に組み込むと、必要に応じて、ほとんど任意のシングル回路用途および／またはマルチ回路用途に使用することができ、効果的なおよび／または持続可能なノイズ抑制機能、物理的なシールド機能、既定の配列の電圧印加を伴う静電シールド機能、デカップリング機能、一時抑制機能、キャンセル機能、ノイズエネルギ防止またはノイズエネルギ免疫を提供することのできる、他の既定の要素を使用した、内蔵型（self-contained、自己収容、自蔵式）のエネルギ調節配列が非常に望ましい。
【発明の開示】
【課題を解決するための手段】
【０００７】
本出願は、２００１年１０月１７日に提出された係属出願第０９／９８２，５５３号の部分継続出願である、２００１年１１月１５日に提出された係属出願第１０／００３，７１１の部分継続出願である、２００１年１１月２９日に提出された係属出願第０９／９９６，３５５号の部分継続出願であり、これらの出願の一部は本明細書に組み込まれている。本出願はまた、２０００年１２月１５日に提出された米国仮出願第６０／２５５，８１８号、２００１年４月２日に提出された米国仮出願第６０／２８０，８１９号、２００１年７月２日に提出された米国仮出願第６０／３０２，４２９号、２００１年８月８日に提出された米国仮出願第６０／３１０，９６２号により優先権を主張するものであり、これらの一部も本明細書に組み込まれている。
【０００８】
特に開示されている１つの方法は、機能的および物理的な配列として一体化され、互いに電子的に近接してダイナミックに動作しながら、同時に、共通エネルギ基準ノードＣＲＮを共有することのできる、多数のエネルギ経路または電極のグループ、物理的に近接した位置で配置できる、エネルギ調節配列またはエネルギ調節配列を提供することである。この機能は特に、１つの配列アマルガムまたはエネルギコンディショナ内で他の要素と共にある、少なくとも１つの電極またはエネルギ経路シールド側構造によって促進されると発生する。
【発明を実施するための最良の形態】
【０００９】
次の説明は特に一般的な配列または実施形態の詳細な説明を行うことを試みたものであるが、この配列または実施形態は、遍在して可能な用途のために動作できる配列の適用可能な形態の多くの変形例の１つに過ぎない。この配列の説明は、審査官の貴重な時間を節約するために、エネルギ調節配列の一般的に適用可能な形態のうちいくつかだけを説明することが目的であり、可能な変形例を限定するものとして受け取るべきではない。多くの変形例、修正例、追加例、および改良例の広範な範囲が、特に本明細書に付随する多くの請求項のうち１つまたは複数に定義されたエネルギ調節配列の一般に適用可能な形態の範囲に入る。
【００１０】
全開示の中で使用される「アマルガム（amalgam）」という用語について、ここで出願者らが意味している明確な意味を簡単に定義する。「アマルガム」は「エネルギコンディショナ」という用語と交換可能であり、その意味は、「特に、種々の材料組成の単一の、および／またはグループ化された、導電性、半導電性、非導電性の材料要素の混合と、実現可能なエネルギ調節実施形態に形成または作成されたフ形式であって、相対的にも非相対的にも、単一、および／またはグループ化された大きさの関係、サイズの関係で使用でき、離れている配列もあり、近くに配列される場合もあり、連続的な配列の場合もあり、非連続的な配列の場合もあり、互いに非アライメント、アライメント、相補的な対、重ね合わせ、オフセットの間隔または離れたアライメントのいずれかまたは組み合わせで配置され、その中には、ダイナミックな使用および／または状態で動作可能なように実現可能な、電圧を印加されない（un-energized、エネルギーを与えられない、付勢されない）状態の離散実施形態または非離散実施状態の形状に合成される３次元関係を含む。」「アマルガム」という用語を使用する場合、一般に辞書の最初の定義にあるように、「水銀と他の金属の種々の合金のうち任意の合金」ではない。アマルガムは、本明細書の開示のために、「エネルギ経路と結合側要素に結合された、位置、接続配列を含む種々の典型的なアマルガム（エネルギコンディショナ）および／またはエネルギ調節配列であり、特に特定の方法または一般的な方法で、少なくとも１つの電圧を印加された（energized、エネルギーを与えられた、付勢された、活性化された）回路系が開示された実施形態を使用する助けとなることが可能な方法」という意味をさらに含む。
【００１１】
従って最低限でも、これらの開示された実施形態および特に必ずしも開示されていないが他の可能な配列は、当業者には明らかである他の可能な多くの配列のうち１つに過ぎず、技術的な基礎を明確にして、読者を啓発し明確に迅速に本発明を理解するように導く助けとしてのみ提示されるに過ぎない。すなわち、特に審査官と出願者の仕事には固有な、時間的な制限があるため、技術的な可能性の例のみを提示する。
【００１２】
さらに、本明細書では「ＡＯＣ」という頭文字は、「被シールド側の相補的なエネルギ部分の相互作用のために実行可能な、エネルギ部分の収束（convergence、輻輳、収斂）のために動作可能な既定の領域部分」である。ＡＯＣ８１３は、アマルガムまたはエネルギ調節配列の離散バージョンまたは非離散バージョンのいずれにもある。ＡＯＣ８１３はまた、回路系の伝播するエネルギの部分について説明したように、被シールドエネルギ調節に対するシールドされた影響の、一般に認められた相対的な境界線でもある。典型的なＡＯＣはまた、回路系エネルギ伝播の被シールド部分が、開示された実施形態の要素を使用し、互いに、１つまたは複数の既定の方法または機能で相互作用する（たとえば相対するｈフィールドエネルギの相互キャンセル）ことを可能にする、共に製造された（または共に製造されていない）アマルガム、または共に製造された（または共に製造されていない）エネルギ調節配列の要素の一部の、物理的に並ぶかまたは想像上並んだ境界線を含んでいてもよい。たとえば、組み合わされ、導電的に結合されたシールド側電極（shielding  electrodes’、シールドする電極）の本体の電極部分８１の８０５周辺電極縁の重なったアライメントによって割り当てられた一部または要素で満たされた空間は、ＡＯＣ８１３を定義するために使用できる要素の優れたグループである。
【００１３】
用語集で使用される「エネルギ経路（energy pathways）」という用語を説明するために、多くの用語を使用できることに注意されたい。出願者は本明細書でいくつかの用語を使用して、一般的に「エネルギ経路」と記述できる部分を記述している。エネルギ経路の特定の実施形態または特定の機能について述べるとき、これらの代替の用語の方が適切であるかも知れず、代替の用語には、「導電材部分、電極、伝導体、シールド側エネルギ経路、被シールド側エネルギ経路、導電性経路、被シールド側経路、シールド側経路」が含まれる。このような変形は本発明の請求項の範囲内にあり、本発明は説明された動作および／または図面に描かれた動作の特定の装置または方法によって限定されず、または、指定され説明された特定の材料と機械的な配列要素によっても限定されないことを理解されたい。これらの用語は、動作性を示すためにだけ選択され示されているのであり、機械的に同等な配列を選択しても、本発明の精神から離れるとみなすべきではない。
【００１４】
組み合わされて結合された、典型的な、新しい実施形態の、シールド側電極の本体の電極部分８１は、ほとんど任意の典型的な新しい実施形態の、集合的な相補的な電極の本体の電極部分８０に免疫を与えシールドするだけではなく、この配列は少なくとも部分的にＡＯＣ（８１３）を画定すると考えられる。また、明確にするために、本明細書に使用される「外側（outer）」、「外部（external）」という用語は、一般的に、典型的なＡＯＣの効果的なエネルギ調節範囲または影響、間隔または領域をまでのほとんど任意の場所および／またはこれを超えた場所とみなすことができるが、これに限られるものではない。これは、本明細書で「外側」、「外部」と名づけられる任意のものは典型的な実施形態と別でなければならないことを意味するものではなく、また、開示されているといないとにかかわらず、配列およびＡＯＣ８１３を含む他の要素と隣接して分離することはできないことを意味するものではない。本明細書では一般的に、「外側」、「外部」は全体として、ＡＯＣ８１３とその「親の」相補的な電極のそれぞれの、すべてのまたは大部分の７９’Ｘ’延長部分の位置に適用され、（７９"Ｘ"）の大きな本体の電極部分８０と隣接した関係にもかかわらず、これ自体は典型的な実施形態のＡＯＣ８１３の境界内にある。
【００１５】
本発明のアマルガムおよび／またはエネルギ調節配列はまた、同時にマルチ回路動作に対する動作性を有し、「電気的に相補的な」動作のために動作可能な、種々の電極対および／または相補的な電極対をほとんど完全に含む、導電的に結合されたマルチ電極シールド側配列アーキテクチャを含む、電極配列の離散バージョンと非離散バージョンの両方に関連する（この意味は条件であるか、または状態は、他と比較した場合、相対する電気的な動作が発生するように実施可能または動作可能である）。
【００１６】
アマルガムまたはエネルギコンディショナは、１つの回路または複数の回路に対して、シールドと円滑なエネルギ調節動作の両方を同時に行う、バイパスモード動作および／またはフィードスルー（feedthru、貫通接続）モード動作などの、種々の均一に混合されるかおよび／または異質に混合された伝播エネルギの部分のモードを含むか、および／または、このような特徴を有する。新しい、典型的なアマルガムまたはエネルギコンディショナーは、導電的に「アースされた」複数の第１の電極または複数のシールド電極（shield
electrodes）が供給する共通の基準ノード機能を使用しながら、同時に、新しい、典型的な実施形態の多数の相補的な電極および／または単一の回路部分または多数の回路部分の部分に沿った種々の伝播エネルギの部分について動作可能な、多数のエネルギ調節機能を容易にすることが見出された。
【００１７】
典型的なアマルガムまたはエネルギコンディショナおよび／またはエネルギ調節配列のほとんどの実施形態に関しては、出願者は、特に、特定の実施形態の最終的な構造のために選択し組み立てることのできる広い種類の幅広い可能な材料の組み合わせのオプションを有しながら、同時に、典型的なアマルガムまたはエネルギコンディショナおよび／またはエネルギ調節配列が正常に製造され、一連の回路に組み入れられ、電圧が印加された後、所望の程度のエネルギ調節機能のほとんどを、その典型的なアマルガムまたはエネルギコンディショナおよび／またはエネルギ調節配列の中に維持する製造業者を想定している。
【００１８】
既定の性質を伴う材料８０１は通常、配列の種々の電極を囲むほとんどすべてのポイントに実質的に挿入され、非導電的に結合され、種々のエネルギ経路または電極の間のスペーサまたは離す（spaced-apart、離隔する）機能を提供するだけではない（ローカルが導電部分の間の導電的な結合を促進するために使用される配列の、種々の離れた各電極に通常見出される既定の位置を除く）。
【００１９】
既定の性質を伴う物質および／または材料８０１は、この配列の種々の電極に対してエネルギ絶縁機能を提供し、また、枠組みおよび／または構造的な支持、この配列の種々の被シールド電極（shielded electrodes、シールドされる電極）とシールド電極の間に必要な離れた正しい距離（上記と同じである）を提供する。
【００２０】
これらの材料要素（複数可）８０１のほとんどの部分は、多くの種々の組み合わせを含む、単一電極経路要素、および／またはグループ化された電極経路要素、既定の対の電極経路要素、および／または、電極経路要素のグループのいずれかの中に伸びるかまたはこれらを貫通する電極に対して全般に包み込み隣接する関係の方向で位置づけられる。
【００２１】
また、既定の性質を有する材料８０１の部分および／または、既定の電気的な性質の単一の範囲または単一の性質タイプのみを有する材料８０１の平面（planar、二次元の）プラナ形状の部分は本質的ではないことに注意されたい。他のアマルガムまたはエネルギコンディショナーまたはエネルギ調節配列のバージョンでは、種々のタイプのスペーサ媒体、絶縁体、既定の性質を有する材料８０１、容量性材料および／または誘電性材料、強磁性体、フェライト（ferrite）、材料８０１を含むバリスタ（varistor）材料、また、絶縁体、既定の性質８０１を有する材料、容量性材料、バリスタ、金属酸化物バリスタタイプの材料、強磁性体材料、フェライト材料のほとんど任意の組み合わせを有する個別の材料、化合物、材料の組み合わせ、および／またはこれらのほとんど任意の組み合わせの実施形態を、特にこの実施形態の離れたエネルギ経路に使用でき、特に、出願者らが完全に想定するものである。
【００２２】
特に「材料８０１独立（８０１material independent）」、または「誘電体独立（dielectric  independent）」という用語は、ユーザが、ほとんど任意の可能な材料８０１、または、ある程度の絶縁性質（複数可）を有する媒体を相互交換して使用することを可能にする。材料８０１はここでも特に、エネルギ経路を離すための材料として使用されるか、または、特に開示されていてもいなくてもアマルガムまたはエネルギコンデイショナ内のエネルギ経路を支持するために使用され、既定の性質８０１を有する単純な材料に対して、多数の動作可能なエネルギ調節機能がある程度生成する助けとして使用するように完全に認められ、たとえば、Ｘ７Ｒ材料８０１がユーザに、非Ｘ７Ｒ材料８０１で見出されるような可能な機能を生み出し、任意の他の８０１材料配列でもある程度生成可能である。
【００２３】
たとえば、フェライト性質および／またはほとんど任意の組み合わせのフェライトを有する材料８０１を含むアマルガムまたはエネルギコンディショナおよび／またはエネルギ調節配列は、電極がすでに持つ固有の抵抗特性に追加される誘導特徴を提供する。
【００２４】
通常は既定の性質を有する材料８０１で満足される、少なくとも１種のスペーサ機能の他に、非導電性媒体および／または半導電性媒体、誘電性タイプの材料、既定の電気的性質を伴う媒体８０１および／または既定の性質を伴う媒体は、単に絶縁体および／または非導電性材料部分８０１と呼ぶこともできる。自己支持方電極などの電極材料付着を受け取るために実用的ではない、他のタイプの、材料８０１のプレートおよび／または部分、材料８０１の組み合わせ、および／または、材料８０１のラミネートにより、材料８０１を、空気および／またはほとんど任意の他のスペーサなどの他のスペーザ材料を代わりに使用できる、加工されたおよび／または化学的に「ドーピング」された材料とすることができる。
【００２５】
詳しく言えば、特にたとえば材料８０１などの実施形態の組成の材料は、１つおよび／または複数の、使用可能な加工技術と両立できる材料要素の層を含み、通常は、既定の性質を有するほとんど任意の可能な材料８０１に限定されない。これらの材料は、シリコン、ゲルマニウム、ヒ酸ゲルマニウム、ガリウムヒ素などの半導体材料、および／または、任意のＫ誘電体、高Ｋ誘電体、低Ｋ誘電体などの半絶縁体材料および／または絶縁体材料などであるがこれらに限定されるものではなく、特に、実施形態は通常は、特定の誘電定数Ｋを有する任意の材料に限定されるものではない。
【００２６】
特定の電気抵抗を有する導電性の「半誘電材」８０１"ＳＤ"（図示せず）の形態でも、負の温度係数を含むことに注意されたい。この導電性の「半誘電」材料８０１"ＳＤ"は、出願者が想定するように、新しい、典型的なアマルガムまたはエネルギコンディショナ配列要素を製造する方法と、このアマルガムまたはエネルギコンデイショナ配列の使用に関するので、このような材料と材料プロセスは、２０００年４月２５日に提出され、２００１年１１月に世界で公表された国際特許出願ＷＯ０１／８２３１４に十分に開示されており、この出願は参照により本明細書に組み込まれている。導電性「半誘電」層８０１"ＳＤ"（図示せず）は、生の「半誘電性」フィルムまたは材料から作成され、ユーザに適した種々のシールド側電極および／または被シールド側電極のいずれかと焼結するか、または他の材料８０１と組み合わせて、他のものではなく一種類の電極に行われるプロセスを可能にする。電極リード部分７９’Ｘ’は、通常行われるように、結合側電極部分（複数可）または拡張部分７９８’Ｘ’に導電的に結合することができる。これらの電極リード部分７９’Ｘ’は、それぞれ絶縁されて（対の中で）、より大きなシールド側電極８"ＸＸ"によって他から分離されている、アマルガムまたはエネルギコンディショナ本体の異なる側面の異なる側面部分に見出される相対的な、相補的に対になった関係で配置される。
【００２７】
互いに異なる電気的な性質を有する、複数の８０１などの材料および／または材料の組み合わせのうち１つおよび／または複数は、配列の、シールド電極および／またはシールド側電極経路と、被シールド側電極と被シールド側電極の間に維持することができる。数ミクロンまたはミリメータまたはこれ未満の厚さの特定の実施形態のアーキテクチャとその変形例の小さなバージョンは、多くの代替の電極と、誘電性を伴う材料など既定の性質を伴う材料を、最高で１０００および／または１０００以上の層に具体化することができる。したがって、小さなアマルガム（複数可）またはエネルギ調節サブ回路アセンブリは、強磁性体材および／または強磁性体に似た誘電部分または層形成、誘導性フェライト誘電性誘導体などのナノサイズの電極が使用するスペーサ材８０１を含む要素も同様に使用することができる。これらの材料は、典型的な実施形態で種々の既定の電極経路（複数可）のほとんどの場合で構造的な支持を提供するが、既定の性質を伴うこれらの材料はまた、これらの伝導体が実際に回路網および／または回路のネットワークの一部となると、既定の構造的に支持された種々の既定の電極経路（複数可）に沿って移動する、同時で一定な、中断されずに伝播するエネルギの部分を維持するかおよび／または助けることによって、実施形態全体および電圧を印加された回路を助ける。
【００２８】
電極、および／または、電極および／または電極経路に適した導電材は、銀、銀／パラジウム、銅、ニッケル、プラチナ、金、パラジウムおよび／または、他の金属からなるグループから選択できる。この目的に適したこれらの抵抗材の金属材料の組み合わせは、適切な金属酸化物（たとえば酸化ルテニウムなど）を含み、特定の用途の緊急性に応じて、適切な金属で希釈することができる。他方、他の電極部分は、実質的に非抵抗性の導電材から形成することができる。電極自体はほとんど任意の物質または材料の一部、材料の組み合わせ、フィルム、印刷回路基板材、および、形式的に非導電性および／または半導電性材料部分から電極経路を作成できるほとんど任意のプロセスを使用することができ、導電部分を作成できるほとんど任意の物質および／またはプロセスとしては、出願者はドープ処理ポリシリコン、焼結した多結晶（複数可）、金属、および／またはケイ酸ポリシリコン、ケイ酸ポリシリコンを想定するが、これらに限定されるものではない。
【００２９】
繰り返しになるが、特に典型的な実施形態は、１つまたは複数のエネルギ調節機能の一部が、ほとんど任意の既定の回路結合を使用して電圧を印加して動作可能である限り、任意のタイプの所定の材料部分に限定されない。これはまた、まっすぐな部分または混合した部分の導電性材料、導電抵抗性材、半導電性および／または非導電性要素、および／または、異なる導電材部分の組成を持つ多数の電極経路、導電磁場影響側材料ハイブリッド、および／または導電性ポリマシート、種々の加工された導電性および非導電性ラミネート、まっすぐな導電性沈殿物、種々のタイプの磁気材料シールドと選択的シールディングを使用する多数のシールド側の相対的な電極経路、ドーピングされ（典型的な新しいコンディショナの導電性部分または非導電性部分（複数可）がドーピング加工によって作成される場合）および／または材料と導電性ハンダなどで種々の材料と構造的な要素に導電的に付着されたものを含む、追加の電極構造要素の使用を含み、製造前および／または電圧を印加するために電気系（複数可）に配置する前に通常決定されている、離散および／または非離散の典型的なアマルガムまたはエネルギコンディショナおよび／またはエネルギ調節配列および／または配列を使用したときに、ユーザに、多くの種々のエネルギ調節オプションを提供する。
【００３０】
少なくとも２つのバランスのとれた、別のシステム回路導電エネルギ経路の相対する対の間の、エネルギ調節および／または電圧バランスを維持しようと試みる場合、多くのデリケートなバイパスおよび／またはエネルギ分離動作に必要な高価な、一般には使用されない特殊な誘電材を使用する必要がなくなり、同時に、エネルギ経路配列および／またはエネルギ経路配列回路アセンブリはユーザに、これらの機能を、通常互いに同質的または場合によっては異質的であり、種々の材料の配列（複数可）は特に実施形態の典型的な変形例の中に見出される、単一の、材料的にも電気的にもバランスのとれた配列アーキテクチャで使用するチャンスを与える。
【００３１】
参照により本明細書に組み込まれた、米国特許第６，２１４，４２２号に開示された、ポリマフィルム、プラズマ処理された表面、真空蒸着、プラズマ処理された表面を伴う放射硬化可能アクリル酸ポリマを含む種々のハイブリッドポリマフィルムは、受動素子のためにＰＰおよびＰＥＴなどのフィルムを使用できる他のエネルギ経路配列および／またはエネルギ経路配列回路アセンブリ用途と共に、薄膜の金属化されたホイル受動コンディショナを作成するために、この配列アーキテクチャの中で種々の使用法を見つけることが期待される種々の材料の一部である。エネルギ経路配列および／またはエネルギ経路配列回路アセンブリの典型的な変形例の他の要素は、一般に、互いに並列関係の方向で配置されるが、一部では、典型的なエネルギ経路配列および／またはエネルギ経路配列回路アセンブリ実施形態の変形例の他の要素に対して一般に垂直な関係の方向で配置できる。
【００３２】
エネルギ経路配列および／またはエネルギ経路配列回路アセンブリ全体の典型的な変形例は、必ずしも地球の水平線に対して平行な位置で配置する必要はない。出願者は、シールド側エネルギ経路配列にほとんど完全に含まれる種々の被シールド側エネルギ経路（複数可）の水平の配置だけを想定しているのではなく、これ自体が自体１つおよび／または複数の電気回路の部分および／回路系部分（複数可）を備える、典型的な新しいシールド側エネルギ経路構造内にほとんど完全に含まれる、種々の相対的なエネルギ経路（複数可）と被シールド側エネルギ経路（複数可）の対の垂直な配置も想定している。
【００３３】
エネルギ経路配列および／またはエネルギ経路配列回路アセンブリ配列アーキテクチャの小さなバージョン、および、数ミクロンから数ミリメートルの厚さおよび／またはこれ未満の厚さである変形例は、多くの代替のエネルギ経路配列および、上記のような既定の特徴を有する任意の材料８０１に関して具体化できる。この結果は、種々のシールド側エネルギ経路の間に配置されたエネルギ経路対の全体の大きさと数によって異なる、ナノファラド（ｎＦ）から１ファラド（Ｆ）の範囲のキャパシタンスを伴い、最高１０００ボルト（Ｖ）まで有効なエネルギコンディショナである。上記のようにエネルギ経路部分から分離した別の誘電性の材料は、相補的に配置された相手に対してスタックされ絶縁された関係で交互に配置される。
【００３４】
最終製品は異なってもいくらか関係のある既定の材料を使用した薄膜受動素子の製造は、米国特許第５，０１８，０４８号、第５，０９７，８００号、第６，２１４，４２２号に記述されている。米国特許第５，０１８，０４８号、第５，０９７，８００号、第６，２１４，４２２号に示されていないかまたは具体的に記述されてはいないが、開示または提案された独特なエネルギ経路配列アーキテクチャ（複数可）を使用した薄膜受動素子の製造は、たとえば、合成したときに少なくとも０．５Ｊ／ｃｍ．ｓｕｐ．３および／またはこれ以上のエネルギ密度を有する、開示および／または提案された、独特のエネルギ経路配列アーキテクチャ（複数可）を使用したマルチレイヤの受動配列要素を製造する任意の他の動作可能な方法と共に、本明細書に開示されているといないにかかわらず、独特のエネルギ経路配列アーキテクチャを使用した、結果として製造される任意の静的な実施形態の配列に対して、新規または独特であるとみなすべきではなく、このタイプの動作可能な任意の可能なほとんどの製造方法を使用して行うことができる。
【００３５】
たとえば、使用される１つの可能な製造方法は、各エネルギ経路層が、エネルギ経路有効領域を画定する、蒸着されるかおよび／または真空蒸着され、硬化したかおよび／または放射線で硬化したポリマ誘電部分によって分離されている、少なくとも３つの複数の、交互に配置され真空蒸着された金属エネルギ経路層を可能にする。これらの複数の、交互に配置された金属エネルギ経路層は、それぞれの外側の周辺縁部において、単一層および／またはマルチレイヤのスパッタリングされたハンダ材部分、および／または、導電材でコーティングされた終了エネルギ経路および／または部分によって終了してもよい。少なくとも３つの複数の、交互の金属層とポリマ誘電部分および／または層を含む、マルチレイヤ受動配列要素および／またはエネルギ経路配列は、たとえば、真空内の連続的な１ステッププロセスで基板上に加工することができ、各エネルギ経路は金属蒸発によって形成される。
【００３６】
ポリマ誘電部分および／または層は、たとえば複数のうち１つのモノマ層エネルギ経路をまず蒸着することによって形成され、ついで、モノマ層を放射線によって硬化することは、ポリマ誘電部分および／または層の形成を助ける。ポリマ層上に金属層を形成する行程は何回も反復して、真空蒸着され、放射線で硬化されたポリマ誘電部分および／または層によって分離される、種々の複数の交互に配置された真空蒸着された金属エネルギ経路を形成することができる。
【００３７】
次のステップは、マルチレイヤ受動配列要素および／またはエネルギ経路配列を、第１の方向に沿って複数のマルチレイヤ受動配列要素および／またはエネルギ経路配列ストリップに切断することであり、これによって、単一の受動エネルギ調節ストリップが形成され、この受動エネルギ調節ストリップはついで、第１の方向と直角な第２の方向に沿って、受動エネルギ調節配列要素、エネルギ経路配列ストリップ、および／または受動コンディショナおよび／またはインダクタにそれぞれ切断することができる。
【００３８】
個別の受動エネルギ調節配列要素、エネルギ経路配列ストリップおよび／または受動コンディショナおよび／またはインダクタを複数の部分に切断することによって、金属エネルギ経路および／またはエネルギ経路層は、ポリマ層に組み込まれていないかおよび／またはその中に入っていない、反対の（opposite、逆の、対向する、向かいあった）端に直角な縁に沿ったポリマ層に組み込むおよび／または入れることができ、これによって、直角の縁および／または周辺部に沿った金属エネルギ経路層の間のアーク放電および／および／または漏電を防ぐ助けになる、非導電性部分および／または領域が形成される。
【００３９】
典型的な配列は、従来技術の受動素子では広く一般に指定されているＸ７Ｒなどの共通の特殊ではない誘電体および／または電極導電材部分を使用しても、シールド側エネルギ経路、被シールド側の相補的なエネルギ経路、性質を有する材料８０１が含まれるが、これらに限定されるものではないすべての要素に関して、また、特に典型的なアマルガムまたはエネルギコンディショナまたは電極配列の部分の共通に共有された中央の電極経路の間に見出されるスタティックな容量性バランスに関しても、および、エネルギ調節配列の製造中に工場で発生する容量性バランスレベルまたは磁気バランスレベルに関しても、通常業界で期待される製造誤差を有する。
【００４０】
アマルガムまたはエネルギコンディショナはＡ線からＡ線の結合において電気的に相補的に動作し、同時に、少なくとも（２）Ａ線からＣ線、およびＢ線からＣ線（Ｃ線は導電性部分である）においても電気的に相補的に動作するように設計される。Ｃ線は多くの場合ＧｎＤであり、回路ＧｎＤ電位としての機能を持つ導電部分か、または、結果として回路の部分が相互に共有する電圧基準電位としての機能を持つ導電部分である。従って、Ｃ線の反対のそれぞれの側面に配置される要素による、このタイプのエネルギ回路に関するＡ線の各対とＣ線の各対からの、相補的な容量性バランスおよび／または誤差バランスの特徴、これらの分離の程度（ループ領域または部分）、ミクロンの近さの相対的な配置によって、通常はたとえば内部で＞０〜２５％の容量誤差で製造される電極配列が、特にシステム内に配置されたエネルギ分割シールド側電極構造に関しては、典型的なアマルガムまたはエネルギコンディショナまたは電極配列内の電気的に相対するおよび／または電荷が反対の相補的エネルギ経路対の間に、もともと内部で＞０〜２５％の容量の誤差に維持され関係づけられる容量誤差を持つ、電圧を印加した回路に全般に伝わることを可能にする（これは例であって、原理ではない）。
【００４１】
特定の既定の配列が正常に製造されると、これを種々のエネルギ系または他のサブシステムに形成するか、埋め込むか、包むか、および／または挿入して、種々のタイプのライン調節、分離、エネルギ伝播を所定のエネルギ形態または電気的な形態修正するなどを行うことができ、これは接続スキームによって異なる。
【００４２】
特に特定の既定の配列によって、エネルギ調節配列は、グループ化された隣接したアマルガムまたはエネルギコンディショナおよび／またはエネルギ調節配列要素の間で、内部にある相対する圧力を分圧し、エネルギのバランスをとることができ、特に特定の既定の配列を含む要素全体を通じて、全体としてヒステリシスと圧電効果を最小にすることができる。所有されていない関連技術のエネルギコンディショナ内部の、アンバランスな回路部分配列は通常、幅広いヒステリシス効果、材料メモリ効果、角応力、たとえば異なる温度膨張係数を有するなど種々の材料に応力を与える熱による膨張などが生じる環境の中で動作しており、これらはすべて、効果的な動作効率を低減させエネルギ調節を非効率化する。
【００４３】
対照的に、典型的な新しい実施形態では、伝播するエネルギの部分が、同時に相補的で対称的に到着する、すなわち、伝播するエネルギの部分が、通常は大きなヒステリシス効果を有すると考えられる所与の材料領域（複数可）または部分（複数可）の反対側に、対称的および／またはバランスがとれた方法で到着するように相補的なエネルギの力が種々の材料の上に配置されるので、最小のヒステリシス効果、すなわち、ダイナミックに動作する実施形態および／またはＡＯＣ部分においてゼロ近くまで低減されたヒステリシス効果で動作することができる。
【００４４】
間に挟まれたシールド側エネルギ経路、材料８０１などのその他の要素、たとえば相補的で対称的なエネルギ経路および／または対の間に配置された要素などの部分を介在させることによって、互いに相対的に相補的なエネルギ伝播スキームで動作することができる。従って、ここに記述された新しい実施形態のエネルギ応力対処（stress-handling、圧力への対応、ストレスハンドリング）機能は実質的に効果的であり、所有されない関連技術の単一装置配列要素でこれを再現することは大変に難しい。
【００４５】
特に１つの可能な配列は、典型的な新しい回路配列の実施形態の典型的な新しい分圧、エネルギ経路配列および回路結合スキームを使用したダイナミックな動作になり、典型的な実施形態の種々の材料要素ヒステリシスおよび／または圧電特性または帰属するおよび／またはヒステリシスおよび／または圧電特性は重要な回路エネルギ部分に与える非効率な効果を実質的に最小にし低減して、これらの非効率が、特に典型的なアマルガムまたはエネルギコンディショナおよび／またはエネルギ調節配列のＡＯＣ８１３の中の重要な回路エネルギ部分に影響を与えようになることを防ぐ。このようにして、相補的なエネルギ経路配列を有し、
典型的な新しい回路配列実施形態の既定の回路結合スキームを、相補的で対称的なエネルギ経路配列部分のシールド側エネルギ経路と組み合わせて使用した、典型的な実施形態によって、他の方法と比べた場合、はるかに多くのエネルギを、調節された重要なエネルギ部分またはエネルギを使用するほとんど任意の有効な負荷または負荷配列要素に送達することが可能になる。
【００４６】
たとえば、新しい実施形態から利益を得る他の配列は、エネルギ使用負荷（これはアマルガムおよび／またはエネルギ調節配列回路配列に結合される）が、中断されないおよび／または調和したエネルギ供給で動作し、実行されているエネルギ使用負荷動作に効率的に対処することを可能にするように、即時のエネルギを必要とするように設計された、切り替え時間制限を必要とする種々の内部負荷条件での切り替え応答を受ける、ダイナミックに動作する種々の有効な配列要素である。
【００４７】
エネルギ使用負荷への中断されないおよび／または調和したエネルギ供給は、同じ、配置され共有されたシールド側電極（複数可）および／または共通シールド側電極（複数可）の相対する側面に電気的および／または物理的に配置される、全アマルガムまたはエネルギコンディショナのＡＯＣ８１３の部分内に配置される、実際には、それぞれの回路系の部分とみなされる、等しい大きさで向かい合うように配置される相補的な電極経路対のアマルガムによって促進される。従って、種々の数の共有されたシールド側共通電極（複数可）および／または導電的に結合されたシールド側共通電極のグループの間に、被シールド回路部分を相互配置および／または分散させることによる効果は、実際に、回路系の線の対の間で、種々の回路電圧使用またはエネルギをほとんど半分に分割し、少なくとも１対の相対的な相補的な導電体対（マルチ回路配列ごと）の等しい大きさの各伝導体に、（２）回路からの電圧エネルギの半分をグループ化したものを提供する（回路ごとに）。
【００４８】
ダイナミック動作では、相補的な大きさの等しい被シールド側電極対は、間に挟まれたシールド側の相対的な伝導体または電極経路（相補的な経路ではない）の間で、互いに物理的に向き合うかまたは電荷が反対なので、回路に電圧が印加されると中に分圧関係が生じることが理解されるであろう。特に、典型的なアマルガムまたは電極配列の中相補的な伝導体を備える回路に電圧が印加されると、通常は、アマルガムおよび／またはエネルギ調節配列の内部で、全体として、電気的にバランスされるかおよび／または電荷が反対になるようにバランスされ、また、中央に配置されたシールド側の共通で共有された経路電極（複数可）と回路系の各部材および／または部分との間でも、電気的にバランスされるかおよび／または電荷が反対になるようにバランスされる。
【００４９】
エネルギコンディショナおよび／またはエネルギ調節配列を備えた共通回路系の各部材および／または各部分は通常、共通領域または共通部分および／または共通電極に接続または結合され（導電的に）、特に典型的なエネルギコンディショナおよび／またはエネルギ調節アセンブリの「０」基準回路ノードと呼ばれるものに外側の共通ゼロ電圧を提供し、および／または、エネルギ調節アセンブリに、少なくとも１つの典型的なエネルギコンディショナおよび／またはエネルギ調節配列のＡＯＣ８１３の部分を備える少なくとも多数の各回路の内にある種々の伝播するエネルギの部分とのエネルギ関係を提供する。
【００５０】
上記のように、特に適切に結合されたエネルギコンディショナおよび／またはエネルギ調節配列は、これが離散的であってもおよび／または非離散的であっても全体として、分離、フィルタリング、１対または複数の回路部分対に対して種々の平行配置原理を使用した電圧の間のバランス調節などの、多数の別々のエネルギ調節機能を同時に実行する機能を達成する助けになる。これらの回路部分は、これらは、それぞれのエネルギソース、それぞれのエネルギ経路対、それぞれのエネルギ使用負荷、それぞれの回路を完成させるためにそれぞれのエネルギソースに戻るそれぞれのエネルギ戻り経路に対して相対的な、別々の回路および／または離れた回路を含むか、および／または、別々の回路および／または離れた回路を特徴とする。
【００５１】
従って内部では、典型的なエネルギコンディショナのバランスの取れた回路部分は、他の方法では、幅広いヒステリシス効果、材料メモリ効果、角応力、単一ラインの従来装置の種々の材料の熱応力による膨張を生じさせる、相対的なダイナミクス、またはヌル化ダイナミクスで動作している間に、間に挟まれたシールド側エネルギ経路の使用によってこれらの効果および／または応力を分割するように動作できる。これらの間に挟まれたシールド側エネルギ経路はこれらの力を、互いに対して相対的で相補的な効果および／またはストレスに対称的に分割する。従って、相対するがバランスがとれており対称的に相補的なエネルギ部分および／または力は一般に、ＡＯＣ８１３の内部で互いに相殺されるかまたはヌル化され、相互に相対して伝播するエネルギの部分の状態またはダイナミック動作で動作する典型的なエネルギコンディショナの、典型的なエネルギコンディショナ配列の分圧機能を補う。
【００５２】
シールド側エネルギ経路の組の反対側から、バランスの取れた方法で相補的な内部電極対に沿って作用する伝播エネルギの部分を、相対して電気的に相殺するように相補的に配置することにより、導電的に結合され電気的に互いに共通な既定の位置に配置されて共有された同じシールド側電極によって、「ゼロ」電圧基準機能を同時に生成することができる。
【００５３】
実施形態の部分を配列する材料に関して圧電効果も最小化される。したがって、エネルギ部分はＡＯＣ８１３の内部で迂回されることも非効率的に使用されることもなく、既定の性質を有する標準および／または共通の材料８０１の機能においてエネルギ使用負荷が使用できるエネルギ部分を大幅に増加させることができ、ＡＯＣ８１３と回路に関して設計された機能を、より広く、制限なく、コストを低減するような方法で使用することが可能になる。
【００５４】
特に、典型的なエネルギコンディショナおよび／またはエネルギ調節配列によって、材料８０１の性能は、関連技術の装置を電圧を印加した状態で使用したときに通常観察される性能レベルより改善されたように見える。しかしこの材料８０１の性能の改善は理想的にそうあるべきということに過ぎず、新しいエネルギ経路配列が行うことは、互いに対称的に相補的な伝播するエネルギの部分を相互作用させ、材料８０１が着想され、設計されおよび／使用される理想的な性能エンベロープにより近い、「制御されない」または開かれた状態で動作しているように見せることに過ぎない。
【００５５】
従って、典型的な調節配列が全体としてダイナミックに動作している場合、関連技術の装置が典型的な回路系で材料８０１を使用した時、材料８０１の任意の可能な真の属性に制限を加えていた、物理的な非効率を低減または最小化する。
【００５６】
特に同じ回路の中で正しく結合された典型的なエネルギ調節配列を使用することにより、一般的に、典型的な調節配列またはアマルガムのＡＯＣ８１３内で発生する相補的な伝播エネルギの部分によって、バランスがとれてつりあった対称的なエネルギ部分の相互作用スキームが達成可能になる。
【００５７】
従って、典型的な調節配列またはアマルガムは全体として、材料８０１が所与の回路系に関して機能しているとき、通常は隠された（関連技術によって）性能について設計された材料８０１の理想的な状態に実質的に近い、エネルギ調節機能を生成または生じさせることを可能にする。
【００５８】
特に可能な結果は、一部の場合では、他の方法では関連技術を使用する同等の回路では通常観察されるかまたは見出されるアンバランスなエネルギまたは寄生がないため、典型的な材料８０１の部分について、ヒステリシスの最小化と材料８０１の圧電効果の制御とが同時に観察できる。
【００５９】
典型的な材料８０１のヒステリシスと圧電効果は他の方法では観察されるが、ヒステリシスの最小化と圧電効果の制御は、一般的にＡＯＣ８１３内部で発生する。ヒステリシスと圧電効果の両方を同時に最小化することは、ＳＳＯ状態、電力分離システム、有効な配列要素（複数可）が受動配列要素をより早く使用することなどの用途に関して、エネルギ調節性能レベルを増大したことに等しい機能であり、この効果は、応力（stress、圧力、強勢、ストレス）の低減と、伝播するエネルギが典型的な実施形態の配列を使用できるバランスの取れた方法によって直接生じるものである。
【００６０】
この状況によって、典型的な配列は、エネルギソースからそれぞれのエネルギ使用負荷、および、エネルギ使用負荷からエネルギソースに戻る、接続および／または結合である、エネルギ入力経路およびエネルギ出力経路（エネルギ入力経路とエネルギ出力経路はエネルギ使用負荷とエネルギソースに対して相対的であり、多くの場合、直接フィードスルー配列とは異なり、バイパス配列ではエネルギ使用負荷とエネルギソースに対して並列に配置されるが、これは実施形態にとって必ずしも必要ではない）の両方に沿って、共通エネルギ基準の両方の電気的な側面（第１の複数の電極またはシールド側エネルギ経路）上で同時に見かけ上開いたエネルギの流れとして見えることを可能にする。
【００６１】
フィードスルー電極はまた、回路経路がＡＯＣ８１３のみを介するのではなく、実施形態を通過するのみではなく他の方法ではすべてのエネルギをＡＯＣ８１３を介して運ぶ回路の部分をバイパスする実施形態の、少なくとも使用可能性を提供することに注意されたい。
【００６２】
これは、製造されたエネルギコンディショナおよび／またはエネルギ調節配列要素のほとんどすべてを配列する材料が、回路系全体の一部として配置されたエネルギ使用負荷および／またはエネルギソース経路と共に、より効果的および／または効率的に動作または機能することを可能にする、並列エネルギ分配スキームである。したがって、この実施形態は全体として、統合された相補的なエネルギ調整ネットワークとしても機能する。
【００６３】
典型的なエネルギ調節配列は特に、作成された物理的なエネルギ分割配列である、典型的なエネルギコンディショナの電極配列のアーキテクチャの性質を使用する、既定の結合された回路配列組み合わせの中で、他の既定の要素を伴う電極配列であってもよい。
【００６４】
外部の導電領域または部分（回路の相補的な部分から分離されている場合もあり分離されていない場合もある）に対してシールドする、奇数の複数の電極と、シールド側経路ではないほとんど任意の相補的な電極または相補的なエネルギ経路を、導電的に結合することおよび／または導電的に接続することは、特に、これらの材料を、ハンダ、抵抗フィット、反射ハンダ、導電性接着剤などの導電的な結合で動作できるようにするために使用され、業界標準で通常に認められた材料、および／または、標準の導電的な結合（複数可）を作成するために使用されるプロセスである、種々の業界標準の接着材料／結合材料、および／または、接続方法を含む。
【００６５】
特に外側のエネルギ経路に対する、導電的な結合および／または導電的な接続の技術、および／または、特定の実施形態の方法または回路配列内の特定の実施形態の方法は、ほとんどの場合容易に配列されるかおよび／または簡単に容易に適用され、および／または、ユーザに追加の制約を加えることはほとんどない。電極を、共にまたはグループとして外部の共通領域または部分および／または経路に導電的に結合することにより、ほとんどの場合、典型的なエネルギコンディショナおよび／またはエネルギ調節配列によって最適なエネルギ調節機能が提供され、特に動作可能である。これらのエネルギ調節機能は、受動的な配列要素の特性を提供しながら、相対する伝導体からの誘導の相互の打ち消し、動作可能なエネルギ寄生の相互の最小化を含むが、これらに限定されるものではない。
【００６６】
混合した複数の電極を互いに導電的に結合すると、他のものより他の変数によって、シールド側の一部の機能のために使用できるため、特に典型的なエネルギコンディショナまたは電極配列の中で一般に発生する少なくとも３つのシールド化機能があることに注意されたい。第１の機能は、通常、ほとんどの電磁場に対する古典的な「金属バリア」である、ＲＦＩシールドのような、物理的なシールド機能であり、これは、通常は、ほとんどの人々が実際のシールド機能と考える機能であるが、この金属バリアは使用される３つのシールド機能の全体の性能に全般的に貢献しているように見える。
【００６７】
特に典型的な実施形態で使用される別のシールド機能は、それぞれのシールド側電極の間の、既定の配置、または、相対的な位置関係、および／または、相対的な大きさの関係と、それぞれのシールド側電極と、回路内に含まれる相対する位置に配置された相補的な電極経路対（複数可）との間の、既定の配置、または、相対的な位置関係、および／または、相対的な大きさの関係に区分することができる。
【００６８】
これらの相対する相補的な電極経路対は、それぞれの組成において、それぞれが通常は一般的な製造誤差の範囲内で同じ形状と大きさである、相補的な電極経路対の相手側に対して、逆の鏡像で挟む側の少なくとも２つのシールド側電極の間に挟まれて配置されるので、相補的な電極経路対の導電的な各部分の導電的な部分に対して、シールド側電極の導電的な領域または部分に動作可能に挿入されている。
【００６９】
第２のシールド機能の電気的に相対的で隣接した相補的な電極経路対部分の物理的なシールドは、相補的な電極経路／電極と共通の電極経路の大きさの関係、および、電圧を印加された時に挟まれた相補的な伝導体から発する、静電の抑制および／または寄生の最小化、および、含まれる相補的な経路からは生じず、場合によっては特に寄生結合と呼ばれる、被シールド側相補的な経路への結合を逆に試みることから生じる外部の寄生を防ぐことによって、達成される。
【００７０】
寄生結合は通常、電場（Ｅ）結合と呼ばれ、このシールド機能はあわせて、静電気的な種々の被シールド電極を、電場寄生に対して主にシールドする機能である。寄生結合は、相補的な伝導体経路から発する相互および／または遊離寄生エネルギにより、相互干渉する電波エネルギの通過を含み、通常、新しい、典型的な電極配列によって抑制される。特に典型的なエネルギコンディショナまたは電極配列は、ほとんど逆位相の伝導体を、静電および／またはファラデーシールド効果を提供する導電的なハイアラーキ（hierarchy、階層、序列）連鎖と、配置されたおよび／またはコプラナ（co-planar、共平面の、同一平面上の）（相互に混合する）な層形成の配置および／または既定の層形成を伴う、全体的なシールド側構造内にほとんど完全に包むことによって、寄生結合を防ぐ。
【００７１】
相補的な電極経路に導電的に結合されない外側の共通導電部分への結合はまた、導電的なモータシェル内などの固有の共通の導電部分として一般に記述されるなどの部分を含み、たとえば、導電シャシ、および／または、アースエネルギ経路、および／または、伝導体、回路系エネルギ戻り、シャシエネルギ経路、および／または、伝導体、および／または、ＰＣＢエネルギ経路、および／または、伝導体、および／または、アースに、（導電的に）接続および／または結合する必要はない。内部に配置された共通電極の組を使用することは、相補的な電極経路対に沿って伝播するエネルギの部分として説明でき、これらのエネルギ部分は特に典型的なエネルギコンディショナおよび／またはエネルギ調節アセンブリのＡＯＣ８１３の影響を受け、その結果、複数の相補的な電極経路ではない、少なくとも１つの外側に位置する共通の導電部分に出て、この非相補的なエネルギ経路を、望ましくないＥＭＩノイズおよび／またはエネルギがそれぞれの電圧を印加された各回路に戻ることを排除するかおよび／または抑制するか、ブロックする低インピーダンスのエネルギ経路として使用することを可能にする。
【００７２】
最後に、第３のタイプのシールドがあり、誘導エネルギおよび／または「Ｈ場」および／または簡単に「エネルギ場結合」に対して使用され、通常、別々の相対する電極経路に沿って伝播するエネルギの部分の「Ｈ場」部分および／または単に「エネルギ場」の相互誘導相殺および／または最小化として知られる、物理的シールドおよび／またはダイナミックシールドの組み合わせである、エネルギ伝導体配置の「シールド技術」以上のものである。しかし、物理的にエネルギをシールドし、同時に、相補的な電極経路対を既定の配置で使用することによって、中に含まれる相補的な電極経路対を領域または部分の大きさの中に挿入することが可能になる。これは通常可能な限り大きさが近いように配列されて他のタイプのシールド、および／または相互キャンセルと組み合わせて誘導「Ｈ場」結合に対して強化された静電的効果および／またはケージ状効果と呼ばれる「シールド技術」を生み出し、これはまた、種々の伝播するエネルギの部分を含む内部の配置回路の部分内の「Ｈ場」電流ループの大きさを制御することを意味する。
【００７３】
特に特定の実施形態を使用することによって、特に特定の実施形態内で動作する別々のそれぞれの回路が、同時に、独自の電圧基準として生成された共通の低インピーダンス経路を共同で使用することを可能にするが、各使用回路は、通常、より大きな回路系では他の回路に対して同時にしかし別々に、受動的に動作しているため、独自の相対的なエネルギ基準点内に電位が維持されその中でバランスが調節され、同時に、特に特定の実施形態内に含まれる回路系のうちほとんど任意の回路に「戻される」寄生寄与および／または破壊的エネルギ寄生を最小にしながら低インピーダンス経路を共有する方法で共同に使用することを可能にする。
【００７４】
典型的な電極シールド配列または構造は同時に、回路を伝播するエネルギの部分は、同じ共通基準イメージに対してＡＯＣ８１３の部分に含まれて伝播する、相対する被シールドエネルギの相補的な部分に一瞬高インピーダンスのダイオード状のエネルギブロック機能を提供し、同時に、同じ瞬間に、瞬間的に高低インピーダンス切り替え状態で動作可能なエネルギ部分の瞬間的に高インピーダンスに相対するエネルギ部分についてエネルギ空または低インピーダンスの関数であり、これは瞬間的に発生し、対称的に対応しており、特に中央のシールド側エネルギ経路の反対側をダイナミックにまたがる方法で発生し、同時に、全体として電気的に調和のとれた同じ共有されたシールド側配列構造の、バランスが調節された対称的に対応する方法で互いに相対する位置に配置された相補的なエネルギ部分に対して相対的である。
【００７５】
内部に配置された共通電極の組は、相補的な電極経路ではない、同じ共通の外側に配置された導電性の部分に導電的に結合され、ほとんどの回路系がこの非相補的なエネルギ経路を、望ましくないＥＭＩノイズおよび／またはエネルギが、それぞれの電圧を印加された各回路系から戻って入ることをやめさせるかおよび／または抑制し、ブロックする低インピーダンスのエネルギ経路として、動作する各回路系に対して同時に使用することを可能にする。
【００７６】
包む側のシールド側電極構造から生じるエネルギ寄生を抑制し、同時に、電気的に相対する被シールド電極から生じる、相互に相対するエネルギ「Ｈ」場を相殺することによって、種々の回路経路に沿って伝播するエネルギの部分は特に特定の実施形態のＡＯＣ８１３に集まり、Ｈ場エネルギおよび／またはＥ場エネルギの有害な効果を最小化（Ｅ場エネルギはまた近場エネルギ束とも呼ばれる）する形で伝播エネルギに生じる調節効果を経験し、同時に、回路配列内のほとんど任意の実施形態または特定の実施形態の各ＡＯＣ８１３内で記述された同時の機能を介して、またこれは特に、それぞれ切り替わるが瞬間的に同時に存在する低インピーダンスエネルギ経路と高インピーダンスエネルギ経路の一定のおよび／またはダイナミックに同時な相対的に画定された領域を含むかおよび／またはこの領域を維持し、分割されシールドされた相補的な電極経路対の伝播電位ルーティングに沿って見出されるエネルギの部分の使用に対して互いに反対向きになっている。
【００７７】
図示されないが（たとえばこれが図示されている図１０と図１１は例外である）、図示されてもされなくても種々の実施形態のエネルギ経路の層形成は、種々のタイプの非「分割」エネルギ経路配列を伴う均一（uniform、同一の、同様の）または非均一な大きさ／形状の組み合わせで「分割（split、スプリット、分離）」エネルギ経路配列を有することが完全に想定されていることに注意されたい。分割エネルギ経路機能は非「分割」エネルギ経路と同様であるが、非分割エネルギ経路よりも改善された方法である。これはさらに図１０に説明されているが、同様に、すべてのエネルギ経路被シールド電極またはシールド側電極は、対応する、重ねて近くに配置された薄い導電性材料の対および／または導電抵抗性材料の対を備えるか、および／または、導電性材料の対および／または導電抵抗性材料の対を特徴としており、これらは単に非導電材料または絶縁材料によって分離されるか（完全な接触および／または非分離を防ぐために必要な程度）、または、通常はスペーサ８１４または８１４Ａよりも薄いか量の少ない（８１４Ｂと示される）絶縁材料の要素によって単に分離されるか、または、非導電体材料または絶縁材料の要素（複数可、完全な接触および／または非分離を防ぐために必要な程度）を使用し、完全な「分割エネルギ経路要素」（複数可、全体として「分割」エネルギ経路要素（複数可）を含む導電性および／または電気接触から絶縁材料部分（複数可）を含む（２つの部分は、各本体部分８０（または８１）のそれぞれの「分割」部分を含む。
【００７８】
「分割」エネルギ経路は、分割経路配列を使用すると、合計エネルギ経路（複数可）表面積を二倍まで増加することを可能にするため、一部の配列では有利なことがある。一部の実施形態では、より大きな汎用シールド側構造、配列を含む共通のシールド側経路構造要素も、エネルギ伝播経路機能を増大するかよりよく処理することを可能にする。
【００７９】
単一の「非分割」エネルギ経路と比べた場合、「分割」経路エネルギ経路配列は電流搬送機能を実質的に高めることができるが、この機能はまた、たとえば７９９／４９９などの種々の経路材料要素に関して、比較的ストレスの少ないエネルギ調節環境を依然として維持し、種々のタイプの可能な新しい実施形態を含むことができるため、特にほとんど任意の典型的な新しい実施形態の分圧機能を可能にし、さらに、エネルギ経路アーキテクチャの対称的で相補的なバランスの利点を生かして、典型的な新しい実施形態独自の全体の電流処理機能を高め、同時に、特に分圧などの機能を実行し、また同時にこのような実施形態では期待できない通常の非分割エネルギの全体の大きさの低減を可能にする（ここで非分割エネルギ経路は分割配列の代わりに使用される）。本開示では時間を節約するため、種々の「分割」エネルギ経路配列と「非分割」エネルギ経路配列の組み合わせは、図１０の特定の図面以外は省略した。
【００８０】
次に図１を参照すると、シールド側電極８００／８００−ＩＭＣの一部が示されている。この図は、既定の性質を有する材料８０１の部分を含む構造材料部分８００−Ｐ上に配置された、既定の、中央に配置され共有されたシールド側電極８００／８００−ＩＭＣを含む、挟む側のユニット８００Ｑの一部を示す。
【００８１】
図２では、被シールド側電極８４５ＢＡ、８４５ＢＢ、８５５ＢＡ、８５５ＢＢ、８６５ＢＡ、８６５ＢＢは一般に、第２の複数の電極の２つの組のうち、小さい方の電極として示されている。この配列では、より小さい本体電極部分８０は、伝播するエネルギの部分８１３Ｂによって使用され、図１と同様なシールド側電極８００／８００−ＩＭＣのより大きな本体電極部分８１および／または同様であるが、単一シールド側構造（図示せず）のタイプとは同一ではなく、シールド側電極の中央部、図１に描かれたものと同様なシールド側電極の中心部とＡＯＣ８１３の影響部分から外側に移動して伝播するエネルギの部分８１３Ａを処理する。
【００８２】
再び図１を参照すると、中央に配置されたシールド側電極８００／８００−ＩＭＣから両方向に離れて移動するのは、電極および／または電極経路８５５ＢＢと８５５ＢＴ（図示せず）であり、これらは両方とも、既定の方法で中央のシールド側電極８００／８００−ＩＭＣをそれぞれ同時に挟む。複数のシールド電極の各シールド側電極の本体電極部分８１は、これに対応する、複数の被シールド電極のはさまれてシールドされた電極の挟む側の本体電極部分８０より大きいことが重要であることに注意されたい。本明細書に記述されているといないにかかわらず、複数の被シールド電極は通常、バイパス電極としてシールドされるように配列されているが、被シールドフィードスルー電極も必要に応じて配列することができる。
【００８３】
製造業者は、導電性の材料７９９を電極８５５ＢＡとして配置し、被シールド電極８５５ＢＡに対してシールド電極８００の位置に相対する、挿入された部分８０６および／または距離８０６およびスペーサ部分８０６を形成する。この挿入関係は通常、２つ本体電極部分８０と８１のうちで本体電極部分８１の方が大きい、２つの本体電極部分８０と８１の間の大きさの差から生じる相対的な挿入スペーサとして見るか、および／または定義することができる。この相対的な大きさは、種々の本体電極部分８０と８１の配置配列と、図面では７９Ｇおよび／または７９’Ｘ’のいずれかとして示されるそれぞれの連続的な各電極部分拡張部と共にあり、これらのほとんどが導電材料７９９および／または７９９’Ｘ’を連続的に層形成し、さらに、この結果、電極本体部分８０の８０３と示される電極周辺縁と、より大きなそれぞれの電極本体部分８１の８０５と示される電極周辺縁の間にある、挿入関係および／または見かけを形成する、製造プロセスの間に配置および／または配列される。
【００８４】
特に、典型的なエネルギコンディショナまたは電極配列のほとんどのバージョンでは、本体電極８０／８１は通常は２つの主な表面部分によって画定できるが、その形状は所望の周辺部に形成され、使用される電極要素の材料７９９の各電極本体部分８０および／または８１を形成し、これについては通常、材料７９９の一般的な部分の大きさを指定できる。これらの電極本体部分８０および／または８１は、典型的な本体電極８０／８１の大きさを画定するように連続的に結合された７９Ｇ、および／または、７９"ＸＺ"または７９"ＸＸ"リード電極、および／または、電極拡張部（複数可）と見なされる任意の電極部分を含まない。
【００８５】
それぞれの電極のうちほとんど任意の電極に関して、ほとんどの電極本体部分８０の大きさ、および／またはほとんどの電極本体部分８１の材料７９９の大きさは、ほとんど任意の典型的なエネルギコンディショナおよび／またはエネルギ調節配列の中でグループごとに（８０または８１）それぞれ同じ形状であってもよく（製造誤差が許容するように）（または、別のサブ回路配列電極の組に対して個別のサブ回路配列ごとに混合してもよい）、挿入配置関係はオプションであってもよいことに注意されたい。
【００８６】
相補的な経路および／または相補的な経路対の位置配列は、典型的な相補的な電極／エネルギ経路および／または対（複数可）の導電領域のほとんどを挿入し、重ねて配置するか、または挿入されて重ねられた（しかし分離された）位置に配置することによって、種々の、寄生エネルギの部分へおよび／または種々の寄生エネルギの部分からの、同時なエネルギ部分抑制および／またはエネルギ部分シールドという利点を可能にする。
【００８７】
相補的な経路および／または相補的な経路対は通常ＡＯＣの中に、これらのエネルギ調節機能が発生した時にそれを促進する各エネルギ経路対（それぞれ電極本体部分８０を有することもあればおよび／または有しないこともある）の電極面積の実質的な部分を見出す。これらの配列は、対について少なくとも３つのより大きなシールド電極／シールド側エネルギ経路の重ねられたアライメントが使用されることを可能にする（３つの経路の各シールド側エネルギ経路は、電極本体部分８１を有する場合もあり、および／または有しない場合もある）。
【００８８】
典型的な新しい実施形態の典型的なＡＯＣ部分の中の相補的なエネルギ経路領域（複数可）の実質的な部分（複数可）の、このようなシールド配列または閉じ込める配列（複数可）は、互いに導電的に結合された、導電的に結合されたシールド側電極対またはシールド側エネルギ経路対（複数可）の「間接的に接触して挟むこと」を使用または含む、ほとんど包む配列として見出され、典型的なＡＯＣが、より小さい相補的なエネルギ経路対のスタティックなシールド機能だけを備えるかおよび／またはそのためだけに動作するのではなく、エネルギ部分のダイナミックなシールド機能および／またはダイナミックな抑制機能（複数可）のために動作することも可能にし、上記のように、シールド側エネルギ経路の重なった配置の中でも少なくとも動作可能である。
【００８９】
より大きな電極本体部分８１の足跡の中の本体部分８０を伴う場合もありまた伴わない場合もある相補的な電極の閉じ込め側または挿入側の部分によって、均一な、より小さな電極本体部分８０を、２つのより大きなシールド側電極のうち、少なくとも均一なより大きな（均一な小さな電極本体部分８０または電極に比較して）電極本体部分８１の中に挿入する８０６を使用しない配列を使用した配置と比べた場合、全体の、より大きなシールド側導電構造のエネルギのダイナミックなシールド（静電シールド）効率を強化することができる。
【００９０】
挿入距離８０６は、少なくともゼロより大きな客観的または主観的な距離乗算器および／または主観的および／または相対的な距離乗算器を使用して画定でき、典型的な新しいエネルギ経路または電極配列を含むことのできる電極（複数可）の、電極本体部分８０と、隣接する電極または電極本体部分８１の間に見られる離れた距離関係について選択された乗算器に対する挿入距離８０６である。
【００９１】
乗算器は、挿入、範囲決定因子としても使用できる実施形態内で、２つの典型的な隣接する電極本体部分８０と電極本体部分８１の間の分離および／または分離の維持に見出される、既定の性質を伴う材料８０１の相対的な離れた厚さの測定または間隔を計測するために使用できる。
【００９２】
たとえば、８５５ＢＢの電極本体部分８０は、図１と同様な、電極８５５ＢＢの電極本体部分８０と、隣接する中央コプラナ電極８００−ＩＭの電極本体部分８１の間の、分離および／または分離の維持に見出される、既定の性質を伴う材料８０１の距離および／または厚さの、１から２０＋（またはこれ以上）倍として定義することができる。この量または範囲距離または領域８１４"Ｘ"は、各実施形態および／または用途ごとに変化してもよい、典型的な電極本体部分８０の挿入位置のゼロ画定境界として生成される。いずれにしても、ゼロ画定境界として作成されていてもいなくても、距離または領域８１４"Ｘ"は、典型的な電極および／または典型的な電極本体部分８０を使用して伝播するエネルギの部分の静電シールド動作が、アースされている場合もあればいない場合もある少なくとも一部のタイプの静電シールド機能ができるような大きさ、および／または間隔または程度でなければならない。
【００９３】
他の場合では、ほとんど任意の１つの隣接する（隣にある）シールド側電極は、その電極（任意の１つのシールド側電極）がシールドする、任意の１つの隣接する（隣にある）相補的な電極または被シールド電極より小さくてはならない。電極またはエネルギ経路は、使用する伝播によって異なるが、７９"ＸＺ"、’Ｘ’＝"Ｂ"＝バイパス、または、"Ｆ"−フィードスルーと呼ばれる、電極"Ａ"または"Ｂ"の"Ｚ"＝拡張部分の、少なくとも１つの第１のリードまたは拡張部分を有する本体電極８０を含み、最終的には、必要であれば、"＃"は、本体電極ごとに複数の拡張部分がある時には、番号を付けられたユニットである。たとえば、図１は、７９ＢＡを電極８５５ＢＡの拡張部として使用する。少なくとも第１のリードまたは拡張部分を有することが示されていないが、電極８５５ＢＡおよび８５５ＢＢ（図示せず）の第１のリードおよび第２のリードまたは拡張部分が、この配列では他に対して相補的に相対するように配列されているため、８５５ＢＡの相補的な本体電極８０も７９ＢＢと示される。
【００９４】
出願者は、ほとんど任意のアレイ配列で、複数のコプラナに配列された電極の中で、８０と示される種々の電極本体部分の間に可能な、種々のサイズ差分電極対も想定していることに注意されたい。示されていないが、既定の性質を有する材料８０１の部分および／または層は、追加のコプラナに配列された電極層を含んでいてもよい。複数の各電極が、種々の同じ複数の電極部材の共通の導電的な結合を促進するようにする、それぞれの外側の電極部分（複数可）および／または電極材料部分８９０Ａ、８９０Ｂ、および／または、８９０’Ｘ’、７９８−１、７９８−２、および／または、７８９’Ｘ’として示される部分（全部は図示していない）はまた、複数の各電極の、ほとんど任意の外側の導電部分（図示せず）、エネルギ経路（全部は図示していない）への、後からの導電的な結合を促進することができる。
【００９５】
一般に、それぞれの電極本体部分８０および／または８１に配列上連続している電極拡張部分（または本明細書では単に「拡張部分」（複数可）と呼ぶ）を超えて注目すると、電極本体部分８０は通常は離れているが、物理的に既定の距離に挿入され、電極本体部分８１に対して挿入部分８０６を形成している。電極本体部分８０は通常は小さく（隣接する本体シールド電極８１と比べた場合）、２つのシールド電極のうち、少なくとも２つの離れた、より大きな電極本体部分８１がカバーする部分の中に重なっている。しかし例外は、たとえば図１と同様な７９ＢＡの電極拡張部分（複数可、あった場合）であり、これはそれぞれ、連続し一体化して離れた、電極本体部分８０を超えた点に続いて導電的に結合するように動作可能である。
【００９６】
７９"Ｘ"または７９"ＸＸ"リード導電部分および／または電極拡張部分を、非一体的および／または一体的に同時に連続して配置する同じ製造プロセスも適用できることに注意されたい。たとえば、結合されたおよび／または融合された、非一体型および／または非連続型７９"ＸＸ"（図示せず）部分も、新しいエネルギ経路配列の所定の他の変形例を製造した後からおよび／または製造中に後から追加することができる。この後から適用された拡張タイプも可能であり、電極本体部分８０と非連続／一体に形成された導電性の７９"ＸＺ"または７９"ＸＸ"の組み合わせなどを使用することができ、これは、実質的に同じ条件の連続バージョンの動作を可能にする方法で導電的に結合することが依然として必要である。
【００９７】
通常は、典型的な被シールド電極および／またはシールド側電極について、電極本体部分８０および／または８１が終了し、７９Ｇおよび／または７９"ＸＺ"または７９"ＸＸ"拡張電極部分が開始する正確なポイントを決定する正確な方法は通常はないが、通常は、拡張部分を画定するためには、典型的な被シールド電極の電極本体部分８０は、既定の数の電極本体部分８１の共通の重なった配列からシールド側電極の周辺の縁８０５を形成する、複数のシールド側電極の隣接するシールド側電極のシールド側電極縁８０５の共通周辺部の間および／または共通周辺部の中に見出されるか、および／または、平均共通周辺部に見出される既定の距離および／または既定の距離の平均８０６を作成するように配置される部分とみなされ、電極本体部分８１の既定の数は、電極配列実施形態に見出される、被シールド電極グループをシールドする共通電極部材の１より大きな任意の奇数であってよい。
【００９８】
したがって、特に典型的なエネルギコンディショナまたは電極配列内で、少なくとも２つの被シールド電極の電極本体部分８０に関して、シールド側の相補的な電極対は、少なくとも３つのシールド電極を含むことになる。同じ導電材料７９９は、特に典型的なエネルギコンディショナまたは電極配列のほとんどの電極を、既定の方法で配列された均一な電極材料７９９または、不均一な電極材料２９９の組み合わせとして有することを含むか、および／またはこれを特徴とし、どちらも同じように十分である。
【００９９】
通常は少なくとも２種類の複数の電極があり、第１の複数の電極では、各電極が互いに実質的に同じ大きさと形状である。これらの第１の複数の電極の電極は互いに導電的に結合され、互いに重なって並行に並べられる。これらの共通電極はまた互いに離れ、第１の複数の電極で生成された重なったシールド側配列内で互いに（第２の複数の電極の部材）対応する相対する関係で、第２の複数の種々の部材の配列を促進する。すなわち、地球の水平線に対する第１の複数の電極の重なったグループの回転軸がどのようであっても、第１の電極はスタックまたは配列と呼ぶことができる。
【０１００】
この第１の複数の電極、配列、または重なったスタック形成の中に、既定の性質を有する材料８０１（複数可）の少なくとも一部が含まれる。第１の複数の重なった電極の配列の数は、１より大きな奇数である。
【０１０１】
これらの電極はまた、少なくとも電極の共通グループの各電極の縁に沿って連続した共通の導電的な結合を提供する、導電材料の少なくとも１つの部分によって、互いに導電的に結合してもよく、これによってこの複数の電極は、アースされない単一の共通導電構造、アースされないシールド側導電ケージ、または、アースされないファラデーケージと考えられるかまたはその機能を果たす。多くの配列では、導電材の少なくとも２つの部分は、グループ化された縁の少なくとも２つの部分の共通の各電極グループの電極の縁に少なくとも沿って、連続的で共通の導電的な結合を提供し、互いに別々であるかおよび／または分離される。現在のシールド側配列のこの部分（複数可）が、外側の導電電位と導電的に結合すると、アースまたは基準の状態が生成する。
【０１０２】
第２の複数の電極の合計は偶数である。第２の複数の電極はまた、第２の複数の電極の２つのグループまたは電極の組を配列し、第１の電極の組を含む第２の複数の電極の偶数の２つの部分に分割でき、これはついで、偶数の２つの電極のうち残りの半分の電極の組に相補的であり、２つの電極の合計対の場合、互いに対応する電極対を有すると考えられる（次の説明によれば、これらの組自体はさらに、第２の複数の電極の少なくとも第１の複数の電極と第２の複数の電極という特徴を有する）。
【０１０３】
電極は互いに離れている。電極が１つの層の上にあるとき、第２の複数の電極の第１の組の他の電極と配列上コプラナと考えられる場合、第２の複数の電極の電極のうち第２の電極の組の各電極は対応して、相補的に相対して配列された電極と対になっているが、電極の第２のコプラナ層の上にある。また、図５Ｄ−５Ｃ、図５Ｃ、図８Ａに示されるように、たとえば第１の電極の組または第２の電極の組のいずれかの部材はコプラナであり、互いに散らばっているが、コプラナ電極の各電極は依然として、異なる層の相手側電極と相対する方向であることに注意されたい。
【０１０４】
また、特定の電極の相補的な各被シールド電極対は実質的に同じ大きさと同じ形状であるが、同じように互いに離れた、全体として同じ大きさで同じ形状の電極の第２の相補的な対は必ずしも、図３Ａと図４Ａに示された電極の第１の相補的な対の部材とそれぞれ、個別に同じ大きさで同じ形状で対応する必要はないことに注意されたい。
【０１０５】
また、ほとんどの任意のエネルギコンディショナの全体的な電極配列の一部として、第１の電極の対（シールド側）と第２の電極の対（被シールド側）は、互いに大きさと形状の関係が独立を維持していることに注意されたい。第２の複数の電極の第１の電極の対と第２の電極の対は、実質的に同じ大きさと同じ形状の電極を含むが、これは要件ではない。特に電極対の相補的な関係が形成されるように、電極の対として「個別に」任意の相補的な電極対を互いに同じ大きさと形状の２つの電極として維持する必要がある。
【０１０６】
別の例として、第２の電極の対は第１の電極の対と同じ大きさであってもよいが、電極の第２の対は第１の電極の対とは異なる形状であってもよい。この逆も成り立つ。少なくとも２つの電極の対以上に追加された電極の対も、電極配列を有する全体的な新しいエネルギコンディショナの一部として、第１の電極の２つの対の大きさと形状からは独立している。
【０１０７】
続いて、次の実施形態と、特に示されていない実施形態は、可能な電極の組み合わせの小さなバラエティを提供する。これらはそれぞれ、示された特定の実施形態に関係するが、全体としては本開示の主な目的に一致するものである。本開示の主な目的は、シールド側電極および被シールド側電極配列を他の要素と組み合わせて提供し、少なくとも２つの独立し絶縁された回路系が、相互にダイナミックに、電極配列を内部に有する１つの典型的な離散型または非離散型エネルギコンディショナを使用できるようにすることである。
【０１０８】
したがって、特に特定の実施形態が使用する新しい典型的な受動アーキテクチャは、エネルギ系の中にある種々のタイプのエネルギ場（ｈ場とｅ場）を調節および／または最小化するように配列できる。特に特定の実施形態は通常は、あるタイプのエネルギ場を別のタイプのエネルギ場よりよく調節するように配列する必要はないが、異なるタイプの材料を、種々の電極の組の中に組み合わせて追加および／または使用し、あるタイプのエネルギ場を別のタイプのエネルギ場よりよく調節することのできる実施形態を配列することができる。誘電材料および／または媒体、および相互に配置されたシールド側電極構造の種々の厚さは、回路アーキテクチャとのダイナミックで近接した距離関係が、互いの間のエネルギを伝播する導電的な部分と、比較的非導電的な部分または半導電的な距離の利点を生かすことを可能にする（相補的なエネルギ経路）。
【０１０９】
図２Ａと図２Ｂに描かれるように、特に６００５などの特定の実施形態は、相対する既定の要素の配置と大きさの関係と、同時に、離れた位置関係を組み合わせてで選択的に配列された既定の要素のグループを含み、図２Ｃに描かれた少なくとも２つの独立し絶縁された回路系の部分が相互に、またダイナミックに同時に、１つの共通回路基準電位またはノードを使用することを可能にする。この基準電位は、部分的には、所与のエネルギコンディショナのシールド側電極部分によって提供され、このシールド側電極部分は特にＡＯＣ８１３である典型的なエネルギコンディショナを超えて配置された導電部分の共通電圧電位と導電性に組み合わされる。
【０１１０】
ＡＯＣ８１３を超えたところに配置される外側の共通導電部分への複数のシールド側電極の導電的な結合が、ハンダ材料（図示せず）または抵抗フィット結合（図示せず）などの当業界で知られた標準の結合手段を使用して行われる場合、結合は物理的に行われ、シールド側構造はこの結合の結果できたより大きなシールド側部分の導電混合または導電統合によって拡大する。電極８３０、８２０、８１０、８００／８００−ＩＭＣ、８１５、８２５、８３５のシールド側電極構造は、電極拡張部分７９Ｇ−１、７９Ｇ−２、７９Ｇ−３、７９Ｇ−４の電極拡張部と導電的に結合され、ついで、７９８Ｇ−１、７９８Ｇ−２、７９８Ｇ−３、７９８Ｇ−４と導電的に結合され、ついで、当業界で知られた標準の手段によって最終的な物理的な作用によって、導電部分００７に結合される。標準の手段は、任意のタイプまたはすべてのタイプの結合方法、プロセス、導電材料などを含む（もちろん選ばれた特定の用途によって異なる）。部分００７は、図２Ｃに描かれたように、ダイナミックな動作または電圧を印加された動作の間にＣＲＮまたは共通基準ノードが確立され、シールド側構造要素が、典型的な実施形態に含まれる各回路について相対する回路経路対の部分に平行でミクロンの近さになった、外側の導電部分００７の拡張部に過ぎないという点で、典型的なエネルギコンディショナ回路配列の一部として機能する。
【０１１１】
本明細書に示される典型的なエネルギコンディショナの配列は、特にそれぞれ実施形態６００５、８００５、１０００５、１００５、１１０５、１２０７、１２００、１９２００、１９２１０を伴う図２Ａ、図３Ａ、図４Ａ、図５Ａ、図５Ｃ、図７Ａ、図８Ａ、図１０、図１１を含む。これらの実施形態の中で、本開示で定義できる少なくとも３つのタイプのマルチ回路エネルギコンディショナ配列があり、この３つとは、ストレートスタックマルチ回路配列、ストレートコプラナスタックマルチ回路配列、および、ストレートマルチ回路／コプラナマルチ回路のハイブリッドであり、それぞれが独自の統合された配列を有する。一般に、エネルギコンディショナは回路系ごとに、どちらも（内部に配置された回路部の対）他の回路部分の一部ではなくより大きな回路系の一部として考えられる、少なくとも２つの内部に配置された回路部分を含む。
【０１１２】
各回路部分は、第１のエネルギ経路部分と第２のエネルギ経路部分を備え、これらの各エネルギ経路はある点では、ＡＯＣ８１３内部の典型的なエネルギコンディショナ自体の一部であると考えられる。たとえば、それぞれ、別々の回路系の第１のエネルギ経路と第２のエネルギ経路、Ｓ−Ｌ−Ｃ２、Ｌ−Ｓ−Ｃ２、Ｓ−Ｌ−Ｃ１、Ｌ−Ｓ−Ｃ１である。Ｃ１に関しては、８５５ＢＡ、８５５ＢＢと示され、Ｃ２に関しては８４５ＢＡ、８４５ＢＢ、８６５ＢＡ、８６５ＢＢと示されるそれぞれのエネルギ経路の第１の電極部分と第２の電極部分は、全体的なマルチ回路系配列００００の一部として、他に対して相補的に電気的に動作する、エネルギソース００２＝Ｃ２、００１＝Ｃ１、およびエネルギ使用負荷部分Ｌ２＝Ｃ２とＬ１＝Ｃ１のいずれかとして存在する。Ｃ１に関しては８５５ＢＡと８５５ＢＢと示され、Ｃ２に関しては８４５ＢＡ、８４５ＢＢ、８６５ＢＡ、８６５ＢＢと示される、内部に配置された各回路部分はそれぞれ、必要に応じてそれぞれ７９ＢＡと７９ＡＡの拡張部分を介して、第１のエネルギ経路部分と第２のエネルギ経路部分を、外側の電極Ｃ２−８９０ＢＢ、Ｃ２−８９０ＢＡ、Ｃ１−８９０ＡＡ、Ｃ１−８９０ＢＢと結合する（これらは特に典型的なエネルギコンディショナの外部にある）。
【０１１３】
示されたように特にエネルギコンディショナ部分との導電的な結合は、たとえば、既定の位置Ｃ２−８９０ＢＢ、Ｃ２−８９０ＢＡ、Ｃ１−８９０ＡＡ、Ｃ１−８９０ＢＢで行われ、電気結合技術で使用される、既定の導電的な結合プロセス、または、材料または既定の物理的な結合技術と既定の材料を伴う方法で行われ、材料の中にはハンダ付け、融合、機械的、化学的または材料、または材料接続および／または結合手段が含まれ、方法の中には、今日または将来のハンダ（図示せず）、または、抵抗フィット（全部は図示せず）で使用される導電的な結合または導電的な接続の業界標準の手段のすべてが含まれる。これらの内部の回路部分は、上記のように電極経路または相補的なエネルギ経路とみなすことができる。一般的には上記のような内部の回路部分は、８３５、８２５、８１５、８００／８００−ＩＭＣ、８１０、８２０、８３０、８４０と示されるシールド電極を含まず、これらのシールド側電極経路は、必要に応じて離す機能、絶縁または分離機能を提供できる、既定の性質を有する材料８０１またはその他のもの含む少なくとも１つの部分によって、指向性電気結合から離れているか、絶縁されているかまたは分離している。
【０１１４】
少なくとも２つの回路対の部分をそれぞれ有する第１の回路系と第２の回路系（たとえば図２ＣのＣ２／Ｃ１）はさらに、それぞれ（各Ｃ２／Ｃ１回路系）、少なくともエネルギソース００２＝Ｃ２、００１＝Ｃ１と、エネルギ使用負荷部分Ｌ２＝Ｃ２、Ｌ１＝Ｃ１を、少なくとも第１のエネルギ経路と少なくとも第２のエネルギ経路の両方について回路ごとに備える。各回路系は一般に、エネルギソースの第１の側面から伸びる第１のエネルギ経路で開始し、これはエネルギソースの供給側とみなすことができる。ついで第１のエネルギ経路は実質的に、エネルギ使用負荷の第１の側面に結合され、これはエネルギ使用負荷のエネルギ入力側とみなされる。
【０１１５】
さらに、エネルギソースとエネルギ使用負荷の結合ポイントは、第１のエネルギ経路に関して、これは、この部分が、エネルギ使用負荷とエネルギソースの間に、エネルギソースへのエネルギ戻り経路として物理的に結合される第２の第１のエネルギ経路の配置配列から、第１のエネルギ経路を導電的に絶縁するこの部分を必要とするように、第１のエネルギ経路に関して決定することが理解されるであろう。したがって、エネルギソースの第２の側面から出る少なくとも第２のエネルギ経路は、エネルギ使用負荷の戻り側と考えられ（使用または作用のためにエネルギ使用負荷によってエネルギの一部が変換された後）、ついでエネルギ使用負荷の第２の側面に結合されて、これはエネルギソースのエネルギ戻り入り側と考えられる。
【０１１６】
少なくとも３つのタイプのマルチ回路エネルギコンディショナ配列それぞれの１つの顕著な違いは、スタックされたマルチ回路エネルギコンディショナ配列は、結果として回路部分が他の上に配置または配列されるが、生成される電気動作のほかの回路系に対して必ずしも相対するか相補的であるわけではない関係である配列を含む。少なくとも２つの回路系部分の対は、他に対して、２つの分離および／または絶縁された回路の間の「ヌル（null、無効、無意味な、空の）」相互作用が、同じエネルギコンディショナとＡＯＣ８１３内で発生する一方、電気系部分の対の両方の組は、互いに導電的に結合され、他の方法で外部の導電部分と導電的に結合された複数のシールド電極の電極を含む「アースされた」シールド側構造によって促進される電圧基準を共通に共有するが、必ずしも、任意の１つのそれぞれの回路系または対の電極ではない。
【０１１７】
一部の場合では、別の対ではなく１つの回路系の対による、相補的なエネルギ経路の１つの部分への導電的な結合は、一部のユーザにとっては望ましい場合もあり、このタイプの配列、または他のタイプ（複数可）よりあるタイプの配列が望ましいこと、または、分離されたシールド電極配列の導電的な結合を伴う１つの回路が他のタイプ（複数可）より好ましいことは、出願者により十分に想定されている。
【０１１８】
しかし、シールド側構造の導電的な分離が維持される場合、ここに含まれる回路系の非相補的なエネルギ経路への結合で生成する最小インピーダンスの経路は、互いに対して動作可能で互いに対して動作するように配列され、その中には、実施形態６００５などのストレートスタッキングが含まれ、複数のシールド電極の間のスタックされたまたは隣接する配列を表す少なくともそれぞれの配置に対して１つが１つの上に配置されるので、少なくとも２つの分離された回路系のエネルギに共通な低インピーダンスエネルギ経路をダイナミックに生成する。
【０１１９】
次に図２Ａ〜図２Ｂを参照すると、エネルギコンディショナ６００５の実施形態が示されている。特に図２Ａは、上述のように、個別の電極層が材料８０１上の層の上に形成されるかまたは配置されたエネルギコンディショナ６００５を示す拡大図である。特に図２Ａの既定の実施形態の構造は既定のシールド側電極配列であり、この電極配列は、共に導電的に結合されて、すでに名づけられたより小さな回路経路対部分にシールドを提供する、８３５、８２５、８１５、８００／８００−ＩＭＣ、８１０、８２０、８３０、８４０と示される大きさが同じで同じ形状の奇数の電極のシールド側配列を備える。等しい大きさで等しい形状の奇数のシールド側配列の電極はまた、次に説明するＩＭＩ’Ｘ’および／またはＩＭＯ’Ｘ’と示される画面シールド電極に関するほとんど任意のオプションのシールド電極（図示せず）を含んでいてもよい。
【０１２０】
エネルギコンディショナ６００５はまた、８３５、８２５、８１５、８００／８００−ＩＭＣ、８１０、８２０、８３０、８４０と示される、全般に同じまたは等しい大きさで同じまたは等しい形状の第１の複数の電極と、Ｃ２に関しては８４５ＢＡ、８４５ＢＢ、８６５ＢＡ、８６５ＢＢと示され、Ｃ１に関しては８５５ＢＡ、８５５ＢＢと示される、全般に同じまたは等しい大きさで同じまたは等しい形状の第２の電極とを少なくとも含み、これらは、多くの可能な組み合わせについて、もともとの２つの第１の複数の電極と第２の複数の電極の、種々の単一の電極配列またはサブ複数（sub-plurality、部分複数、副複数）の電極配列に組合わされ（８４５ＢＡ、８４５ＢＢ、８６５ＢＡ、８６５ＢＢ電極など）、特に典型的なエネルギコンディショナに、任意の可能な数のグループ化された同質的な電極対を提供し、これらは、第２の複数の電極と第１の複数の電極を含む電極の組の中に集まっているように見える。
【０１２１】
図２Ｂに示されるように、エネルギコンディショナ６００５は、示されるように、外側のそれぞれの電極部分７９８−１、７９８−２、７９８−３、７９８−４、８９０ＡＡ、８９０ＡＢ、８９０ＢＡ、８９０ＢＢのそれぞれに対して８つの可能な結合で動作可能である。これらの中で、可能な結合部分エネルギコンディショナ６００５は、図２Ｃに示されるように、００１Ａ、００１Ｂ、００２Ａ、００２Ｂ、導電領域００７と示される５つの導電的に分離された経路に結合することができる。従って、少なくとも２つの独立して電気的に分離された回路系（Ｃ２／Ｃ１）の相補的な経路の各対は、１度から１８０度の２つの回路対方向を形成し（すなわち、物理的に製造可能でダイナミックに動作可能である任意の角度または方向の範囲という意味である）、後に図２Ｃで描かれるようにそれぞれ互いに対してヌルな方法で独立しているエネルギコンディショナ６００５を相互にダイナミックに使用することができるので、７９８−１、７９８−２、７９８−３、７９８−４はそれぞれ、導電領域００７に結合でき、００１Ａ、００１Ｂは８９０ＡＡ、８９０ＡＢにそれぞれ結合でき、００２Ａ、００２Ｂは８９０ＢＡ、８９０ＢＢにそれぞれ結合でき（またはたとえば逆に、８９０Ｂａ、８９０ＢＢから００１Ａ、００１Ｂへ、８９０ＡＡ、８９０ＡＢから００２Ａ、００２Ｂへそれぞれ結合できる）。
【０１２２】
他の例７９８−１、７９８−２、７９８−３、７９８−４はそれぞれ導電領域００７と結合でき、００１Ａ、００１Ｂは８９０ＡＡ、８９０ＡＢとそれぞれ結合でき、８９０ＢＡ、８９０ＢＢはそれぞれ、単一回路接続／結合スキームについては、たとえば特にＣ１のみと結合できることに注意されたい。
【０１２３】
また、同じ典型的な実施形態を記述する多くの方法がある。つまり、多くの方法またはラベルを使っても同じ最終的な実施形態が得られる。たとえば、特に典型的なエネルギコンディショナに関して可能ないくつかの複数の配列または組み合わせの第１の組み合わせとして説明できる実施形態６００５は、配列６００５の場合では、８５５ＢＡ、８５５ＢＢ、８６５ＢＡ、８６５ＢＢのうち少なくとも１つの電極と、９時、１２時、３時、６時の時計の針のように４つの可能な９０度の方向のうち少なくとも１つで向き合うそれぞれの拡張部７９"ＸＺ"または７９"ＸＸ"を含む、少なくとも２つまたは４つの方向性の、より対になった方向に分割される複数の第１の電極と複数の第２の電極を含む１つの配列である。
【０１２４】
また、図に示されるように、３６０度の位置軸に関する導電要素の位置関係を次に開示することに注意されたい（しかしここには図示しない）。それぞれの７９Ｇ−１、７９Ｇ−２、７９Ｇ−２と７９Ｇ−４の拡張部分（必要な場合）を伴う、内部で導電的に結合された（図示せず）外側の共通電極部分７９８−１、７９８−２、７９８−３、７９８−４などの導電要素（および導電要素ではない）の示された位置は、それぞれの７９Ｇ−１、７９Ｇ−２、７９Ｇ−２、７９Ｇ−４拡張の位置を有し図２Ａと図２Ｂに示された位置から、コーナではなく並行に回転した（たとえば時計方向に４５度）位置を有する。
【０１２５】
逆に、外側の電極部分８９０ＡＡ、８９０ＡＢ、８９０ＢＡ、８９０ＢＢは、コンディショナ本体の周囲に別におよび／または分離して配列される。たとえばこれらの外側の電極部分８９０ＡＡ、８９０ＡＢ、８９０ＢＡ、８９０ＢＢは、図２Ａと図２Ｂに示された位置から、平行な側ではなくそれぞれの角の位置に回転した（たとえば時計方向に４５度）位置で、それぞれの電極拡張部の位置を有する。こうして、外側の電極部分８９０ＡＡ、８９０ＡＢ、８９０ＢＡ、８９０ＢＢは、一致するように等しく回転される。したがって、結合されている種々のそれぞれの電極拡張部分のうちほとんど任意の部分と、ほとんど任意のそれぞれの外側の電極部分の位置は（共通な場合もあり共通でない場合もある）常に、望ましいほとんど任意の位置または場所に左右対称に配置できる。開示によって明らかなように、この実施形態は、両方の電極タイプと伝播モードに関してフィードスルー、バイパス、またはバイパスとフィードスルーの混合した組み合わせの、被シールド側の相補的なエネルギ経路に関して実現可能な、ほとんど任意の形状の要素を取ることができ、その中には多角形、多角形型、円形、球形、またはほとんど任意の他の３次元形状が含まれるがこれらに限定されるものではない。また上述の（あるいは上述されない）、現在または将来にわたる、ほとんど任意の単一回路またはマルチ回路配列が含まれる。
【０１２６】
ついでたとえば、特に典型的なエネルギコンディショナに関して可能ないくつかの複数の配列または組み合わせの第２の組み合わせで説明することができる実施形態６００５は、第１の複数の電極と、他から１８０度の時計の位置の少なくとも１つの対の方向に向いて伝播する伝播エネルギの電圧が印加された相補的な対のグループに分割される第２の複数の電極を含む配列であり、相互の方向で９０度の垂直に並んでいない（not aligned、整列しない、揃っていない）と少なくとも考えられる、方向範囲に「ロックされた」対、または配置されると考えられる。この例では、対は、互いに平行と考えられる方向で配置されるが、相互に並んでいなく、相対的に（他に対して）横断方向（transverse、横方向、横切る、横の）で（たとえば同じ軸の重なったアライメントから、同じ回転軸に対して横切る方向）、または同様な軸、または、回転した位置にあり、互いに対して正確に垂直かまたは「ヌル」かまたは９０度離れており（同じ軸方向で）、１８０度の方向の電極組ではない。図２Ａを見ると、対は時計の針の９時と３時の配列または１２時と６時の「ヌル」配列（この場合９０度）となっていることが理解されるであろう。
【０１２７】
ついでたとえば特に実施形態６００５では、典型的なエネルギコンディショナに関して可能ないくつかの複数の配列または組み合わせのうち、第１の複数の電極と、少なくとも２つの電極の組に分割される第２の複数の電極を含む、第３の組み合わせが記述される。第１の電極の組はさらに、相補的な電極８４５ＢＡ、８４５ＢＢ、と相補的な電極８６５ＢＡ、８６５ＢＢが含まれる、相補的な電極対のグループを含む。電極の少なくとも２つの組のうち第２の組は、相補的な電極の対８４５ＢＡと８４５ＢＢを含む。図２Ａと図２Ｃから分かるように、第２の複数の電極の第１の電極の組は、特に典型的なエネルギコンディショナを使用した相補的な部分を伴う可能な複数の回路の第１の回路部分を含み、第２の複数の電極の第２の電極の組は、特に典型的なエネルギコンディショナを使用した相補的な部分を伴う可能な複数の回路の第２の回路部分を含む。
【０１２８】
特に典型的なエネルギコンディショナ６００５を含む第１の複数の電極と第２の複数の電極はまた、複数のシールド電極と複数の被シールド電極として分類することができる。８３５、８２５、８１５、８００／８００−ＩＭＣ、８１０、８２０、８３０、８４０と示される第１の複数のシールド電極は、これらが互いに導電的に結合されるとシールド側構造（数字は示されていない）を提供するＧＮＤＧ指示も与えられる。これは、７９Ｇ−’Ｘ’電極拡張部の６００５エネルギコンディショナに対する方向の点から見た識別子であり、８４５ＢＡ、８４５ＢＢ、８５５ＢＡ、８５５ＢＢ、８６５ＢＡ、８６５ＢＢと示される第２の複数の電極は、これらのそれぞれの７９"ＸＺ"または７９"ＸＸ"電極拡張部の位置と方向である。
【０１２９】
複数のＧＮＤＧ電極は、互いに導電的に結合され、少なくとも第２の複数の電極をシールドする単一の手段として機能する、複数のシールド電極として動作可能である。この奇数のシールド電極はまた、複数のＧＮＤＧ電極が一般にグループまたは構造として共通に互いに導電的に結合され、ついで、外部に配置された共通導電部分または経路００７に導電的に結合されると、グループとしてのマルチ回路系（この場合Ｃ２とＣ１）に最小インピーダンス経路を提供する。
【０１３０】
配列６００５における第１の複数の一次電極と、第２の複数の一次電極のいくつかの組み合わせのうち他の組み合わせは、第２の複数の電極と第３の複数の電極として次に説明される、第２の複数の一次電極を等しく分割したものを有する。これらはついで、簡単に、シールド側電極として機能する８３５、８２５、８１５、８００／８００−ＩＭＣ、８１０、８２０、８３０、８４０と示される第１の複数の電極の中に散らばり、第１の複数の電極の各電極は全体としてＧＮＤＧと示される、少なくとも第１の複数の電極、第２の複数の電極、第３の複数の電極を備える第１の複数の電極とエネルギコンディショナとして結合する。これは、第１の複数の電極のうち任意の電極が機能においてシフトし、第１の複数の電極の８"ＸＸ"／８００−ＩＭＣ中央電極として作用するか、および／または、特に典型的なエネルギコンディショナとして機能できることを示し、示されているように一般的な電極８１０ＧＮＤＧは、マルチ回路配列の中で図２の共通基準ノードを伴うエネルギコンディショナの中央シールド電極８１０／８００−ＩＭＣとなる（この場合はヌルから９０度である、互いに対してヌルの方向に配置され、対として配列された、実施形態６００５の８４５ＢＡ、８４５ＢＢ、８５５ＢＡ、８５ＢＢの２つの対のみ）。従って、第１の複数の電極と典型的なエネルギコンディショナの８"ＸＸ"／８００−ＩＭＣ中央電極は通常、典型的なエネルギコンディショナを等しい半分に切るように取られた、少なくとも一連の断面図からのものとして識別できる。
【０１３１】
次に図２Ａ、図２Ｂを参照すると、電極のシーケンスの中の、第２の複数の電極と第３の複数の電極の各電極は、第１の複数の電極の少なくとも２つの電極ＧＮＤＧによって、シールドされ、挟まれるように、これらの間に配列される。さらに、第２の複数の電極と第３の複数の電極の中の各電極対は、対応する電極の対が、第１の複数の電極の少なくとも１つの電極ＧＮＤＧをはさむように配列される。次のことに注意されたい。
【０１３２】
従って、示されたように特にエネルギコンディショナの電極の最小シーケンスは６００５であり、これは、（たとえばこの場合では）第１の電極ＧＮＤＧの上で第２の電極ＧＮＤＧの下になるように、離れて配列された、第２の複数の電極対の第１の電極８４５ＢＡを有するという特徴を有する場合がある。第２の複数の電極対の第２の電極８４５ＢＢは、第２の電極ＧＮＤＧの上で第３の電極ＧＮＤＧの下になるように、離れて配列される。第３の複数の電極対の第１の電極８５５ＢＡは、第３の電極ＧＮＤＧの上で第４の電極ＧＮＤＧの下になるように、離れて配列される。第３の複数の電極対の第２の電極８５５ＢＢは、第４の電極ＧＮＤＧの上で、第５の電極ＧＮＤＧの下になるように、離れて配列される。この最小シーケンスでは、第２の複数の電極と第３の複数の電極の各電極は、互いに導電的に分離され、第１の複数の電極ＧＮＤＧからも導電的に分離される。
【０１３３】
図１と同様に見えるが図２Ａでは、電極８５５ＢＡはそれぞれまた同時に、電極８００／８００−ＩＭＣと８１０の本体電極部分８１によってはさまれた本体電極部分８０を有する。従って、シールド本体電極部分８１は全般に同じ大きさと同じ形状を有し（つまり、共通の物理相同性を有し、実質的に標準の製造慣例とプロセスを使用し、または、少なくとも互いに大きさと形状が均一である）、同時に、各電極８５５ＢＡは大きな部分の辺１ＦＳと２ＦＳを有し（すべて図示されているわけではないが、１ＦＳと２ＦＳは、開示されているといないにかかわらずすべてのエネルギ経路について第１の向き合う辺１ＦＳと、第２の向き合う辺２ＦＳを含み、これらを有するものとして描くことができる任意の典型的なエネルギ経路の少なくとも２つの相対して向き合う辺である）、本体電極部分８０は互いに対して相対するシールド機能の同じ部分を受け止め、本体電極部分８０の電極縁８０３は、２つの重なって並んだシールド本体電極部分８１の挟む側の周辺部によって確立された境界「ＤＭＺ」または部分８０６内に保持され、共通に結合されるようになったシールド側電極８００／８００−ＩＭＣと８１０の電極縁８０５は、両方とも第１の複数の電極である。
【０１３４】
次に図２Ｂを参照すると、特にエネルギコンディショナ６００５が組み立てられた状態で示されている。外側の電極部分７９８−１、７９８−２、７９８−３、７９８−４、８９０ＡＡ、８９０ＡＢ、８９０ＢＡ、８９０ＢＢは、コンディショナ本体の周囲に別におよび／または分離されて配列される。シールド側電極ＧＮＤＧは複数の結合電極部分（複数可）または拡張部分７９Ｇ−１（図２Ａに示される）を含み、これらは６００５の離散バージョンでは、複数の外側の電極７９８−１から７９８−４に導電的に結合される。非離散バージョンはこれらの外側の電極を有せず、回路に連続して直接結合される場合もある。
【０１３５】
上記と同様な電極の最小シーケンスでは、第２の複数の電極対の第１の電極８４５ＢＡは、外側の電極８９０ＢＡに導電的に結合される電極拡張部７９ＢＡを含み（図２Ａに示される）、第３の複数の電極対の第２の電極８４５ＢＢは、外側の電極８９０ＢＢに導電的に結合される電極拡張部７９ＢＢ（図２Ａに示される）を含む。第２の複数の電極対の第１の電極８５５ＢＡは、外側の電極８９０ＢＡと導電的に結合される電極拡張部７９ＢＡ（図２Ａに示される）を含み、第３の複数の電極対の第２の電極８５５ＢＢは、外側の電極８９０ＢＢと導電的に結合される拡張部７９ＢＢを含む（図２Ａに示される）。対応する電極対の拡張部と外側の電極は、エネルギが相殺されるように、互いに１８０度に配列される。
【０１３６】
結合された回路の１つまたは両方に使用可能なキャパシタンスを増加させるために、電極の追加の対を、特にエネルギコンディショナ６００５に追加する。再び図２Ａを参照すると、追加の電極対８６５ＢＡ、８６５ＢＢが、方向の点で、第２の複数の電極の第１の電極の対と対応するスタッキングシーケンスに追加される。第２の複数の電極対の第１の追加の電極８６５ＢＡは、第５の電極ＧＮＤＧの上で第６の電極ＧＮＤＧの下になるように配列される。第３の複数の電極対の第２の追加の電極８６５ＢＢは、第４の電極ＧＮＤＧの上で、第５の電極ＧＮＤＧの下になるように配列される。第１の追加の電極８６５ＢＡは、外側の電極８９０ＢＡへの共通の導電的な結合を介して、第２の複数の電極の第１の電極８４５ＢＡに導電的に結合される。第２の追加の電極対８６５ＢＢは、外側の電極８９０ＢＢへの共通の導電的な結合を介して、第３の複数の電極の第２の電極８４５ＢＡに導電的に結合される。追加の電極対は、第２の電極対８５５ＢＡと８５５ＢＢに隣接するのではなく、第１の電極対８４５ＢＡ、８４５ＢＢに隣接して配列できることに注意されたい。図示されていないが、追加の電極対と電極ＧＮＤＧをさらに追加することによって、結合された回路の１つまたは両方に使用可能なキャパシタンスをさらに増やすことができる。
【０１３７】
図２Ｃはマルチ回路の配列図であるが、マルチ回路配列の典型的なエネルギコンディショナを示された配列に限定する意図で示されているのではなく、典型的なエネルギコンディショナのマルチ回路動作における汎用性を示す意図で示されている。共通の基準ノードＣＲＮを伴ってマルチ回路で配列されているエネルギコンディショナ（この場合は９０度のヌルで、互いにヌルの方向に配置されている対として配列された、実施形態６００５の２つの対８４５ＢＡ、８４５ＢＢ、８５５ＢＡ、８５５ＢＢだけを示す）は、回路Ｃ２の被シールドエネルギを向き合わせる第１の手段を含み、この第１の手段はさらに、Ｃ２の全体の回路系の相補的な部分と、さらに、これに対応して、図２Ａに見られるような電極８４５ＢＡ、８４５ＢＢの相補的な電極のグループの逆鏡（reverse mirror、リバースミラー）像である対になった配列とを備え、さらに、コンディショナは別の回路Ｃ１の被シールドエネルギを向き合わせる第２の手段を含み、この第２の手段はさらに、Ｃ１の全体の回路系の相補的な部分と、さらに、これに対応して、図２Ａに見られるような電極８５５ＢＡ、８５５ＢＢの相補的な電極グループの逆鏡像である対になった配列を備え、これに対応して対になった配列の部材として個別にシールドされた要素を有し、少なくとも開示されたシールドのための手段によってＣ２とＣ１の両方のそれぞれの回路部分の電極の相補的な電極グループの逆鏡像を有し（これは一般的に同じ形状で同じ大きさで互いに導電的に結合された少なくとも複数のシールド電極であって、少なくとも８３０、８２０、８１０、８００、８１５を含み、電極８１０はたとえば図２Ａの８１０／８００−ＩＭＣとなる）、また、シールドのための手段は（上に説明した複数のシールド電極）は、被シールドエネルギを向かい合わせる第１の手段（上に説明した）と、被シールドエネルギを向かい合わせる第２の手段（上に説明した）を互いにシールドする。すなわち、Ｃ２とＣ１のそれぞれの回路部分は（上に説明した）、回路部分としてシールドする手段によって少なくとも２つのそれぞれの回路部分として他からシールドされる（上に説明した）。
【０１３８】
図２Ｃのマルチ回路配列図はまた、具体的に、図２Ａでは２つの分離した回路系Ｃ２とＣ１を有するように示された完全な３つの対の実施形態６００５を有するように説明された小部分だけではなく、マルチ回路配列００００全体を含む。各回路系Ｃ２とＣ１は、少なくともエネルギソース００１＝Ｓ１、００２＝Ｓ２、エネルギ使用負荷Ｌ２、Ｌ１とを有し、各Ｃ２とＣ１は、特に、エネルギコンディショナ６００５の中でＣ２とＣ１自体の一部の相補的な部分に寄与し、複数のシールド電極の部材の間で互いにはさまれ、導電的に分離されている。それぞれの内部に配置された回路部分対８４５ＢＡ、８４５ＢＢ、８５５ＢＡ、８５５ＢＢ、８６５ＢＡ、８６５ＢＢは、それぞれ、対応する第１の電極または第２の電極結合部分８９０ＢＡと８９０ＢＢにおいて結合されている。
【０１３９】
分離された回路系Ｃ１はそれぞれ、Ｓ−Ｌ−Ｃ１（エネルギソースからエネルギ使用負荷回路１）外側経路部分によってエネルギソース００１からエネルギ使用負荷Ｌ１に結合され、エネルギソース００１からエネルギ使用負荷Ｌ１に存在するそれぞれの相補的なエネルギ経路の外側の経路部分Ｌ−Ｓ−Ｃ１（負荷からソース、回路１）に結合され、互いに対して電気的に相補的な動作でＬ１とＳ１のそれぞれの側面上で互いに対して配置または位置づけられ、導電的に結合され（完全には図示せず）、そしてＣ１のエネルギソースからＣ１のエネルギ使用負荷側において他の側面に結合される。
【０１４０】
分離された回路系Ｃ２はそれぞれ、Ｓ−Ｌ−Ｃ２（エネルギソースからエネルギ使用負荷、回路２）外側経路部分によってエネルギソース００２からエネルギ使用負荷Ｌ−２に結合され、エネルギソース００２からエネルギ使用負荷Ｌ２に存在するそれぞれの相補的なエネルギ経路の外側の経路部分Ｌ−Ｓ−Ｃ２（エネルギ使用負荷からエネルギソース、回路２）に結合され、互いに電気的に相補的に動作するために、Ｌ２とＳ２のそれぞれの側面で互いに対して配置または位置づけられ、導電的に結合され（完全に示されるわけではない）、また、Ｃ２のエネルギソースからエネルギ使用負荷側において他の側面に結合される。
【０１４１】
Ｃ１／Ｃ２の分離された回路系はそれぞれ、図２Ｃに示されるように回路の第１の側面上でＳ−Ｌ−Ｃ’Ｘ’の外側の電極部分（複数可）８９０ＡＡ、８９０ＢＡに結合され、また、図２Ｃに示されるように回路の第２の側面上で（それぞれの回路側）、Ｌ−Ｓ−Ｃ’Ｘ’上の外側の電極部分（複数可）８９０ＡＢ、８９０ＢＢと結合される。これはそれぞれの回路部分について、関連技術で知られた、たとえばハンダ材料結合などの物理的な結合方法および／または結合材料を使用して各回路側面の簡単に導電的に結合された部分によって、またこの部分において結合される。位置と方法に関して同じく示されるこの物理的な結合は、通常各回路の相補的な側面に対になっている。
【０１４２】
従って、Ｃ１−８９０ＡＡとＣ１−８９０ＡＢとＣ２−８９０ＢＡとＣ２−８９０ＢＢは、それぞれの導電的に結合された接続が行われたことを示すそれぞれの識別子として示される。たとえば、Ｃ１−８９０ＡＡは、外側のエネルギ経路Ｓ−Ｌ−Ｃ１と外側電極部分８９０ＡＡを結合するために行われる。この回路の側面は、Ｓ１エネルギソースの第１の側面から、Ｌ１エネルギ使用負荷の第１の側面まで「エネルギ入力」経路として移動することによる経路である。Ｃ１−８９０ＡＢは外側のエネルギ経路Ｌ−Ｓ−Ｃ１と外側電極部分８９０ＡＢを結合するために行われる。この回路の側面は、Ｌ１エネルギ使用負荷の第２の側面から、００１エネルギソースの第２の側面までエネルギ戻り経路として戻ることによる経路である。
【０１４３】
回路２またはＣ２またはＣ’Ｘ’系に関する図面２Ｃでは、同様な要素について適切な指示が行われているが、それぞれの識別子が変更され、図２ではＣ１からＣ’Ｘ’またはＣ２に置き換えられている。Ｃ２−８９０ＢＡは、外側のエネルギ経路Ｓ−Ｌ−Ｃ２と外側の電極部分８９０ＢＡを結合するために行われる。この回路のこの側面は、Ｓ２エネルギソースの第１の側面から、Ｌ２エネルギ使用負荷の第１の側面まで、エネルギ入力経路として移動することによる経路である。Ｃ２−８９０ＢＢは、外側のエネルギ経路Ｌ−Ｓ−Ｃ２と外側電極部分８９０ＢＢを結合するために行われる。この回路の側面は、Ｌ２エネルギ使用負荷の第２の側面から、００２ソースの第２の側面にエネルギ戻り経路として移動することによる経路である。
【０１４４】
ほとんど任意の典型的な実施形態配列に関して、複数の回路系部分の各回路系部分は、（導電的に分離されている場合もあり分離されていない場合もある）、少なくともとも２つの、ラインから基準（またはアース）調節関係を備える（これは容量性、誘導性または抵抗性の、線から基準（またはアース）関係の、それぞれの複数からなる、任意の同じ２つのラインから基準（またはアース）関係のいずれかである）。これらの少なくとも２つのラインから基準（またはアース）調節関係は、少なくとも２つの相補的な電極と、同じシールド側の各電極の間で動作可能であり、少なくとも２つの相補的な電極は、同じ、シールド側電極をそれぞれの間ではさむ（通常は任意の相補的な電極対ではないより大きな電極をはさむ）。従って、少なくとも第１の基準（またはアース）関係は、少なくとも２つの相補的な電極の第１の相補的な電極と第１のシールド側電極の間で動作可能であり、少なくとも第２の基準（またはアース）関係は、少なくとも２つの相補的な電極の第２の相補的な電極と第１のシールド側電極の間で動作可能である。
【０１４５】
さらに、上に説明した少なくとも２つの線から基準（またはアース）調節関係を有する、ほとんど任意の同じ典型的な実施形態の配列については、複数の回路系部分の同じ回路系部分は、（導電的に分離されていてもいなくても）、少なくとも１つのラインからライン調節関係を備えることに注意されたい。ラインからラインの調節関係は、少なくとも同じ２つの相補的な電極の間で動作可能である、少なくとも容量性、誘導性、または抵抗性の、ラインからラインの関係を備える。
【０１４６】
また、同じタイプのエネルギ調節関係の値（たとえばキャパシタンス）について、少なくとも１つのラインからラインのエネルギ調節関係値のそれぞれの相対的なエネルギ調節関係の値（たとえば複数の回路部分のそれぞれの回路部分について使用可能な測定されたキャパシタンス）は、それぞれの相対的な個別の関係について測定できる２つのラインから基準エネルギ調節関係値のうち、ほとんど任意のラインから基準エネルギ調節関係値より、１％から９９％の間の所与のパーセンテージの範囲で少ないことに注意されたい。
【０１４７】
従って、特に６００５に似ていてもよいし似ていなくてもよい新しい典型的な実施形態が、少なくとも２つの回路系部分（たとえば相補的な電極の少なくとも２つの被シールド対の組）を備える場合、特に６００５に似ていてもよいし似ていなくてもよい典型的な実施形態は、少なくとも４つのラインから基準（またはアース）調節関係、および、少なくとも少なくとも２つのラインからラインの調節関係を備える。これによってまた、少なくとも４つのラインから基準（またはアース）調節関係のうち少なくとも２つと、少なくとも２つのラインから線調節関係のうち少なくとも１つが分離され、少なくとも第１の回路系に属することが可能になり、その一方、少なくとも４つのラインから基準（またはアース）調節関係のうち残りの２つと、２つのラインからラインの調節関係のうち残りの少なくとも１つが、第２の回路系にそれぞれ属することが可能になる。
【０１４８】
最後に、外側の共通電極部分７９８−１、７９８−２、７９８−３、７９８−４が、それぞれの７９Ｇ−１、７９Ｇ−２、７９Ｇ−２、７９Ｇ−４拡張部分と内部で導電的に結合されている（必要であれば）ことが示されるが、これはまた図２Ｂにも示されている。これらは図２Ｃには配列的に示されるように、導電部分００７と共通に導電的に結合され、ここでは、電圧基準ノードまたは共通基準ノード（ＣＮＲ）の両方が提供され、８４５ＢＡ、８４５ＢＢ、８５５ＢＡ、８５５ＢＢ、８６５ＢＡ、８６５ＢＢ経路を使用して、また、第１の複数の電極を介する拡張部分７９Ｇ−１、７９Ｇ−２、７９Ｇ−２、７９Ｇ−４を介して、７９８−１、７９８−２、７９８−３、７９８−４のすべてを介して電圧を印加する助けとなり、実施形態６００５のシールド側電極として機能する８３５、８２５、８１５、８００／８００−ＩＭＣ、８１０、８２０、８３０、８４０として示される。
【０１４９】
この６００５実施形態のシールド側配列部分は、上記のように、より大きな導電部分００７で作成された電極シールド側構造（ほとんど任意のそれぞれの回路系Ｃ’Ｘ’内で使用されるように互いに導電的に結合された、第１の複数の電極を含む）を共通に導電的に結合するか、または「アース」することによって促進される。
【０１５０】
また、相補的な電極の３つの対のうち、第１の２つの最小グループのマルチ動作のうち少なくとも１つについて動作可能にするために、マルチ回路配列６００５を使用する図２Ｃに描かれた２つの別々および／または分離された回路系を含み、７９８−１、７９８−２、７９８−３、７９８−４すべてと、１つの回路の被シールドエネルギを相対させる少なくとも第１の手段と、別の回路の被シールドエネルギを相対させるための少なくとも第２の手段とを備え、個別に互いに、被シールドエネルギを相対させる第１の手段と第２の手段をシールドする手段をそれぞれ有する共通基準ノードＣＲＮと導電的に共通に結合し、容量性ネットワークの少なくとも２つの組はＣ２とＣ１によって個別にそれぞれ作成されることに注意されたい。従って、各容量性ネットワークはさらに、少なくとも１つのラインからラインのキャパシタと、２つの、ラインから基準ラインまたは「ＧｎＤ」キャパシタを、図２Ａに示されるように、それぞれユニットＸ２Ｙ−１とユニットＸ２Ｙ−２として、たとえば同じタイプのエネルギコンディショナ内に統合され、全体として一般に、相互に共有された結果である回路系ごとにそれぞれ備える。（基準ラインは共通導電部分００７、ＧｎＤまたは基準電位００７であり、これらは、（２）絶縁回路配列とそれぞれの融合された部分に電圧を印加した結果としてＣ２とＣ１によって相互に共有される）。
【０１５１】
図２Ａは、たとえばＣ２とＣ１の間の１つの系が、他の１つに対して電圧が印加されていない状態または電圧が印加された状態である場合、１つの系の少なくとも１つの電圧を印加された状態の間、電気的にヌルな配列配置は有効であると考えられるため、Ｃ２とＣ１の間で、電気的にヌルな配列の配置は、電気的な動作において、少なくとも９０度位相がずれて動作可能であることを描く。
【０１５２】
この特定の配列では、図２Ａは９０度の物理的な角度であって、Ｃ２とＣ１は相対的に等しいが、物理的なこの９０度の角度は限定ではなく、他の方法では互いに不利な効果を有するそれぞれのｈ場放射のために動作可能であると考えられる部分的に電気的にヌルな配列も可能にするほとんど任意の他の方向性の位置も可能であり、これは出願者らが完全に想定している。
【０１５３】
たとえばスタックされるかまたは配列された複数の回路を互いに必ずしも９０度離れて物理的に配置せず、これらを垂直に話して配置しても、同じヌル化効果機能または部分的なヌル化効果機能を十分効果的に達成できる。さらに、材料８０１の層の追加は、たとえば追加のＩＭＩ−’Ｘ’シールド側電極を伴って行ってもよいし、追加のＩＭＩ−’Ｘ’シールド側電極を伴わずに行ってもよい（図示せず）。
【０１５４】
従って、少なくとも２つの分離した回路部分対に対するヌル位置は、相対的な中心点からそれぞれ８"ＸＸ"／−ＩＭＣ中心シールド側電極へ伸びる少なくとも２つまたは３つの軸に対して、電気的に１度から９０度の間で相対する任意の角度であってよく、新しい典型的なエネルギコンディショナ内にあるそれぞれの分離した各回路部分について、少なくとも２つの方向性の場の束位置の間の、相対的な効果または干渉の、電気的なヌル関係およびその程度を決定する第１の位置と第２の位置とを生成する。
【０１５５】
従って、特に典型的なエネルギコンディショナに電圧を印加したときに、装置的な中心点からそれぞれ８"ＸＸ"／−ＩＭＣ中心シールド側電極へ伸びる少なくとも２つまたは３軸の配置に対して、分離した回路系部分の対のそれぞれに沿って互いに相互作用するエネルギ場に部分的または完全に「ヌル効果」が起き、これに従って、ほとんど任意の相補的なバイパス電極経路（複数可）および／またはフィードスルー電極経路（複数可）が特に特定の実施形態内で動作することができる。特に典型的なエネルギコンディショナの中で挟んでいるシールド側電極の配置に対して、互いに少なくとも１度から１８０度の間のいずれかの角度で物理的な方向で配置された、相補的なバイパスおよび／またはフィードスルー電極対として「対になって電気的に相対」する。
【０１５６】
またこの第１の複数の電極は互いに導電的に結合され、第１の複数の電極のうち５つの電極は共通して結合され、単一の電極となるか単一の電極として機能し、全般的に均一なシールド側配列は、挟まれる側の各被シールド電極を、物理的なシールドを受ける被シールド側電極またはエネルギ経路の少なくとも２つの相対する部分のそれぞれの大きな側面に対して、同じ量のシールド側部分に提供する。
【０１５７】
したがって、回路系（Ｃ１）エネルギ経路８４５ＢＡ、８６５ＢＡはそれぞれ、８４５ＢＢ、８６５ＢＢと相補的に対になり、一方、回路系（Ｃ２）は相補的な電極８５５ＡＢと８５５ＢＢと共に動作し、同時に、複数の２つの分離した回路として互いにダイナミックにヌルである。
【０１５８】
互いに導電的に結合されている第１の複数の電極の７つのシールド側部材８３０、８２０、８１０、８００、８１５、８２５、８３５を使用して、単一のケージ状のシールド側構造またはグループ化されたシールドとして機能させることにより、第１の複数の電極は、相補的な伝導体８４５ＢＡ、８６５ＢＡ、８４５ＢＢ、８６５ＢＢ、８５５ＡＢ、８５５ＢＢを使用するエネルギ部分について、物理的なシールドとダイナミックなシールド（静電シールド）の両方を提供する。
【０１５９】
全体として、実施形態６００５は、２つの相補的なエネルギ経路の間の対称的に対応し相対する方向配列関係として考えられる、スタティックで相補的な物理関係を確立または作成する際に、Ｃ２系とＣ１系に結合して動作可能である。たとえば、Ｃ２の対などの関係は、８４５ＢＢ、８６５ＢＢとそれぞれ相補的に対応する８４５ＢＡ、８６５ＢＡのエネルギ経路対であり、一方、Ｃ１は相補的で対応する電極対８５５ＡＢと８５５ＢＢと共に動作する。それぞれ電極対を備える回路系の対の部分の２つの組として、回路系の対の部分の組は、互いに電気的にヌルの関係を形成するグループである。この例では、示されたすべての電極は全般的に同じ形状と大きさで、互いにそれぞれ相対する面部分と「面と面で」一致するように、全体的に互いに対して調和するか対応する。しかしこれは必ずしも必要ではない。
【０１６０】
これは、それぞれＣ２のエネルギ経路８４５ＢＡ、８６５ＢＡと、相補的に対になった８４５ＢＢと８６５ＢＢの間のバランスの取れた、対応する物理的および相補的関係であり、一方、Ｃ１は相補的な電極８５５ＡＢと８５５ＢＢの間でバランスの取れた、対応する物理的および相補的な関係で動作する。
【０１６１】
図２Ｃに描かれたようにすべてが互いに電気的に動作すると、所与の回路系の反対側にあるエネルギの部分は回路（たとえばＣ１またはＣ２）に対して独立およびダイナミックであることが可能になり、一方、回路系の対Ｃ１とＣ２の組のエネルギが同時に一定程度伝播すると、２つの逆位相のエネルギ部分は互いに実際にヌルになるか動作上ヌルになる。しかし同時に、これらの同じ部分はそれぞれのＣ２エネルギ経路対の２つの対のうち１つを使用し、この系のＣ１エネルギはそれぞれのＣ２エネルギ経路対のうち１つの対を、電圧を印加した状態で互いにバランスの取れた相互的に相補的なダイナミックな関係で互いに使用する。
【０１６２】
一般的に、電圧を印加された典型的なエネルギコンディショナ配列の動作は、これらと、単一の多数の電圧を印加された回路系の部分の中でこのＡＯＣ８１３を使用するほとんど任意の次のエネルギについて、実質的にバランスの取れた、継続する、持続可能な相補的な電気調節動作を確立し維持する、ダイナミックな動作である。各回路系（Ｃ１／Ｃ２など）では互いに対して対になったエネルギ部分は、アンペアの法則から始まって、ファラデー、マクスウェル、テスラ、アインシュタイン、プランク、および他の科学者が生涯を掛けた仕事によって確立された科学の規則に従って、互いに打ち消しあう相互的なｈ場伝播を確立する。これらの科学者たちは全体として、対称的な相対する力は、２つの対応する部分の相互作用または混合で効果的に打ち消すことができ、また、この後続くダイナミックに伝播するエネルギの部分のほとんど任意のエネルギについて継続し持続することができると述べたのである。
【０１６３】
実施形態を使用することによって、複数の回路に、実施形態の中で相対する対になった各エネルギ経路の間に配置された、全般的に等しいキャパシタンスの層の、全般的に構造上バランスの取れた配列を全般的にバランスの取れた電気的な方法で提供する（全般的に等しいキャパシタンスは、典型的な新しい実施形態で必ずしも必要ではないことに注意されたい）。
【０１６４】
また、エネルギ伝達の試みの中で、コモンモード（ＣＭ）分離を提供し、入力全体で差分モード伝達（ＤＭ）に依存して、一次巻線を二次巻線に磁気的にリンクするために変圧器も広く使用される。この結果、一次巻線全体のＣＭ電圧は拒絶される。変圧器を製造する際の固有の欠陥は、一次巻線と二次巻線の間にエネルギソースキャパシタンスが伝播することである。回路の周波数が増大すると、容量結合も増大し、回路の分離が犠牲になる。十分な寄生キャパシタンスが存在すると、高周波ＲＦエネルギ（高速一過性、ＥＳＤ、照明など）は、変圧器を通じて通過し、この一過性のイベントを受け取る分離ギャップの反対側に回路の混乱を起こす原因となる場合がある。変圧器のタイプと用途に応じて、一次巻線と二次巻線の間にシールドを提供することができる。共通エネルギ経路基準ノードに結合されたこのシールドは、多数の巻線の組の間の容量性結合を防ぐように設計されている。
【０１６５】
新しい典型的な実施形態配列に関しては、伝播するエネルギはより大きな回路系の相補的な回路部分対の単一の各回路部分を使用し、ここでエネルギ場を生じさせる。伝播するエネルギは差分対の中で物理的に近接して配列されるので、互いに相互作用し、それぞれの比例で、回路系経路の相補的で対称的な回路部分対の中に反映させる。したがって、説明したように、これらの比例して伝播するエネルギは互いに相互に相対して作用する力であり、相互に近接しているが反対の伝播動作であるため場の効果が相互に打ち消される。対になったグループの相補的で対称的な電極対は、典型的な新しい、電圧を印加された実施形態を使用するより大きな回路系または別の回路の、相補的な回路部分対のそれぞれの単一の回路部分に関して、内部でバランスの取れた相対する抵抗負荷機能を提供する。したがって、典型的な実施形態はまた全体として、実施形態ごとの回路系部分ごとに、少なくとも１つの静電的にシールドされた変圧器の機能を行うか、またはこの機能を真似る。典型的な新しい実施形態は、典型的な変圧器を必要とする回路部分における変圧器の必要性を向上させ、低減する。典型的な新しい実施形態は、対になった回路系部分ごとに少なくとも１つの静電的にシールドされた変圧器の機能の代替としての、エネルギ調節機能のために一部の用途で使用できる。新しい典型的な実施形態は、寄生を抑制するのに物理的で相対的な共通電極シールド（複数可）だけを使用するのではなく、共通シールド（複数可、差分電極対または回路部分対／層）の相対的な配置と、共通導電領域への導電的な結合とを組み合わせて利用して、効果的に変圧器のような機能を行う。回路系部分が過渡電圧によって混乱した場合、典型的な新しい実施形態のこのタイプの静電的にシールドされた変圧器機能は、過渡電圧の抑制と防止を効果的に行いながら、同時に、差分モードとコモンモードが組み合わされたフィルタとして機能する。シールド側電極構造は通常は、少なくとも１つの共通エネルギ経路に導電的に結合される。
【０１６６】
まっすぐスタックされたマルチ回路で動作可能なエネルギコンディショナは、少なくとも２つの複数の電極の電極配列を備える。２つの複数の電極経路のうち第１の複数の電極経路は、配列内のシールド電極と考えられる電極を含む。第１の複数の電極経路は物理的な配列、外見、形状、大きさにおいて互いに均質的であってもよい。垂直またはまっすぐにスタックされた配列で、第１の複数の電極経路の部材は、周辺縁８０５が互いに等しく並ぶように、互いに対して重なるように配列または配置される。少なくとも３つのマルチ回路エネルギ調節配列の各エネルギコンディショナマルチ回路配列は、電圧を印加された動作の間、ほとんど任意のマルチ回路エネルギ調節配列のシールド側電極構造をグループ化するために、単一の共通導電部分を回路基準ノードＣＲＮとして、また、共通結合エネルギ電位として使用する。
【０１６７】
場合によっては、スタックされたマルチ回路エネルギ調節配列は、必ずしも他に対してスタックされているわけではない、互いに水平またはコプラナに広がる分離した回路配列部分を備える。特定の実施形態、または特に回路配列の特定の実施形態の動作機能は、基本的に同じ大きさおよび／または効果としておよび実質的に同じ大きさの対に沿った種々のエネルギ部分の相補的な伝播の調節に関し、相補的な伝導体および／または電極および／または電極経路の対応する部分は、（両方の電極経路に関して）、ほとんどの部分について、電極間の少なくともある種のスペーサによってまず物理的に別々であるかおよび／または分離され、スペーサは空気であることもあれば、既定の性質を有する物質であるか、および／または既定の性質を注する単なる媒体および／または物質である場合もある。ついで上述のように、相補的に伝播するエネルギの部分の調節は、ほとんどの部分について、互いに導電的に結合され、相補的な導電経路対ではない、共通に共有された複数のエネルギ伝導体または電極経路を介在させ、物理的に広く配置することによって別々にするかおよび／または分離する。この配列は、アースされたエネルギ経路構造、共通エネルギ経路構造、共通導電性構造またはシールド側構造となり、相補的な伝導体を使用するエネルギ部分の両方の組に関してアースされたファラデー箱としての機能を果たし、特に特定の実施形態または回路配列の中の特定の実施形態の相補的な伝導体は、通常は、エネルギ系および／またはテスト装置に見られるエネルギ経路に沿った、ＤＣ、ＡＣ、ＡＣ／ＤＣハイブリッドタイプのエネルギの伝播を使用するエネルギを調節する機能を有する。これは、特に、特定の実施形態または回路配列の特定の実施形態を使用して、たとえば同じエネルギ系プラットフォームの中に多くの種類の回路伝播特性を含む系の中で、多くの異なるタイプのフォーマットの伝播するエネルギの部分を含む系の中のエネルギを調節する。
【０１６８】
出願者は、示された既存の中央に配置された共通エネルギ経路電極８"ＸＸ"／８"ＸＸ"−ＩＭ−Ｃ共通電極経路に追加して、中に含まれる別々の異なるいくつかのエネルギ経路のマルチ回路エネルギ調節を強化するか形成することのできる特定の優れた機能を提供することのできる、合計で奇数になる中央に配置される共通エネルギ経路電極８"ＸＸ"／８"ＸＸ"−ＩＭＣを追加することも想定している。図３Ａ、図４Ａ、図４Ｃに開示されるように、追加で配置される外側のシールド側電極は−ＩＭＯ−’Ｘ’と示される。内側に配置され−ＩＭＩ−’Ｘ’と示される内側のシールド側電極は（８"ＸＸ"／８"ＸＸ"−ＩＭ−Ｃは例外として）オプションである。追加に配置された外側のシールド側電極と内側のシールド側電極はまた、通常は互いに、８"ＸＸ"／８"ＸＸ"−ＩＭ−Ｃと示された中央のシールド電極に導電的に結合され、また、最終的なスタティックなエネルギ調節配列の複数のシールド側電極のうちほとんど任意の部材に導電的に結合される。また、説明したこれらの関係のほとんどは、２次元の配置関係であり、図４Ｃに描かれた２次元の視点からだけ見ていることに注意されたい。８０６、８１４、８１４Ａ、８１４Ｂ、８１４Ｃ、８１４Ｄ（完全には図示せず）と示された、材料８０１のスペーサまたはスペーサの等化物（完全には図示せず）の分離距離は通常は、装置に関連する。図４Ｃと図１０Ｃに提供された断面図を見ると、描かれている既定の電極およびエネルギ経路スタッキング配列（完全には図示せず）の、他の重要な垂直距離と垂直分離関係（完全には図示せず）に気づくであろう。図４Ｃに示されているように、追加のシールド側電極８００−１が１つだけ８００／８００−ＩＭＣ共通電極経路に隣接して挿入される場合、シールド側電極構造の極性のバランスがシフトし、極性のアンバランスは、互いにシールド側電極経路に電気的に相対する配置になっている各回路に対して導入される。
【０１６９】
次にたとえば図４Ｃと図１１を参照すると、８００‘Ｘ’シールド側エネルギ経路および／またはシールド側電極の３つのスタックを形成するように、２つの追加のシールド側電極８００−１と８００−２が配置および配列され、図１１のシールド側電極８００／８００−ＩＭＣをはさんでシールドするように配列されると、回路動作機能に関してシールド側エネルギ経路構造の極性のバランスは、たとえば１９２１０内で内部的に、追加のシールド側エネルギ経路に関して維持され、また、シールド側電極に対して互いに電気的に相対するように配置された各別々の回路部分対に対しても維持される。描かれたシールド側電極スタッキング配列に関して既定のように、８０６、８１４、８１４Ａ、８１４Ｂ、８１４Ｃ、８１４Ｄ（完全には図示せず）として示された種々の距離と分離関係を使用することによって、上述のように、遠いスペーサ関係に対して種々の緊密なスペーサの効果を使用することができる。
【０１７０】
８"ＸＸ"／８００−ＩＭＣは例外であるが、ほとんど任意の最終的なスタティックなエネルギ調節配列の中で、使用する場合、図４Ａ、図４Ｂ、図４Ｃに見られるように、８００／８００−ＩＭＣと示される共通の中央シールド電極をはさむ少なくとも偶数または１対の−ＩＭＩ‘Ｘ’があり、使用する場合、また共に、８００／８００−ＩＭＣと示される共通の中央シールド電極を含む複数のシールド側電極に導電的に結合される。追加に配置され内部に配列された（＃−ＩＭＩ−‘Ｘ’）と示されるシールド側電極があってもなくても、合計のエネルギ調節配列内でシールド電極の中央または中央グループとして配列されたほとんど任意の整数のシールド電極は、通常は、シールド側電極は少なくとも１である奇数である。逆に、合計のエネルギ調節配列の中にある合計として第１の複数の電極または複数のシールド側電極の電極の合計数は、通常は、少なくとも３である奇数である。−ＩＭＯ−‘Ｘと示された追加に配置された外側のシールド側電極は通常は、全体としてエネルギ調節配列のシールド効果を増大させる。これらの電極は、エネルギ調節配列に対して外側と内側から発するＥＭＩからの追加のシールド効果を提供する助けとなり、また、通常は、被シールド側の相補的な電極（８"Ｘ"／８００−ＩＭを例外とする）に隣接している、−ＩＭ’Ｘ’−’Ｘ’と示されないシールド電極を促進する。さらに、エネルギ調節配列を含んだほとんど任意の複数の合計で配列された電極の中央電極、および、ほとんど任意の複数の第１の電極またはシールド側電極を含む合計の電極の中央電極の両方として相対的に示された、中央シールド電極８００／８００−ＩＭＣを例外として、第１の複数の電極の残りの電極または他の方法では複数のシールド電極の残りの電極として知られる残りの電極は、中央のシールド電極８"ＸＸ"／８００−ＩＭＣの相対する側面に等しく均一に分割される。従って、複数のシールド電極の残りの電極の２つの対称的なグループは（つまり、共有された中央シールド電極８００／８００−ＩＭＣを除く）、通常は、それぞれ合計して偶数となるが、両方を一緒にして中央のシールド電極８"ＸＸ"／８００−ＩＭＣを加えると、複数のシールド電極を含む電極の合計数が奇数になり、互いに導電的に結合されると共同して、単一の共有されたイメージ「０」電圧基準電位、物理シールド構造として機能する。
【０１７１】
たとえば特に図３Ａ、図４Ａ、図７Ａなどのスキームに示された、典型的な、コプラナまたはスタックされた／ストレート／コプラナハイブリッド実施形態を使用する実施形態の場合、シールド電極として機能する、最小の奇数で少なくとも３つの電極が必要となる。
【０１７２】
特に図２Ａ、図８Ａなどのスキームの、典型的な、まっすぐに配列された分離回路部分などの種々の実施形態に関しては、シールド電極として機能する最小の奇数で少なくとも５つの電極が必要となる。
【０１７３】
電極の最小の奇数の組はどちらも、シールド手段内にそれぞれはさまれてシールドされた、少なくとも２つの組の導電的なエネルギ経路部分の対または電極本体部分の対８０に沿って伝播するエネルギの部分について、物理的なシールド機能と少なくとも静電的またはダイナミックなシールド機能の両方を提供する、静電的シールド構造またはシールド手段として機能する。
【０１７４】
ほとんど任意のスタックスキームに関する奇数の電極の組の、静電的またはダイナミックシールド機能配列要素は、エネルギ調節配列に電圧が印加され、奇数の複数の結合された電極が共通導電部分または電位に導電的に結合されると発生するが、これは必ずしも、それぞれの回路系エネルギ入力またはエネルギ出力経路を含むそれぞれのエネルギソースからエネルギ使用負荷回路系ではない。ほとんど任意のスタックスキームに関する奇数の電極の組の物理的なシールド機能配列要素は、電圧を印加されているといないとにかかわらず、典型的なエネルギ調節配列について常に発生する。
【０１７５】
図３Ａを参照すると、マルチ回路エネルギ調節配列要素８００５の別の典型的な実施形態が拡大平面図で示されている。この実施形態では、多数のコプラナ電極が材料８０１の層の上に配置される。最小の配列では、配列要素８００５は、少なくとも第１の回路を伝播するエネルギの部分の第１の導電手段の対と、少なくとも第２の回路を伝播するエネルギの部分の第２の導電手段の対と、少なくとも第３の回路を伝播するエネルギの部分の第３の導電手段の対と、シールド手段とを備える。シールド手段は、個別の、互いからエネルギを伝播する部分の第１の導電手段の対、第２の導電手段の対、第３の導電手段の対をシールドする。
【０１７６】
少なくとも第１の回路を伝播するエネルギの部分の第１の導電手段の対は、第１の相補的な組の電極対８４５ＦＡ、８４５ＦＢによって提供される。少なくとも第２の回路を伝播するエネルギの部分の第２の導電手段の対は、第２の相補的な組の電極対８４５ＢＡ、８４５ＢＢによって提供される。少なくとも第３の回路を伝播するエネルギの部分の第３の導電手段の対は、第３の相補的な組の電極対８４５ＣＦＡ、８４５ＣＦＢによって提供される。
【０１７７】
個別にまた互いからエネルギを伝播する部分の第１の導電手段の対、第２の導電手段の対、第３の導電手段の対をシールドする手段は、一般にＧＮＤＤと示される複数の電極によって提供される。複数の電極のうち対になった相補的なＧＮＤＤ電極の各対の１つの電極８２０、８１０、８００はシールド手段を備え、それぞれ材料８０１の層の上に配置された既定の位置に配置される。各それぞれの対８４５ＦＡ、８４５ＢＡ、８４５ＣＦＡの電極対のうち半分は、８４５ＰＡと示される材料８０１の層の上にコプラナに互いに別々に配置される。それぞれの対の、対応する第２の電極と対応する電極対８４５ＦＢ、８４５ＢＢ、８４５ＣＦＢは、８４５ＰＢと示される材料８０１の別の層の上にコプラナに互いに別々に配置され、８４５ＰＢはたとえば、材料８０１の第２の層と同じ場所に配置される。
【０１７８】
第１の複数のコプラナで相補的な電極８４５ＦＡ、８４５ＢＡ、８４５ＣＦＡと、第２の複数のコプラナで相補的な電極８４５ＦＢ、８４５ＢＢ，８４５ＣＦＢは、複数の電極ＧＮＤＤの中に分散される。複数のＧＮＤＤ電極はシールド電極として動作可能であり、ついで、それぞれの外側の電極部分７９８−１、７９８−２、７９８−３、７９８−４（完全に図示されているわけではないが図３Ｂを参照されたい）によって互いに導電的に結合され、複数のＧＮＤＤ電極が少なくとも第１のおよび／または少なくとも第２の回路系のいずれかの回路エネルギ部分に関して最小インピーダンスの共通経路を提供するように動作できるように、上記のシールド側構造またはシールド手段を提供する。
【０１７９】
従って、３つの回路系配列の最小電極配列はそれぞれ、互いに離れて、同時に互いから導電的に分離されている、複数の電極ＧＮＤＤ（互いに導電的に結合されている）と、第１の複数のコプラナで相補的な電極を備える。第２のコプラナな相補的な電極も、それぞれ互いに離れ、互いに導電的に分離されている。これによってまた、たとえば電極対８４５ＦＡと８４５ＦＢ、８４５ＢＡと８４５ＢＢ、８４５ＣＦＡと８４５ＣＦＡが、第１の複数のコプラナで相補的な電極と第２の複数のコプラナで相補的な電極の部材として、相対する方向の位置から互いに対応し、互いに対して相対的でありながら、電極対８４５ＦＡと８４５ＦＢ、８４５ＢＡと８４５ＢＢ、８４５ＣＦＡと８４５ＣＦＡが電極対として互いからシールドされるような配列の位置を保持することを可能にする（非コプラナ）。
【０１８０】
８４５ＦＡと８４５ＦＢ、８４５ＣＦＡと８４５ＣＦＡの各電極はフィードスルー電極として示されているが、相補的な電極対８４５ＢＡ、８４５ＢＢはバイパス電極として示されていることに注意されたい。コプラナ電極は、バイパスまたはフィードスルーのほとんど任意の組みあわせであってよく、示された配列に限定されない。
【０１８１】
別の変形例では、電極ＧＮＤＩはコプラナ電極の間でコプラナ関係で配置され、ＧＮＤ’Ｘ’電極がすべて上記の共通導電部分または経路に結合されている時、結合された各回路計について、追加のシールドと分離を提供し、最小インピーダンスの共通経路を強化する。電極ＧＮＤＤは次に論じる外側の電極部分７９８−１から７９８−４に導電的に結合され、オプションのＧＮＤＩ電極を使用する場合、外側の電極部分７９８−１から７９８−６は、複数の電極すべてが、互いに導電的に結合するシールドを提供するように使用される。逆に、各電極対８４５ＦＡと８４５ＦＢ、８４５ＢＡと８４５ＢＢ、８４５ＣＦＡと８４５ＣＦＡはそれぞれ、互いから導電的に分離され、複数のＧＮＤ’Ｘ’電極の電極からも導電的に分離される。
【０１８２】
最小の３回路配列について論じたが、追加の電極対とコプラナ電極の層を追加の回路系の結合を調節するために追加してもよい。図３Ａを参照し、電極対８４５ＣＦＡ、８４５ＣＦＢは、クロスオーバフィードスルー電極と呼ばれるフィードスルー変形型であることに注意されたい。図示されていないが、追加のコプラナ電極対を追加してもよい。追加のＧＮＤ’Ｘ’電極と、対応する電極対８３５ＦＡと８３５ＦＢ、８３５ＢＡと８３５ＢＢ、８３５ＣＦＡと８３５ＣＦＢのコプラナ層を、既存の層の上および／下にそれぞれ追加することによって、配列要素８００５に追加のキャパシタンスを加えることもできる。
【０１８３】
図３Ｂを参照すると、マルチ回路エネルギ調節配列８００５が、組み立てられた状態で示されている。外側の電極部分はコンディショナ本体周囲に配置される。シールド側電極ＧＮＤＤとＧＮＤＩは、複数の外側の電極部分７９８−１から６に導電的に結合された、複数の拡張部分７９Ｇ−１から６（図３Ａに示される）を備える。
【０１８４】
互いに重なり合っているが、他の電極対の部材である電極８４５ＦＡと８３５ＦＡは、それぞれが相対する端で外側の電極８９１ＦＡと８９１ＦＢに導電的に結合された２つの拡張部分７９"ＸＺ"または７９"ＸＸ"を備える（図３Ａに示されているが必ずしも番号が付いているわけではない）。互いに重なっているが、他の電極対の部材でもある電極８４５ＦＢと８３５ＦＢは、それぞれが相対する端で外側の電極８９０ＦＡ、８９０ＦＢと導電的に結合された２つの拡張部分７９Ｆ’Ｘ’を備える（図３Ａに示されているが必ずしも番号が付いているわけではない）。
【０１８５】
互いに重なっているが、他の電極対の部材でもある電極８４５ＢＡと８３５ＢＡは、それぞれが端で外側の電極８９０ＢＢと導電的に結合された１つの拡張部分７９Ｂ’Ｘ’を備える（図３Ａに示されているが必ずしも番号が付いているわけではない）。互いに重なっているが、他の電極対の部材である電極８４５ＢＢと８３５ＢＢは、それぞれが端で外側の電極８９０ＢＡと導電的に結合された１つの拡張部分７９Ｂ’Ｘ’を備える（図３Ａに示されているが必ずしも番号が付いているわけではない）。
【０１８６】
互いに重なっているが他の電極対の部材でもある電極８４５ＣＦＡと８３５ＣＦＡは、それぞれが相対する端で外側の電極８９１ＣＦＡと８９１ＦＢにそれぞれ導電的に結合された２つの拡張部分７９ＣＦ’Ｘ’を備える（図３Ａに図示されているが必ずしも番号が付いているわけではない）。互いに重なっているが他の電極対の部材でもある電極８４５ＣＦＢと８３５ＣＦＢは、それぞれが相対する端で外側の電極８９０ＣＦＡ、８９０ＣＦＢとそれぞれ導電的に結合された、２つの拡張部分７９ＣＦ’Ｘ’を備える（図３Ａに図示されているが必ずしも番号が付いているわけではない）。対応する電極対の拡張部分と外側の電極は、全般的に互いに１８０度の配置になっており、最適なエネルギの打ち消しを可能にする。
【０１８７】
前の実施形態で、スタッキング６００５に配置された電極を追加し、コプラナスタッキング８００５にコプラナに電極を追加することによって、マルチ回路結合機能を提供する典型的なマルチレイヤエネルギコンディショナまたはエネルギ調節配列を開示した。これらの実施形態の変形例は、図４Ａと図４Ｂに示されるような少なくとも３つの回路に関してマルチ回路結合機能を提供する、典型的なハイブリッドエネルギ調節配列１０００５である（これらのマルチ回路実施形態は特に、既定の方法で少ない数の回路に結合することができる）。
【０１８８】
次に図４Ａを参照すると、上記のように材料８０１の層の上に形成または配置された個別の電極層を示す典型的なエネルギ調節配列１０００５が、拡大平面図に示されている。コンディショナ１０００５は、第１の回路を調節する第１の相補的な手段と、第２の回路を調節する第２の相補的な手段と、第３の回路を調節する第３の相補的な手段と、第１の相補的な手段、第２の相補的な手段、第３の相補的な手段を個別に互いから調節する、シールド手段とを備える。
【０１８９】
回路を調節する第１の相補的な手段は、第１の複数の相補的な電極対８４５ＢＡ１、８４５ＢＢ１によって提供される。第２の回路を調節する第２の相補的な手段は、第２の複数の相補的な電極対８４５ＢＡ２、８４５ＢＢ２によって提供される。第３の回路を調節する第３の相補的な手段は、第３の複数の相補的な電極対８５５ＢＡ、８５５ＢＢによって提供される。第１の相補的な手段、第２の相補的な手段、第３の相補的な手段を個別に互いから調節するシールド手段は、図２Ａなど一般にＧＮＤＧと示される第４の複数の電極によって提供される。
【０１９０】
第１の相補的な電極対と第２の相補的な電極対の各対のうち１つの電極は、材料８０１の第１の層の既定の位置に配置される。第１の相補的な電極対と第２の相補的な電極対の各対の対応する第２の電極は、たとえば、それぞれ同じ位置で配置されるが、第１の相補的な電極対と第２の相補的な電極対の各対の第１の電極に対して、材料８０１の第２の層の上で相対する方向に配置される。第１の複数の相補的な電極対８４５ＢＡ１、８４５ＢＢ１、第２の複数の相補的な電極対８４５ＢＡ２、８４５ＢＢ２、第３の複数の相補的な電極対８５５ＢＡ、８５５ＢＢは、第４の複数の電極ＧＮＤＧ内に分散される。第４の複数の電極ＧＮＤＧは、第４の複数の電極対ＧＮＤＧが、互いに導電的に結合され、図３ＡのＧＮＤＤ電極に関して述べられたように最小インピーダンスの経路を提供するシールド電極として動作できるように、上記のシールド側構造を提供する。
【０１９１】
互いにコプラナである第１の複数の電極の第１の電極８４５ＢＡ１と、第２の複数の電極の第１の電極８４５ＢＡ２は、第１の電極ＧＮＤＧの上で第２の電極ＧＮＤＧの下になるように配列される。互いにコプラナである第１の複数の電極の第２の電極８４５ＢＢ１と、第２の複数の電極の第２の電極８４５ＢＢ２は、第２の電極ＧＮＤＧの上で第３の電極ＧＮＤＧの下になるように配列される。第３の複数の電極の第１の電極８５５ＢＡは、第３の電極ＧＮＤＧの上で第４の電極ＧＮＤＧの下になるように配列される。第３の複数の電極の第２の電極８５５ＢＢは、第１の電極ＢＡに対して相対する方向で、第４の電極ＧＮＤＧの上で第５の電極ＧＮＤＧの下になるように配列される。この最小のシーケンスの中で、第１の複数の電極と第２の複数の電極と第３の複数の電極の各電極は互いに導電的に分離され、第４の複数の電極ＧＮＤＧからも導電的に分離される。
【０１９２】
次に図４Ｂを参照すると、「ハイブリッド」エネルギ調節配列１０００５が離散配列要素として組み立てられた状態で示されている。外側の電極部分はコンディショナ本体の周囲に配置される。シールド側電極ＧＮＤＧは、複数の外側の電極７９８−１、７９８−２、７９８−３、７９８−４に導電的に結合された、複数の拡張部分７９Ｇ−１、７９Ｇ−２、７９Ｇ−２、７９Ｇ−４を備える（図４Ａに示される）。第１の複数の電極の第１の電極８４５ＢＡ１は、外側の電極８９０ＢＢと導電的に結合された拡張部分７９ＢＢＡ１を備え（図４Ａに示される）、第１の複数の電極の第２の電極８４５ＢＢ１は、外側の電極８９０ＢＡと導電的に結合された拡張部分７９ＢＢＢ１を備える（図４Ａに示される）。第２の複数の電極の第１の電極８４５ＢＡ２は、外側の電極８９１ＢＢと導電的に結合された拡張部分７９ＢＢＡ２を備え（図４Ａに示される）、第２の複数の電極の第２の電極８４５ＢＢ２は、外側の電極８９１ＢＡと導電的に結合された拡張部分７９ＢＢ２を備える（図４Ａに示される）。第３の複数の電極の第１の電極８５５ＢＡは、外側の電極８９３ＢＢと導電的に結合された拡張部分７９ＢＡを備え（図４Ａに示される）、第３の複数の電極の第２の電極８５５ＢＢは、外側の電極８９３ＢＡと導電的に結合された拡張部分７９ＢＢを備える（図４Ａに示される）。結合電極部分または拡張部分と、対応する電極対の外側の電極は、互いに１８０度の位置に配置され、エネルギの打ち消しができるようになっていることに注意されたい。また、対応する電極対は互いから１８０度の位置で配置されているように示されているが、対応する電極対の組の各回路部分の対は、種々の方向関係で配置されることに注意されたい。たとえば、第１の回路部分の対と第２の回路部分の対をそれぞれ配列する、第１の複数の電極と第２の複数の電極は、電荷を印加されると互いに物理的に平行で、電気的にヌルな関係で並ぶ。これはまた、電気的に平行なヌル関係とも言える。他の例では、第３の複数の電極はまた、物理的に第１の回路部分の対と第２の回路部分の対とに対してそれぞれ９０度の方向で配列される、第３の回路部分の対である。したがって、第１の回路部分の対と第２の回路部分の対はそれぞれ、電圧を印加されたときに第２の回路部分の対に対して電気的にヌルな関係である。
【０１９３】
示された電極対はバイパス配列であるが、特にこの実施形態またはほとんど任意の他の実施形態はバイパス配列に限定されず、必要であれば外側の電極の配置と数をわずかに調節することで容易に、バイパス、および／またはフィードスルー、クロスオーバーフィードスルーの各電極対のほとんど任意の組み合わせを含むことができる。結合電極部分（複数可）または拡張部分と、対応する電極対の外側の電極は、互いに１８０度の位置に配置され、エネルギの打ち消しを可能にしていることに注意されたい。
【０１９４】
図２Ａ、図３Ａ、図４Ａ、または他の図に示されていても示されていなくても、１つ、または２つ、またはほとんどすべての結合された回路部分とそれぞれの回路系（図示せず）に使用可能なキャパシタンスはさらに、以前の実施形態に示されたように追加の電極対と電極ＧＮＤＧを追加することによって増加することができる。８４５ＢＡ、８６５ＢＡ、８４５ＢＢ、８６５ＢＢの間の分離距離を増大すると、Ｃ２に与えられるキャパシタンスは増加し、Ｃ１に与えられるキャパシタンスは減少することに注意されたい。
【０１９５】
次に図５Ａ−図５Ｄ、図５Ｃ−図５Ｄ、図７Ａ−図７Ｂ、図８Ａ−図８Ｂを見えると、種々の実施形態が示されている。これらの実施形態は形成された実施形態またはより具体的には、たとえば本明細書では、環形に形成された実施形態として描かれている。エネルギ経路または種々の電極は形成されているが、もちろん、特にダイナミックエネルギ調節機能は、たとえば、配列に応じて以前に開示された実施形態とそれぞれ同じくまたは相対的に動作する。これらはすべて部分的に種々のエネルギ経路または電極を個別にまたは相対的なグループとしてそれぞれ備え、本明細書に開示された前の実施形態と同様に、エネルギ調節配列要素を使用してエネルギを伝播するように動作可能な回路系の対の部分を形成するという点で、以前に開示した実施形態と同様である。
【０１９６】
環状の実施形態など形成された実施形態は特に、エネルギ調節配列を、たとえばモータなどの異なる用途に使用することを可能にするか、および／または、特定のエネルギ調節経路の形態が、配列要素の離散バージョンおよび／または非離散バージョンの可能な結合アクセスに汎用性を追加することを可能にする。
【０１９７】
次に図５Ａと図５Ｂを参照すると、図５Ａには、環状の材料の部分８０１に配置された（deposed、証言された、退けられた）導電材料７９９の環状の本体部分８０を有するプラナで環状の形状の電極層８５５ＢＡが示される。同様に次に図５Ｂを参照すると、形成された材料部分８０１上に配置された導電材料７９９の形成された本体部分８０を有するプラナで形成された電極層８５５ＢＢが示されている。
【０１９８】
これらの典型的な形態の実施形態の部分は特に材料８０１を示し、各電極８５５ＢＡと８５５ＢＢに関して導電材料７９９の形成された本体部分８０より大きな環状の形態を有する。各電極８５５ＢＡと８５５ＢＢに関して、材料８０１の外側の周辺縁８１７−Ｏは、電極本体部分７９９の外側の周辺縁８０３−Ｏよりも大きく、外側の絶縁部８１４−Ｏを形成し、外側の絶縁部８１４−Ｏは単に、外側の周辺縁８０３−Ｏに隣接して平行な、少なくとも１つの既定の部分に沿って、電極材料７９９がない部分である。材料８０１の内側の周辺縁８１７−Ｉは、エネルギ経路および／または電極本体部分７９９の内側の周辺縁８０３−Ｉよりも小さく、示された開口部（aperture、アパーチャ）０００に隣接して平行に伸び、エネルギ経路および／または電極本体部分７９９の内側の周辺縁８０３−Ｉに隣接して平行に伸びる内側の絶縁部８１４−Ｉを形成する。
【０１９９】
これらの実施形態の形成されたエネルギ経路および／または電極は、電極８５５ＢＢの開口部０００に対して外向きに伸び、電極８５５ＢＡの開口部０００に対して内向きに伸び、および／または、他の配列では、電極本体８０の部分から外向きと内向きの両方に伸びてもよい、少なくとも１つのエネルギ経路拡張部分（および／または単に「拡張部分」）を含む。
【０２００】
図５Ａに示されるように、４つのエネルギ経路および／または拡張部７９−Ｉ１、７９−Ｉ２、７９−Ｉ３、７９−Ｉ４は、開口部０００に対して内向きに伸び、エネルギ経路材部分７９９の内側の周辺縁８０３−Ｉを越え、内側の絶縁部８１４−Ｉを介して、形成された材料８０１の内側の周辺縁８１７−Ｉに伸びる。逆に図５Ｂに示されるように、拡張部７９−Ｏ１、７９−Ｏ２、７９−Ｏ３、７９−Ｏ４は、開口部０００に対して離れるように外向きに伸び、電極本体部分７９９の外側の周辺縁８０３−Ｏを越えて、外側の絶縁部８１４−Ｏを介して、形成された材料８０１の外側の周辺縁８１７−Ｏに伸びる。
【０２０１】
プラナ形状の複数のコプラナエネルギ経路の代替のバージョンは、コプラナに作成されるか、および／またはコプラナ層として作成される配置されたエネルギ経路であり、図５Ｃと図５Ｄに示されるようにそれぞれ少なくとも１つの他の対応する層から絶縁されている。図５Ｃと図５Ｄでは、材料８０１の層だけが環状の形状であり、および／または、８０１部分は貫通する開口部を伴う。特に、これらの実施形態の層では、コプラナエネルギ経路および／またはコプラナ電極は、複数の形成された本体部分８０として形成される。開示されたほとんど任意のエネルギ経路および／または電極と同様に、形成されたセクションは、たとえば同じそれぞれの材料８０１の層の上にコプラナに混合および／または分離された、バイパス形状のセクションを有するバイパス電極および／またはフィードスルー形状のセクションを有するフィードスルー電極用途であってもよい。
【０２０２】
図５Ｃを参照すると、複数のバイパス形状エネルギ経路部分８５５ＡＢ１と８５５ＡＢ２は、互いに対して離れて相対する方向で配置され、図示されているのは同じ大きさと形状の関係であるが必ずしもそうではなくてもよく（すでに開示したように）、ここでは成形された材料８０１上に配置される。バイパス形状部分電極８５５ＡＢ１は、８５５ＡＢ１の電極本体部分７９９の外側の周辺縁８０３−Ｏから開口部０００に対して外向きに伸び、外側の絶縁部８１４−Ｏを介して、形成された材料８０１の外側の周辺縁８１７−Ｏに伸びるエネルギ経路および／または拡張部７９−ＯＢ１を有する。
【０２０３】
ここで再び図５Ｃを参照すると、バイパス形状の電極部分８５５ＡＢ２は、開口部０００に対して内向きに伸び、８５５ＡＢ２の電極本体部分７９９の外側の周辺縁８０３−Ｉから外側の絶縁部８１４−Ｉを介して、形成された材料８０１の外側の周辺縁８１７−Ｉの中に伸びるエネルギ経路および／または拡張部７９−ＩＢ１を有する。
【０２０４】
ここで再び図５Ｃを参照すると、複数のフィードスルー形状の電極部分８５５ＡＣＦ１と８５５ＡＣＦ２は離れて、互いに相対する方向で配置され、図では等しい大きさと形状の関係であるが必ずしもそうである必要はなく（すでに開示されたように）、ここでは、バイパスエネルギ経路および／または電極８５５ＡＢ１と８５５ＡＢ２の間の、形成された材料８０１の上に配置される。
【０２０５】
各フィードスルー電極８５５ＡＣＦ１、８５５ＡＣＦ２は、それぞれ開口部０００と第２のエネルギ経路から離れるように外向きに伸びる第１のエネルギ経路および／または第１の拡張部分７９ＯＣＦ１、７９ＯＣＦ２と、開口部０００に向かって内向きに伸びる第１のエネルギ経路および／または第１の拡張部７９ＩＣＦ１、７９ＩＣＦ２を有する。
【０２０６】
次に図５Ｄを参照すると、たとえば、図５Ｃと繰り返されて示されているが、図５Ｃと比べると１８０度回転および／または１８０度の方向に配置された点だけが異なる、同じそれぞれのコプラナ電極層８５５ＡＢ１が描かれている。２つの層が互いの上になるように配列されると、直接上か下に形成されたエネルギ経路および／または電極部分が互いに相補的に対になるように、フィードスルー電極８５５ＡＣＦ１、８５５ＡＣＦ２は反転し、それぞれ８５５ＢＣＦ１、８５５ＢＣＦ２になっている。
【０２０７】
図５Ａに示されるように、４つのエネルギ経路および／または拡張部分７９−Ｉ１、７９−Ｉ２、７９−Ｉ３、７９−Ｉ４は、開口部０００に対して内向きに伸び、エネルギ経路材料部分７９９の内側の周辺縁８０３−Ｉを越えて、内側の絶縁部８１４−Ｉを介して、形成された材料８０１の内側の周辺縁８１７−Ｉに伸びる。逆に、図５Ｂに示されるように、拡張部分７９−Ｏ１、７９−Ｏ２、７９−Ｏ３、７９−Ｏ４は、開口部０００から離れるように外向きに伸び、電極本体部分７９９の外側の周辺縁８０３−Ｏを越えて、外側の絶縁部８１４−Ｏを介して、形成された材料８０１の外側の周辺縁８１７−Ｏに伸びる。
【０２０８】
図５Ｅと図５Ｆでは、プラナ形状のエネルギ経路の代替のバージョンは、材料８０１の層の部分の上に配置され、および／またはプラナ形状の材料層として種々のシーケンスで作成および／または製造され、図５Ｅと図５Ｆに示されるように、少なくとも１つの他の対応する層から分離されているエネルギ経路である（注：特にエネルギ経路は他の材料の部分の上に配置されるか、および／または単一に製造され配置されるか、および／または、たとえば単一層の一部および／または単一層と連続して形成される。これは、ほとんど任意の新しい典型的な実施形態の配列に関して、本明細書に示されているといないにかかわらず、すべての典型的な実施形態について当てはまる）。
【０２０９】
図５Ｅと図５Ｆでは、材料８０１の層のみが環状の形状であるかおよび／または、８０１部分はこの部分を貫通する開口部を伴う。具体的には、これらの実施形態の層では、プラナエネルギ経路および／またはプラナ電極は複数の形成された本体部分８０として形成される。開示されたほとんど任意のエネルギ経路および／または電極と同様に、形成されたセクションはバイパス形状の配列を有するバイパス電極および／またはフィードスルー形状の配列を有するフィードスルー電極であり、混合されるかおよび／または分離される。
【０２１０】
図５Ｅと図５Ｆを参照すると、８５５ＡＡと８５５ＡＢのエネルギ経路８０は図５Ａと図５Ｂの８５５ＡＢと８５５ＡＢのエネルギ経路８０と非常に似ている。８５５ＡＡと８５５ＡＢのエネルギ経路８０は、互いに離れて相対する位置に配置され、図に示されているように同じ大きさと形状の関係であり、形成された材料８０１の上に配置される。８５５ＡＡと８５５ＡＢの拡張部分７９−Ｏ１と７９−Ｏ２は非常に似ており、開口部０００に対して外向きに伸び、電極本体部分７９９の外側の周辺縁８０３−Ｏから、外側の絶縁部分８１４−Ｏを介して、形成された材料８０１の外側の周辺縁８１７−Ｏへ伸びる。
【０２１１】
再び図５Ｅを参照すると、８５５ＡＡと８５５ＡＢの拡張部分７９−Ｉ１と７９−Ｉ２は非常に似ており、開口部０００に対して内向きに伸び、電極本体部分７９９の内側の周辺縁８０３−Ｉから、内側の絶縁部分８１４−Ｉを介して、形成された材料８０１の内側の周辺縁８１７−Ｉに伸びる。
【０２１２】
再び図５Ｅを参照すると、複数のフィードスルー形状の部分のエネルギ経路８５５ＡＣＦ１と８５５ＡＣＦ２は、互いに対して離れて相対する方向に配置されており、ここでは同じ大きさと形状の関係で描かれているが必ずしもそうである必要はなく（すでに開示したように）、バイパスエネルギ経路および／または電極８５５ＡＢ１と８５５ＡＢ２の間で、形成された材料８０１上に配置される。
【０２１３】
次に図５Ｆを参照すると、これはたとえば、図５Ｅに示された同じそれぞれのエネルギ経路層を描いているが、２つの層が互いに重なった位置に配列されたとき、直接上と直接下の、形成されたエネルギ経路および／または電極部分が互いに相補的に対になるように、仮想軸の上で９０度回転および／または９０度の方向になっている点だけが異なる。この差は、種々の拡張部分の向きにあり、典型的なエネルギ経路および／または電極に、別の変形例を可能にする。
【０２１４】
次に図６Ａ、図６Ｂ、図６Ｃ、図６Ｄを参照すると、図６Ａには、環状形状の材料部分８０１上に配置された導電材７９９の環状形状の本体部分８１を有する、プラナで環状形態のシールド側電極層８００が示されている。同様に次に図６Ｂを参照すると、図６Ｂには、形成された材料部分８０１上に配置された導電材７９９の、形成された本体部分８１を有する、プラナで形成された電極層８００が示されている。
【０２１５】
特に材料８０１に示されるように、これらの典型的な形成された実施形態の部分は環状形状の形態を有し、各電極８００と８００に関して導電性の材料７９９の形成された本体部分８１より大きい。材料８０１の外側の周辺縁８１７−Ｏは、各電極８００と８００に関して電極本体部分７９９の外側の周辺縁８０３−Ｏより大きく、電極本体部分７９９の外側の周辺縁８０３−Ｏと隣接し平行である、少なくとも１つの既定の部分の位置に沿って、単に電極材料７９９がない部分として延びる外側の絶縁部８１４−Ｏを形成する。材料８０１の内側の周辺縁８１７−Ｉはエネルギ経路および／または電極本体部分７９９の内側の周辺縁８０３−Ｉより小さく、開口部０００に対して隣接して平行に、また、エネルギ経路および／または電極本体部分７９９の内側の周辺縁８０３−Ｉに隣接して平行に伸びる、内側の絶縁部８１４−Ｉを形成する。
【０２１６】
これらの実施形態の形成されたエネルギ経路および／または電極はまた、電極８００の開口部０００に対して外向きに伸び、また、電極８００の開口部０００に対して内向きに伸びるか、および／または、他の配列では電極本体８１部分から外向きと内向きの両方に伸びることのできる、少なくとも１つのエネルギ経路拡張部分（および／または単に「拡張部分」）を備える。
【０２１７】
図６Ａに示されるように、４つのエネルギ経路および／または拡張部分７９Ｇ−Ｉ１、７９Ｇ−Ｉ２、７９Ｇ−Ｉ３、７９Ｇ−Ｉ４（全部は図示せず）は、開口部０００に対して内向きに伸び、エネルギ経路材料部分７９９の内側の周辺縁８０３−Ｉを越えて、内側の絶縁部分８１４−Ｉを介して、形成された材料８０１の内側の周辺縁８１７−Ｉに伸びる。
【０２１８】
逆に図６Ｂに示すように、拡張部分７９Ｇ−Ｏ１、７９Ｇ−Ｏ２、７９Ｇ−Ｏ３、７９Ｇ−Ｏ４（全部は図示せず）は、開口部０００に対して外向きに離れるように伸び、電極本体部７９９の外側の周辺縁８０３−Ｏを越えて、外側の絶縁部８１４−Ｏを介して、形成された材料８０１の外側の周辺縁８１７−Ｏに伸びる。
【０２１９】
図６Ｃに示されるように、８００および／または８"ＸＸ"シールド側経路は、少なくとも２つの共通エネルギ経路に分割され、これは、示されているように、開口部０００に対して外向きと内向きにそれぞれ伸び、エネルギ経路材料部分７９９の種々の周辺縁８０３−’Ｘ’を超えて、内側の絶縁部８１４−’Ｘ’を介して、形成された材料８０１の内側／外側周辺縁８１７−’Ｘ’に伸びるように作成された拡張部の対７９Ｇ−Ｉ’Ｘ’（全部は図示せず）を有する。これが、図７Ａに示されている配列と置き換えた場合に、他のタイプのシールド側配列のタイプを開示するシールド側配列である。
【０２２０】
こうして、図８のシーケンスを有する８００および／または８"ＸＸ"シールド側経路を使用するエネルギ調節配列は、たとえば、互いに導電的に結合された、実質的に同じ大きさと形状の図５Ｅの２つの８５５ＡＡである第１の複数のエネルギ経路を少なくとも有するという特徴がある。ついで、第２の複数のエネルギ経路は、互いに導電的に結合された、実質的に同じ大きさと形状の図５Ｆの２つの８５５ＡＢであってもよい。さらに、少なくとも第１の複数のシールド側エネルギ経路は、互いに導電的に結合された、実質的に同じ大きさと形状の図６Ｃの３つのＣＯＭ１であってもよく、第２の複数のシールド側エネルギ経路は、この例では互いに導電的に結合された、実質的に同じ大きさと形状の、図６Ｃの３つのコプラナＣＯＭ２であってもよい。これらのエネルギ経路は、本明細書の開示を通じて完全に説明されるように、散らばった位置に配置される（図８Ａでは適切なエネルギ経路層にそれぞれ置き換えられる）。従って、この配列により、第２の複数のエネルギ経路から第１の複数のエネルギ経路を少なくともシールドする第１の複数のシールド側エネルギ経路と、第１の複数のエネルギ経路から第２の複数のエネルギ経路を少なくともシールドする第２の複数のシールド側エネルギ経路とを作ることができる。さらに、第１の複数のシールド側エネルギ経路と第２の複数のシールド側エネルギ経路は（ＣＯＭ２とＣＯＭ１）、１つの典型的な実施形態では互いに導電的に分離されるか、および／または、異なる配列例では互いに導電的に結合されることが想定されている。
【０２２１】
図６Ｄに示されるように、８００および／または８"ＸＸ"シールド側経路は、中断部を有せず、開口部０００に対して外向きに伸び、電極本体部分７９９の外側周辺縁８０３−Ｏを越えて外側の絶縁部分８１４−Ｏを介して、形成された材料８０１の外側の周辺縁８１７−Ｏへ伸びる単一の拡張部７９Ｇ−Ｏ１を有する。
【０２２２】
図６Ｄの、逆の８００および／または８"ＸＸ"シールド側経路から、８００および／または８"ＸＸ"シールド側経路（完全には図示されないが、Ｃ８００および／またはＣ８"ＸＸ"シールド側経路として示されており、これは"Ｃ"は「逆」８００および／または８"ＸＸ"シールド側経路として使用される）へは、次のようなシーケンスを有する（エネルギ経路は通常、８０１材料の離れた電極部分を少なくとも有する）。図６Ｄの第１の８００および／または８"ＸＸ"シールド側経路、ついで、図５Ａの８５５ＢＡ、次に図６Ｄの第２の８００および／または８"ＸＸ"シールド側経路、ついで図５Ｂの８５５ＢＢ、ついで図６Ｄの第３の８００および／または８"ＸＸ"シールド側経路、ついで少なくとも１つであるが場合によってはおそらく多数の材料８０１部分の層００８、または単に８０１の１つの部分、ついで、説明されたものと同様な図６Ｄの第１のＣ８００および／またはＣ８"ＸＸ"シールド側経路、ついで図５Ａの第２の’８５５ＢＡに似た’エネルギ経路、ついで説明したものと同様な図６Ｄの第２のＣ８００および／またはＣ８"ＸＸ"シールド側経路、ついで、図５Ａの第２の’８５５ＢＢに似た’エネルギ経路、ついで説明したものと同様な図６Ｄの第３のＣ８００および／またはＣ"ＸＸ"シールド側経路である。もちろん、出願者らはこの最小配列の変形例も十分想定しているが、離れたエネルギ配列は多くの可能な例のうち１つにおいてこのシーケンスに従っていてもよい。また、８００および／または８"ＸＸ"シールド側経路はすべて互いに導電的に結合され、Ｃ８００および／またはＣ８"ＸＸ"シールド経路は互いに導電的に結合されることにも注意されたい。マルチ回路配列８００および／または８"ＸＸ"シールド経路、およびＣ８００および／またはＣ８"ＸＸ"シールド側経路は互いに導電的に分離されて、たとえば同じ、典型的な実施形態タイプに関して低インピーダンスで動作可能なマルチ経路のマルチ分離共通経路を生成する。Ｃ８００および／またはＣ８"ＸＸ"シールド側経路は、異なる配列例でも互いに導電的に結合されると想定されることに注意されたい。
【０２２３】
これは、１つのタイプの均一に配列されたシールド側経路を使用する配列では異なる（たとえば図６Ｂなど）。もちろん、典型的な障害は環状である必要はなく、ほとんど任意の可能な３次元の層の配列で配列でき、開口部、バイアスなどがあってもよいしおよび／またはなくてもよい。したがって図２Ａのような実施形態は、回路配列の中に低インピーダンスの１つの共通経路用に７９Ｇ−１と７９Ｇ−３を有したシールド側エネルギ経路で配列し、７９Ｇ−２と７９Ｇ−４を有する他のシールド側エネルギ経路は、他の結合された回路配列内で低インピーダンスの別の共通経路に使用してもよい。配列と回路配列の可能性は幅が広く数も多い。
【０２２４】
図７Ａと図７Ｂを参照すると、図５Ｃ−図５Ｄのバイパスセクションと同様なすべてのバイパス電極セクションを使用したエネルギ調節配列要素の１つの離散した実施形態１００５が、多数の分離した回路へ結合するための典型的な、最小層のシーケンスとして示されている。
【０２２５】
配列された層の中のコプラナバイパス本体電極セクション８０の相補的な対が、複数のより大きな、同形状のシールド側電極８００、８１０、８１５の中に配列されて示されている。電極８００、８１０、８１５の同じ形状の各本体電極８１は、材料８０１の部分８００Ｐ、８１０Ｐ、８１５Ｐの上により大きな電極として形成されている。各コプラナ電極層は、少なくとも１つの拡張部分７９−’Ｘ’をそれぞれ有する４つの等しい大きさの本体電極部分８０を備える。
【０２２６】
各コプラナ電極層は、少なくともエネルギ経路８００、８１０、８１５を備える複数のシールド側エネルギ経路から、シールド側エネルギ経路の、少なくとも２つの形成された本体電極部分８１の間に配列される。複数のシールド側エネルギ経路からのシールド側エネルギ経路の各シールド側電極は、本体電極部分８１と連続した複数の拡張部分７９−’Ｘ’を有し、これらはそれぞれ、開口部０００に内向きに向かって伸び同時に開口部０００から離れるように外向きに向かって伸びている。図に示されるように、形成された材料８０１の層または層００８は、形成されたシールド側電極８１０の後に最後の層として配列される。
【０２２７】
第１のコプラナ層の形成されたエネルギ経路および／または電極８５５ＢＡ１、８５５ＢＡ２、８５５ＢＡ３、８５５ＢＡ４は、それぞれ製造スタッキングシーケンス内で第２のコプラナ層の、対応する、しかし方向が相対する、形成されたエネルギ経路および電極８５５ＢＢ１、８５５ＢＢ２、８５５ＢＢ３、８５５ＢＢ４と相補的に対になっていることに注意されたい。これは、連続した７９’Ｘ’拡張部分（複数可）がそれぞれ寄与する、追加された領域と形成を考慮すると発生する。連続する７９’Ｘ’拡張部（複数可）を考慮せずに、製造スタッキングシーケンスの中で対応する対が発生すると、形成されたエネルギ経路または電極のそれぞれの対応する対から、対応する形成されたエネルギ経路および／電極は重なり、８０３縁はそれに対応して並ぶ。従って本開示で以前に完全に説明したように、連続する７９’Ｘ’拡張部（複数可）だけは、種々のシールド側エネルギ経路のシールドを受け取らず、これは全体に適用される。
【０２２８】
次に図７Ｂ、図５Ａ、図５Ｂを参照すると、エネルギ調節配列要素の１つの離散実施形態１２０５は、多数の別の回路へ結合するための最小の外側の電極シーケンスとして示される、たとえば図５Ａ−図５Ｂ、または図７Ａのいずれかの層を使用することができる。
【０２２９】
エネルギ調節配列要素１２０５の図は、図７Ａの最小層シーケンス１００５を使用して示されている。第１のコプラナ層の各形成された電極部分８５５ＢＡ１、８５５ＢＡ２、８５５ＢＡ３、８５５ＢＡ４、第２のコプラナ層の各形成された電極部分８５５ＢＢ１、８５５ＢＢ２、８５５ＢＢ３、８５５ＢＢ４は、それぞれがそれぞれの外側の電極８９０Ａ〜８９４Ａに結合された少なくとも１つの拡張部を有し、内側の拡張部に関しては、それぞれ図７Ａの最小層シーケンス内のそれぞれの内側の電極８９０Ｂ〜８９４Ｂに結合される。
【０２３０】
図に示すように、各エネルギ調節配列要素１２０５の外側の拡張部は、外側の周辺縁８１７−Ｏに沿って配置された外側の電極部と導電的に結合され、それぞれの内側の拡張部は内側の周辺縁８１７−Ｉに沿って配置された内側の電極部に導電的に結合される。それぞれがシールド側エネルギ経路のそれぞれの拡張部７９’Ｘ’を伴う形成されたシールド側エネルギ経路８００、８１０、８１５は、それぞれ、外側の電極部７９８−Ｉ（複数可）と７９８−Ｏ（複数可）に導電的に結合される。
【０２３１】
次に図８Ａのエネルギ調節配列要素の別のタイプの典型的な環状形態の実施形態を参照すると、特にエネルギ調節配列要素１１０５は少なくとも１つまたは複数の別々の回路系（複数可）に結合する最小層シーケンスとして示されている。
【０２３２】
特に１つの例では、多くの典型的な実施形態は、互いに導電的に結合された複数の重なったエネルギ経路を備える（すなわちすべてのエネルギ経路は並んでいるだけではなく、シールドのために等しい大きさで等しい形状である）エネルギコンディショナとして開示することができる。従ってすべてが互いに等しい大きさで等しい形状の複数の電極は、少なくとも第１の電極対と第２の電極対を含み（この複数の電極はすべて、それぞれ少なくとも２つのシールド側電極によってはさまれてることからシールドを受ける）、これらはそれぞれ互いに導電的に分離されている。第１の電極対の各電極は、導電的に分離して配置され互いに相互に相対する方向で配置される（多くの場合、互いに対して直接相補的に相対している）。これはそれぞれ第２の電極対についても同じである。また、複数の重なった電極のうち任意の１つの電極（同じ複数の重なった電極の任意の他の１つの電極）が、第２の複数の電極の任意の１つの電極より等しく大きいことにも注意されたい。特に、電極のうち第１の対と第２の対はそれぞれ他からシールドされて配列される。これ以降、これらは対として、他に対して横の位置の方向で配置される。特に他の分離された回路部分のグループに対して、１つの回路部分グループを横に配置する必要性は、典型的な実施形態のＡＯＣ８１３の中の別々および／または分離されているが、相互にダイナミックな動作の間、ダイナミックなヌル関係を形成する効果を提供する。今説明したエネルギコンディショナのエネルギコンディショナまたはエネルギ経路および／または電極配列はさらに、複数の重なった電極と複数の電極がそれぞれ、すべてが既定の性質を有する複数の材料部分の少なくとも材料および／または材料の部分によって互いから離れた少なくとも複数の電極としておよび個別の電極となるように、この処理の中で以前に開示された性質などの既定の性質を有する材料を有する。
【０２３３】
次に図８Ａを参照すると、第１の複数の環状形態の電極対８５５ＢＡ、８５５ＢＢ、第２の複数の環状形態の電極対８６５ＢＡ、８６５ＢＢが、第３の複数の環状形状の電極８００、８１０、８１５、８２０、８２５の中に配列されて示されており、これら第３の複数の環状形態の各電極は、第３の複数の環状形態の電極の形成された各電極である（この実施形態に関して）。８００、８１０、８１５、８２０、８２５はそれぞれ、８００Ｐ、８１０Ｐ、８１５Ｐ、８２０Ｐ、８２５Ｐと示される等しい大きさと形状の材料８０１の上に形成される。各形成された電極８００、８１０、８１５、８２０、８２５は、開口部０００に向かって内向きに伸びる複数の拡張部分７９Ｇ−Ｉ’Ｘ’と、開口部０００から外向きに離れて伸びる複数の拡張部分７９Ｇ−Ｏ’Ｘ’とを有する。
【０２３４】
フィードスルー／バイパス配列では、対になった環状形状の電極８５５ＢＡ、８５５ＢＢ、８６５ＢＡ、８６５ＢＢはそれぞれ、７９’Ｘ’と示される少なくとも１つの拡張部を有する。環状形状の電極８５５ＢＡ、８６５ＢＡは開口部０００に向かって内向きに伸びる少なくとも２つの拡張部７９−Ｉ１と７９−Ｉ２を有し、環状形状の電極８５５ＢＢ、８６５ＢＢは開口部０００から離れて外向きに伸びる少なくとも２つの拡張部７９−Ｏ１と７９−Ｏ２とを有する。
【０２３５】
また、図７Ａと図７Ｂに示されるように、それぞれの電極の電極拡張部分は、それぞれの外側の電極部分８９０Ａ〜８９４Ａに結合されているが、各電極の内側の拡張部分は、最小層シーケンスのそれぞれの内側の電極部８９０Ｂ〜８９４Ｂに結合されていることが特に重要なので注意されたい。
【０２３６】
図示されてはいないが、電極対の結合電極部（複数可）および／または拡張部は、たとえば９０度などほとんど任意の相対する既定の角度で互いからオフセットすることができるが、ノイズエネルギをキャンセルする効果は１８０度の方向で相対して配置したときに最大になる。
【０２３７】
複数の電極の種々のグループは、少なくとも１つまたは複数の別々の回路系（複数可）への分離された結合を可能にする既定の方法および／またはシーケンスで配列される。第１の複数の環状形状の電極および第２の複数の環状形状の電極の各形成された電極は、第３の複数の電極の少なくとも２つの環状形状の電極の間に挟まれてシールドされて配列される。従って、第１の複数の環状形状の電極の形成された電極８５５ＢＡは、環状形状の電極８２５と８１５の間に挟まれてシールドされて配列され、第１の複数の環状形状の電極の形成された電極８５５ＢＢは、環状形状の電極８１５と８００の間に挟まれてシールドされて配列される。第１の複数の環状形状の電極の形成された電極８６５ＢＡは、環状形状の電極８００と８１０の間に挟まれてシールドされて配列され、第１の複数の環状形状の電極の形成された電極８６５ＢＢは、環状形状の電極８１０と８２０の間に挟まれてシールドされて配列される。材料００８の形成された層は、この典型的な実施形態で示された最後に形成された電極８２０の後に配置される。
【０２３８】
たとえば図８Ａに示されたスタッキングシーケンス１１０５は、少なくとも１つまたは複数の別々の回路系（複数可）に結合できるエネルギ調節配列要素に関して製造された配列の最小シーケンスを示すことを目的としている。キャパシタンスを増加させるために、第１の複数の電極および／または第２の複数の電極のそれぞれが、上述された電極対にシールドを提供しフィルタリングされたエネルギに最小インピーダンスの経路を提供する、第３の複数の電極の２つの電極の間に挟まれている限り、第１の複数の電極および／または第２の複数の電極のいずれかの追加の電極対を追加することができる。
【０２３９】
次に図８Ｂを参照すると、図８Ａの最小層シーケンスを使用したエネルギ調節配列要素１２０７の図が示されている。各拡張部は、エネルギ調節配列要素１２０７の外径の縁と内径の縁に沿って配置された外側の電極に導電的に結合される。第３の複数の電極８００、８１０、８１５、８２０、８２５の環状電極はすべて外側の電極部分７９８−１と７９８−Ｏに導電的に結合され、互いに導電的に結合される。逆に、環状電極対８５５ＢＡ、８５５ＢＢ、８６５ＢＡ、８６５ＢＢはそれぞれ互いから導電的に分離され、また、第３の複数の電極８００、８１０、８１５、８２０、８２５の環状電極からも導電的に分離される。
【０２４０】
図８Ａと図８Ｂの典型的な実施形態の、図８Ａと図８Ｂの代替の実施形態（本明細書で必要な図面の数を低減するためにここでも実施形態１１０５を使用してアイディアを開示する）は特に、環状エネルギ経路を有し、材料部分８０１は特にさらに、たとえば５００−１、５００−２、５００−３、５００−４と示される導電的、または非導電的バイアスまたは、絶縁導電バイアスとして機能する複数の開口部を含んでいてもよい。
【０２４１】
第３の複数のエネルギ経路８００、８１０、８１５、８２０、８２５はそれぞれ、材料８０１−Ｉの部分によって、導電バイアス５００−１−４から導電的に絶縁され、これはまた、図示されていてもされていなくても、単に開口部から電極への導電結合を防ぐ部分または領域であってもよい。特に示される典型的な実施形態では、複数のバイアスまたは開口部のうち１つは、第１の複数のエネルギ経路または第２の複数のエネルギ経路のうち１つの環状電極に導電的に結合され、既定の残りの複数のバイアスは、用途に応じて、同じ電極と導電的に結合されるかまたは絶縁される。従って、各バイアは最小配列では少なくとも１つの相補的な環状電極に少なくとも導電的に結合されるが、シールド電極に導電的に結合されることはない。しかし、導電的に結合される配列も完全に想定されており、完全に予想され開示される。
【０２４２】
この実施形態では、回路結合がバイアスを介して行われるので、第１の複数のエネルギ経路と第２の複数のエネルギ経路の電極拡張部はオプションである。バイアスは、伝導体が種々のエネルギ経路に対して導電的に結合されるか絶縁されるように、貫通して配置できるように、固体の導電材または導電開口部から配列するか、または、単に絶縁された開口部かまたは絶縁されていない開口部であってもよいことが重要であることに注意されたい。
【０２４３】
従って、開示された新しい実施形態は特に、相補的なより小さな（シールド側経路電極と比べた場合）経路電極対を組み込んだ、バランスの取れたシールド側電極アーキテクチャを使用することによって、低電圧回路用途と高電圧回路用との両方を同時に含む電気システムに適している。さらに、開示された新しいフィードスルー実施形態は特に、種々の低電流回路用途と高電流回路用途を備える多数の電気システムと組み合わせることができ、これに適している。また、電気的に相対する対になった動作のために配列された、同じ大きさで対になった等しい大きさのバイパスと相補的なフィードスルーエネルギ経路対を両方または混合した種々の異種の組み合わせは、説明したように、コプラナに配列するか、種々の伝播するエネルギの部分モードを使用するスタックされたコプラナ混合および一致した相補的な回路経路の両方と組みあわせることができることに注意されたい。
【０２４４】
次に図９を参照すると、シールド側エネルギ経路および／または相補的なエネルギ経路の外側の導電結合部分の種々のタイプは、説明したように、全部共に使用することもできるし、実施形態の組み合わせと混合することもできることに注意されたい。図示されるように、これらの外側の導電結合部分配列は、４９８ＳＦ１（Ｔ／Ｂ）、４９８ＳＦ２（Ｔ／Ｂ）、４９０Ａ、４９１Ａなどの外側の結合電極部分への種々の外側の差分経路（図示せず）の導電結合を含んでいてもよい。たとえば、外側の経路（図示せず）に沿って伝播し、図９の図面などの典型的な実施形態に入る、種々のそれぞれのエネルギ部分４００、４０１、４０２、４０３である。４９８ＳＦ１（Ｔ／Ｂ）（これはストレートフィードスルーエネルギ伝播である）において、１つの可能な接着／結合スキームは、外側の差分エネルギ経路（図示せず）が、各４９８ＳＦ１（Ｔ／Ｂ）の導電結合部分の上（図面の位置に対して）と、下（図面の位置に対して）で終わることを可能にすることに注意されたい。このタイプの導電結合では、実施形態全体で内部の相補的な経路の部分である、７９７ＳＦ１Ａに入り、７９７ＳＦ１Ｂから出て伝播するエネルギの部分はエネルギ調節を受け、ついで、図９の下の部分に示された４９８ＳＦ１Ｂの下（図面の位置に対して）に続いて出ると、外側の差分エネルギ経路（図示せず）の部分が結合される開始点で出る。この導電結合と伝播するエネルギの部分のスキームの変形は、通常は特に図９の４９８ＳＦ１Ｔへの入り口で終わる外側の差分エネルギ回路（図示せず）の部分が、外部で連続的になり、導電結合手段の点４９８ＳＦ１Ｔと４９８ＳＦ１Ｂの間を、図９の図面の典型的な実施形態の下を通過し、同時に、図９などの典型的な実施形態の内部を通過することを可能にする。従って、回路を伝播するエネルギの部分が特に典型的な実施形態（図示せず）の外側を通過し、さらに、実施形態１９２００を使用した内部フィードスルー経路を維持することが可能になる。もちろん、これらの伝播シナリオは４９８ＳＦ２（Ｔ／Ｂ）結合側に関しても同様にあてはまる。
【０２４５】
図１０は、電気的に相対する相補的な電極対４９７ＳＦ２と４９７ＳＦ１を示す。各相補的な電極４９７ＳＦ２と４９７ＳＦ１はそれぞれ、「分割」電極４９７ＳＦ２Ｂと４９７ＳＦ２Ａ、および、４９７ＳＦ１Ａと４９７ＳＦ１Ｂを備え、これらは特に図１０の１９２００などの典型的な実施形態の部分を備えるまっすぐなフィードスルー相補電極を形成する。親の４９７ＳＦ２と４９７ＳＦ１の各「分割」相補電極は、特に実施形態の中では近接して配置されるので、「分割」相補電極対４９７ＳＦ２Ｂと４９７ＳＦ２Ａ、および、４９７ＳＦ１Ａと４９７ＳＦ１Ｂは、電気的に画定されると単一のキャパシタプレート４９７ＳＦ２と４９７ＳＦ１として機能する。
【０２４６】
４９７ＳＦ２Ｂと４９７ＳＦ２Ａ、および、４９７ＳＦ１Ａと４９７ＳＦ１Ｂは、薄いエネルギ経路電極親４９７ＳＦ２と４９７ＳＦ１要素の、２つの近接した平行な対のユニットを備える。これらの二重プレート要素または「分割エネルギ経路」または「分割電極（sprit electrodes、分離電極、スプリット電極）」４９７ＳＦ２Ｂ＋４９７ＳＦ２Ａと、４９７ＳＦ１Ａ＋４９７ＳＦ１Ｂはそれぞれ、協力して、２つの相補的なエネルギ分割エネルギ経路電極「親」４９７ＳＦ２と４９７ＳＦ１の電気的に相対する対になった組を画定する。これらの電極要素はたとえば、使用可能な合計電極皮表部分を大幅に増加させ、回路１Ａなどの典型的な電圧を印加された回路の電流処理能力を対応して増加させるように促進および反応する。「分割エネルギ経路」または「分割電極」の使用によって、電流処理能力の対応する増大を促進しこれに反応するために使用可能な電極の合計皮表部分または面積を増大することによって、典型的な非「分割エネルギ経路」に対して、たとえば１９２００などのマルチ回路エネルギ調節構造の全体的な合計容積サイズの増加を最小にとどめることができる。この配列は、電流処理容量の同様な電極皮表合計部分または面積を有する。
【０２４７】
１９２００などの典型的な実施形態は、４９７ＳＦ２Ｂ＋４９７ＳＦ２Ａ、および、４９７ＳＦ１Ａ＋４９７ＳＦ１Ｂなどの「分割エネルギ経路」対および／または「分割相補電極」対の使用を可能にし、互いに対して数ミクロンの距離で、分割８１４Ｂに配置することを可能にする。こうして、この距離関係（複数可）は、これらの相補的なエネルギ経路に沿って伝播するエネルギの部分が、たとえば、４９７ＳＦ２Ｂ＋４９７ＳＦ２Ａ、および、４９７ＳＦ１Ａ＋４９７ＳＦ１Ｂの近接して配置された分割対が、回路１Ａ（図示せず）の中に現れ、説明した各「分割電極」のグループが、単一の相補的な電極として記述されるような方法で、４９７ＳＦ２Ｂ＋４９７ＳＦ２Ａ、および、４９７ＳＦ１Ａ＋４９７ＳＦ１Ｂの近接して配置された分割対を使用することを可能にし、これは、間に追加のシールド側電極を挟む配列を必要とせずに行うことができる。
【０２４８】
「分割」電極配列は、単一の「非分割」エネルギ経路グループ（複数可）対に対して、相対的な電力搬送機能を実質的に高めることができる一方、この機能はさらに、１９２００と１９２１０の実施形態などのほとんど任意の典型的な新しい実施形態の分圧機能を可能にし、さらに、エネルギ経路アーキテクチャの分圧機能およびバランス機能および／または能力を利用して、典型的な新しい実施形態自体の全体的な電流処理能力を高め、同時に、このような機能を実行しながら、同時に、種々のタイプの可能な実施形態を備える種々の４９９電極および／または材料要素に関して比較的ストレスの少ないエネルギ調節環境を維持することができるため、このような実施形態では通常期待できない全体的な大きさを低減させる。
【０２４９】
電極拡張部４９ＳＦ’Ｘ’は、伝播するエネルギの部分が、標準のまたは将来の業界の結合／接着手段および／または標準のまたは将来の接続／接着方法によって結合することができるかまたは結合されている、外部のエネルギ経路部分（全部は図示せず）から到着した後に、内部に配置された電極および／またはエネルギ経路を使用することを可能にする。
【０２５０】
さらに改善するために、図１０などに示された開示、実施形態に参照されたような一部の典型的な実施形態要素は、同じマルチ回路エネルギ調節実施形態内に提供されるマルチ回路高低電圧処理機能を可能にする能力を開示し、既定の電圧を印加された回路に使用される低電圧エネルギ調節機能と、高圧エネルギ経路を使用する回路の同時の機能を可能にし、特に同じマルチ層実施形態における調節機能を次に開示する。
【０２５１】
従って、たとえば図１０に示されるような、全体として一部の実施形態は、より小さな電極対（シールド側経路電極に対して）を組み込んだバランスの取れたシールド側電極アーキテクチャと、また、同じ大きさで対になったバイパス配列と対になったフィールドスルー配列の導電的で電気的に相対する電極を使用することによって優れた信頼性を提供する、低圧と高圧の両方の用途を含む電気系部分対の同時の組に適している。
【０２５２】
特に１９２００など新しい典型的な実施形態は、電極材料の分割相補電極平面の各組が通常は非分割使用構造と容積が同じかまたはわずかに小さい完全な１９２００を含むように見えるが、より明確な数の同じ大きさの分割、等しい大きさのフィードスルー導電相補電極を含む同じ大きさの非分割使用装置よりもより効率的で大きなエネルギ処理能力を伴うような方法で、互いに対して配置されるかまたは近接して配置される「分割」電極フィードスルーバージョンを備える。
【０２５３】
この差は、特に新しい実施形態は、より少ない層を使用し、より少ない部分を占め、より多くの回路導電結合を可能にするより多いエネルギ搬送またはエネルギ部分の伝播機能を可能にしながら、同時に、特に１９２００の新しい実施形態だけで小さな重大な配列の複数のエネルギ経路のマルチ回路エネルギ調節要求を処理することができることである。
【０２５４】
従って、それぞれ「親」の４９７ＳＦ１と４９７ＳＦ２を配列できる、４９７ＳＦ２Ｂ＋４９７ＳＦ２Ａ、および４９７ＳＦ１Ａ＋４９７ＳＦ１Ｂなどの近接して配置された分割対は、互いに挿入されて配置された少なくとも１つのより大きなシールド側エネルギ経路部分および／または電極によって互いから離れるかおよび／または分離されシールドされた、少なくとも２つの同じ大きさと形状の相補的で逆に配置されたエネルギ経路と画定でき、これが、それぞれ「親」の４９７ＳＦ１と４９７ＳＦ２を配列できる、４９７ＳＦ２Ｂ＋４９７ＳＦ２Ａおよび４９７ＳＦ１Ａ＋４９７ＳＦ１Ｂなどの近接して配置された分割対によって、たとえば、特に１９２００などの典型的な実施形態内の基準機能として、たとえば（図示せず）回路２Ａに関してエネルギ調節と電圧基準を共有するように動作することができる。
【０２５５】
再び図１０を参照すると、別の典型的な層状のエネルギ経路および／または電極と材料８０１の配列の組み合わせが、エネルギ調節配列要素１９２００として示されている。外側の結合電極部分４９８ＳＦ２Ｂ、４９８−１、４９８ＳＦ１Ａ、４９１Ａ、４９８ＳＦ１Ｂ、４９８−２、４９８ＳＦ２Ａ、４９０Ａはそれぞれ、１９２００の離散本体を囲む、それぞれの外側の導電結合構造描写によって示されている。１９２００などの典型的なマルチ回路エネルギ調節配列要素は、外側の共通エネルギ経路または共通エネルギ部分（完全には図示せず）と共通に結合するために、２つの外側の共通結合電極４９８−１と４９８−２とを備えていてもよい。ストレートフィードスルー外側結合対称相補電極４９８ＳＦ１Ａ＋４９８ＳＦ１Ｂと、対称的で相補的な電極４９８ＳＦ２Ａ＋３９８ＳＦ２Ｂ（完全には図示せず）は、第１の回路経路の、第１の外側の差分エネルギ経路（図示せず）と第２の外側の差分エネルギ経路（図示せず）へ外側の差分経路導電結合するためである。最後に、バイパス外側結合電極４９０Ａと４９１Ａは、第２の回路経路の第３の外側の差分エネルギ経路と第４の外側の差分エネルギ経路（図示せず）へ差分導電結合するためである。
【０２５６】
８００’Ｘ’と示される種々のシールド側電極コンテナ内に含まれ、重なるフィールドエネルギと重なる物理９００’Ｘ’ケージ状シールド構造の中に配置された各内部の相補的な電極４９７ＳＦ１、４９７ＳＦ２、４５５ＢＴ、４６５ＢＴ（完全には図示せず）を、これらの電極経路に沿い、同時に、これらの対称的で相補的な電極４９７ＳＦ１、４９７ＳＦ２、４５５ＢＴ、４６５ＢＴに電圧が印加されたときに生成される第１または第２の別のおよび／または分離した回路内を伝播するエネルギの部分の方向に沿って、エネルギ調節を提供する、内部の相補的な電極４９７ＳＦ１、４９７ＳＦ２、４５５ＢＴ、４６５ＢＴ（完全には図示せず）の機能の点で説明する。
【０２５７】
１９２００に電圧が印加された配列では、１９２００の８１３ＡＯＣに入るエネルギの部分は、相互接続され、共有され、組み合わされたシールド側電極構造９００Ｂ＋９０００Ａ＋９００Ｃを離して配置することによって生成されるゼロインピーダンス経路または「穴」をほとんど即時に形成するために行われ、これは、対称的で相補的な電極４５５ＢＴと４６５ＢＴ（図示せず）のほとんど完全に包まれた組を伴う１９２００の部分を備え、同時に、対称的で相補的な電極４９８ＳＦ１Ａ＋４９８ＳＦ１Ｂと対称的で相補的な電極４９８ＳＦ２Ａ＋４９８ＳＦ２Ｂを、シールド側電極コンテナ８００Ｃ、８００Ｄ、８００Ｅ、８００Ｆの中に備え、これは、組み合わされたシールド側電極構造９００Ｂ＋９００Ａ＋９００Ｃを形成し、これはさらに、図１０の単一シールド側配列を形成する（しかし番号は付いていない）。
【０２５８】
従って、１９２００などの典型的な実施形態は、調和した相補的な方法で互いに相互作用するＡＯＣ８１３内の逆位相のエネルギ（図示せず）のダイナミックな収束のために動作可能であり、同時に、逆位相のエネルギの同じダイナミックな収束が、ダイナミックに生成したゼロインピーダンス状態を作成、利用、使用する助けとなり、エネルギの一部が、ＡＯＣ８１３の影響の外側に伝播し、外側の共通エネルギ経路６８０３に伝播することを可能にする。内部の共通の電極材料４９９Ｇと、４９９Ｇ、または種々のシールド側共通電極８００／８００−ＩＭＣ、８１０Ｆ、８２０Ｆと他の導電的に結合された"８"ＸＸ"シールド電極の「皮」（完全には図示せず）が形成する導電表面に沿って配置される材料４９９Ｇの部分は、同時にＣ１とＣ２のエネルギ部分によって使用されると、４６５ＢＴ、４５５ＢＴ、４９７ＳＦ１、４９７ＳＦ２などのそれぞれの相対する対称的で相補的な電極対によって間接また直接に補助し、これはまた、非導電的な結合の方法で、伝播するエネルギの部分および回路電圧基準部分に関して同じ外側の共通エネルギ経路６８０３を使用する。
【０２５９】
同時に、より大きな８１０Ｆシールド側電極は２つの電気的に相対する相補的なバイパス電極の間に配置されるが、逆鏡状に配置されるので、４５５ＢＴと４６５ＢＴは同時に８１０Ｆを使用し、これは、特に１９２００などの典型的な実施形態のこのセクションに沿って伝播するエネルギの部分が、４５５ＢＴと４６５ＢＴの相補的な電極の両方に共通な共通エネルギ経路６８０３の外で、また共通エネルギ経路６８０３の上に移動することを可能にする。４５５ＢＴと４６５ＢＴの相補的な電極の両方は、同時に、エネルギの他の部分のエネルギ部分伝播のために同じ共通エネルギ経路６８０３を使用する、相対する等しい大きさの電極対４９７ＳＦ１、４９７ＳＦ２を使用する他の動作回路（特に）と電気的に直列に動作する必要はない。
【０２６０】
第２の回路系の４９７ＳＦ１、４９７ＳＦ２の等しい大きさの経路に沿って動作可能に動く（図示せず）エネルギの部分の伝播はもちろん、９００Ｂ、９００Ｃ、９００Ａを配列する同じ内部の共有された共通エネルギ経路／内部電極シールド８２０Ｆ、８１０Ｆ、８００、８１０Ｂ、８２０Ｂの上に移動する。共通エネルギ経路を使用するエネルギの一部は、シールド側電極拡張部４９’Ｘ’（完全には図示せず）と、導電結合手段６８０５（次に説明する）を通って、共通エネルギ経路または外側の共通エネルギ経路６８０３の上に出る。
【０２６１】
先に説明したように、１９２００（図示せず）からもともと外部の伝播するエネルギの部分がとる種々の回路動作伝播と調節は、一部の実施形態ではコプラナに配列された多数の方向に沿って伝播するエネルギのこれらの部分が動くように、種々の外部に配置されたエネルギ経路と、内部の等しい大きさのエネルギ回路経路／電極対（個々に、電極対は互いに等しい大きさと形状に対し、相対的に大きさと形状が決められる）に沿って、電圧印加後、ほとんどの部分で同時に生じ、その間のほとんどのポイント（図示せず）が、既定の方法で説明された種々のエネルギ調節機能を受けることができる。
【０２６２】
エネルギ伝播が同時に発生している間、他のエネルギの部分は内部で共有された共同する共通エネルギ経路／内部電極シールドの相互作用と存在によって形成された低インピーダンス経路を伝播する。この共通エネルギ経路／内部電極シールドは、内部で共有され、相互結合され、共同する共通エネルギ経路／内部電極シールド８２０Ｆ、８１０Ｆ、８００／８００−ＩＭＣ、８１０Ｂ，８２０Ｂを備え、これは導電的なケージ状シールド構造９００Ｂ、９００Ｃ、９００Ａと、同時に、追加のオプションの８５０Ｆ／８５０Ｆ−ＩＭ、８５０Ｂ／８５０Ｂ−ＩＭイメージ／シールド電極を配列し、このほとんどは、電気的に相対する外側のエネルギ回路経路の２つの組と電気的および導電的に異なる。共通エネルギ経路（図示せず）を使用するエネルギの一部は、シールド側電極拡張部４９’Ｘ’（図示せず）と、外側の導電的な結合手段６８０５（次に説明する）を通って、共通エネルギ経路の上、または、外側の共通エネルギ経路６８０３の上に出る。
【０２６３】
また、１９２００と結合された別の動作可能な各回路１Ａと回路２Ａ（それぞれ図示せず）の相補的な電極経路を伝播するエネルギの部分が、近い別の回路（図示せず）の他の任意の外側の経路、または外側の共通エネルギ経路６８０３自体のいずれかと物理的に接触することによって、電気的に一致またはショートすることを防ぐように、絶縁機能を有する材料８０１を、共通エネルギ経路または外側の共通エネルギ経路６８０３への共通結合と共に使用される導電接続手段および／または方法を分離するために使用できることに注意されたい。
【０２６４】
図１０に示されるように、６８０５と示される、結合、または抵抗フィットまたはばね張力などの物理的な結合のために動作可能なハンダ、または導電性の材料は、同じ部分または同じ外側の共通エネルギ経路６８０３に導電的に結合する手段を提供し、電圧を印加した後の共通エネルギ経路の導電的な結合と、最終的な共有される電圧基準ポイントまたはイメージ（図示せず）の生成を助けることができる。
【０２６５】
内部で共有され相互結合された、共同する共通エネルギ経路／内部シールド電極８２０Ｆ、８１０Ｆ、８００／８００−ＩＭＣ、８１０Ｂ、８２０Ｂを備えるエネルギ経路電極シールド側構造（完全には図示せず）は、より大きな導電ケージ状シールド構造９００Ｂ、９００Ｃ、９００Ａを配列し、同時に、追加でオプションの８５０Ｆ／８５０Ｆ−ＩＭと８５０Ｂ／８５０Ｂ−ＩＭイメージ／シールド電極をそれぞれ配列し、相補的なエネルギ経路ではなく電圧を印加されたエネルギ経路電極シールド側構造（完全には図示せず）の相対する側面に電気的に配置された、電気的に相対する相補的なエネルギ経路の各組に、比較的内部で０電圧または同電圧のバイアスされない（各回路に同時に従属する）基準、またはイメージ平面の形成を可能にする。
【０２６６】
各回路１Ａと２Ａ（図示せず）の各半分の、自己持続型で配置された回路電圧基準（図示せず）を使用し共有する機能は、電気的に相対する相補的なエネルギ経路対の各１／２に、各含まれる回路電圧（図示せず）を、１９２００の中に配置された電圧材料要素４５５ＢＴ、４６５ＢＴと、「分割」電極５９７ＳＦ１、「分割」電極４９７ＳＦ２の間で等しく分割し、これらが、内部で共有され、相互結合され、共同する共通エネルギ経路／内部電極シールド８２０Ｆ、８１０Ｆ、８００／８００−ＩＭＣ、８１０Ｂ、８２０Ｂを備える、内部で共有され、共同する共通エネルギ経路／内部電極シールドの部分全体にわたって互いに対して逆鏡像で電気的に同時に配置される（相補的な要素の各対になった組に対して）ことを可能にする、所望のエネルギ調節機能を提供する。これにより、導電的により大きなグループになったケージ状シールド構造９００Ｂ、９００Ｃ、９００Ａ、追加でオプションの８５０Ｆ／８５０Ｆ−ＩＭと８５０Ｂ／８５０Ｂ−ＩＭイメージ／シールド電極がそれぞれ配列され、これは、各電気的に相対する相補的なエネルギ経路対を備える、各相補的な電極が使用するように、相互結合された内部のシールド側電極構造の相対する側面を物理的に提供する。
【０２６７】
図１０、図９に示されたＡＯＣ８１３と、図１０に描かれまた図９と同様な典型的な実施形態の電圧を印加された１９２００実施形態内で構築された（developed、開発された、圧制された）受動調節ネットワークの部分をマーキングする位置のポイントをはじめ、特に１９２１０などの電圧を印加された実施形態内で発生する分圧ネットワークの一部がある。通常は、伝播するエネルギの部分に関して独自の別々のエネルギソースと独自の別々のエネルギ使用負荷に依存する各回路にそれぞれ結合された、少なくとも２つの別々のエネルギ回路経路（完全には図示せず）に導電的に結合された、特に１９２００などの実施形態を使用することによって、電気的に相対する相補的な経路対を備える単一の相補的な各回路経路によって提供される各回路ユニットの相対的な平行配置は実施形態内で動作できるが、シールド側電極構造の存在によって本質的に電気的にシールドされた保護的で互いにヌルの収束で動作し、これによってユーザは、静的に配置された電極材料要素と、種々のダイナミックに発生するエネルギ部分の伝播を効果的に使用する両方の回路要素の種々の回路エネルギの同時相互作用を使用するチャンスと利益を利用することを可能にし、この結果、隣接しあらかじめ位置が決められた電気的に相対するエネルギ経路に沿って見出される種々の形態のＲＦＩが抑制され、ＥＭＩエネルギが最小化され、寄生エネルギが抑制され、相互インダクタンスが相対キャンセルされる。
【０２６８】
図１０と図９から分かるように、４９１Ａと４９０Ａを備える右と左に配置されて描かれた相補的なバイパス経路（完全に図示されているわけではない）へ、外部から発するエネルギ部分が出るためのエネルギ出口ポイントは、互いに約１８０度の配置であるが、一方、特に１９２００などの典型的な実施形態の、４９８ＳＦ１Ａ、４９８ＳＦ１Ｂ、４９８ＳＦ２Ａ、４９８ＳＦ２Ｂ電極エネルギ出口／入り口ポイントは、互いに相対的に１８０度に配置される。４９８ＳＦ１Ａ＋Ｂと４９８ＳＦ２Ａ＋Ｂの外側の電極はまた、内部の共通シールド構造（完全には図示せず）の共通エネルギ経路６８０３（完全には図示せず）の、２つの４９８−’Ｘ’共通エネルギ出口ポイントの間で互いに平行な関係を保持し、このエネルギ出口ポイントのグループ４９８−’Ｘ’は、また互いに、バイパス結合電極４９０Ａと４９１Ａの物理的に１８０度の相対的な分離配置から９０度または垂直の配置関係であり、これは、４９８ＳＦ１Ａ＋Ｂと４９８ＳＦ２Ａ＋Ｂの外部の電極と導電的に結合された外部の電気的に相対する相補エネルギ経路回路の対２Ａ（図示せず）ではなく、別の、外部の電気的に相対する相補的なエネルギ経路回路の対１Ａ（図示せず）と導電的に結合される。
【０２６９】
図１０に提供される断面図は、８０６、８１４、８１４Ａ、８１４Ｂ、８１４Ｃ、８１４Ｄ（完全には図示せず）と示される他の重要な距離と分離関係が、描かれているように垂直な電極とエネルギ経路スタッキング配列に関してあらかじめ決定されているため、これらの距離と分離関係を示す。また、相対する相補的なエネルギ経路対４９８ＳＦ１と４９８ＳＦ２と４６５ＢＴと４５５ＢＴの、別々のおよび／または分離した回路対グループの種々のエネルギ経路位置方向は、たとえば４９８ＳＦ１Ａ＋Ｂ、４９８ＳＦ２Ａ＋Ｂ、４６５ＢＴ、４５５ＢＴの互いに対する９０度または直角の配置関係を利用し、また同時に、たとえば４９８ＳＦ１Ａ＋Ｂと４９８ＳＦ２Ａ＋Ｂの電気的に相対する相補的な電極経路の対になった組に沿って存在する１８０度の配置関係を利用するが、これは物理的な配置の利便性のみならず、これを使用して、この場合は、伝播するエネルギの部分についてすべてではない９０度の配置により通常は互いに対立しない可能なＨ場エネルギが受けるヌル効果を利用することに注意されたい。
【０２７０】
装置内の要素の分離距離のほとんどは、装置内に含まれる種々の電極経路構造と相対的であるが、多くのマルチ回路エネルギ調節用途が特定のシステム回路内のバランスの制御を維持するために絶対必要というわけではなく、これらの材料の距離関係は、実施形態の間隔の配慮と配置で等しくなければならないということに注意されたい。
【０２７１】
これらの対になった材料の量または距離に大きな変動または不一致があると、特に可能ではあるが最適ではない典型的な実施形態のほとんどの一般的な電気用途の回路バランスにとって有害である任意の偏差が生じる。
【０２７２】
分離距離８１４は、それぞれ、シールド側電極エネルギ経路コンテナ８００Ｃ、８００Ｄ、８００Ｅ、８００Ｆの間で測定された、間隔または分離の、用途に関連する既定の三次元的な距離または部分を必要とするが、これは、図１０に示されるように、共通シールド８１０Ｂと８２０Ｂと相補的なエネルギ経路４９７ＳＦ２とを備え、これらの構造の電極材料面または「皮」に沿って隣接するかまたは境を接した、１つの例では電圧を印加された状態でこのように画定された部分にあるエネルギ部分伝播に影響を与える部分を含む８００Ｆ、または、共通シールド８１０Ｂと８２０Ｂと相補的なエネルギ経路４６５ＢＴとを備え、これらの構造の電極材料面または「皮」に沿って隣接するかまたは境を接した、１つの例では電圧を印加された状態でこのように画定された部分にある伝播するエネルギの部分に影響を与える部分８００Ｆなどの８１０Ｆと８２０Ｆなどの、単一またはグループの「分割」相補的な電極を含む。
【０２７３】
分離距離８１４Ａは一般に、たとえば薄い材料８０１またはスペーサ等化物（完全には図示せず）または他のタイプのスペーサ（図示せず）を備える、共通電極経路８２０Ｂと共通電極経路イメージシールド８５０Ｂ／８５０Ｂ−ＩＭなど、多数の隣接する共通電極材経路の間にあるスペースの３次元分離距離または近さの一部である。
【０２７４】
分離距離８１４Ｃは、共通電極経路８２０Ｂなどの共通電極経路と相補的な電極経路４６５ＢＴなどの相補的な電極経路の間にある分離である。分離距離８１４Ｂは、相補的な「分割」エネルギ経路４９７ＳＦ１Ａと４９７ＳＦ１Ｂなどの相補的な「分割」エネルギ経路の間の垂直分割である。
【０２７５】
これらのダイナミックでスタティックな力（図示せず）の独特な組み合わせは、シールド側電極構造の抑制の中で、これを相補的な経路とは異なる共通エネルギ経路への導管として使用することによって、同時に発生する。従って、エネルギ経路、材料８０１、非導電材、電圧を印加された経路内で起きるダイナミックなエネルギ関係の間で、物理的な要素の距離とエネルギ場分離の種々の規則を使用し組み合わせることによって、新しい効用、マルチ回路エネルギ調節機能が提供される。
【０２７６】
電気的に相対する相補的な分割電極４９７ＳＦ１と４９７ＳＦ２は、相対する相補的な電極対として使用される同じ大きさの導電材料部分の対の１つの組を備える。これらの２つの同じ大きさの導電材料または電極部分はさらに、４つの異なるが近接した２つのユニットの対をグループとして備え、それぞれは薄い電極要素４９７ＳＦ１Ａ、４９７ＳＦ１Ｂ、４９７ＳＦ２Ａ、４９７ＳＦ２Ｂ、であって、ケーシング材料８０１の薄い層によってそれぞれの間で平行な関係によって分離および／または離れている。より具体的には、各導電的な電極材またはエネルギ経路４９７ＳＦ１と４９７ＳＦ２は、薄い導電的なプレート要素４９７ＳＦ１Ａ、４９７ＳＦ１Ｂ、４９７ＳＦ２Ａ、４９７ＳＦ２Ｂの近接した対を備え、これらは電気的に相対する４９７ＳＦ１と４９７ＳＦ２の相補的なエネルギ経路の対の合計の導電表面部分を効果的に２倍にする。この配列がスタックされたハイアラーキ連鎖を伴うより大きな汎用シールド側電極構造アーキテクチャを備えるシールド側電極構造要素配列を使用しているため、これらのシールド側電極に関してこれらのシールド側電極構造要素は合計電極表面部分を二重に有する必要はないため、関連技術のように、主入力または出力エネルギ部分伝播経路機能のエネルギを扱う必要がないため、各共通シールド側電極は同様に、共通の薄いシールド側電極要素の対応する近接して配置される対を備えないことに注意されたい。その代わりに、シールド側電極構造要素は、特に１９２００または、特に１９２１０などの典型的な実施形態の中で、ほとんどの場合、外部エネルギ経路（図示せず）ではなく、共通の追加エネルギ送達経路として使用される。
【０２７７】
電極要素対４９７ＳＦ１Ａ、４９７ＳＦ１Ｂ、および、４９７ＳＦ２Ａ、４９７ＳＦ２Ｂの間の間隔８１４Ｂは、動作性を可能にする約１．０ミリまたはこれ以下のオーダなどで望ましく最小化され、これはほとんど現在存在する製造誤差に依存し、電極材料エネルギ処理の性質は所望の効果を可能にするが、たとえば、挿入された等しい大きさで共通のエネルギ経路電極８１０Ｂ、４９７ＳＦ２Ａ＋４９７ＳＦ２Ｂ、８２０の間にある距離８１４Ｃと８１４は、８１４Ｃの分離より実質的に大きい。
【０２７８】
各「分離」電極経路対は一般に、導電部分の大きさが同じであるが、好ましくは、分割の相手に対しても同じであるので、４９７ＳＦ２Ｂ、４９７ＳＦ２Ａ、４９７ＳＦ１Ａ、３９７ＳＦ１Ｂと示される双子のプレートはそれぞれ、他の逆になった電極材料の鏡像に過ぎないことに注意されたい。しかし、電気的に相対し、同じ大きさで、４９７ＳＦ２Ｂと４９７ＳＦ２Ａ、４９７ＳＦ１Ａと４９７ＳＦ１Ｂをそれぞれ備える電極対４９７ＳＦ２、４９７ＳＦ１は、特に１９２００などの典型的な実施形態内でその位置に対して全体として互いに逆の鏡像とみなされる。
【０２７９】
次に、特に１９２００などの実際の実施形態について、これらの特定のエネルギ経路構造のうち１つを製造する製造シーケンスを、図１０の離散変形例１９２００Ａについて概説し説明する。まず材料８０１を付着または配置し、ついで、電極材料４９９Ｇを積層させて８５０Ｂ／８５０Ｂ−ＩＭを配置し、ついで、材料８０１または８０１’Ｘ’の８１４Ａの薄い層またはスペーサを形成し、ついで、電極材４９９Ｇの積層を付着させて、８２０Ｂのシールド側経路を形成する。この積層の次に、材料８０１の層を形成して、スペーサ８１４Ｃを確立し、ついで、電極材料４９９Ｇを積層して、エネルギ経路４９７ＳＦ２Ａを形成し、ついで、材料８０１または８０１’Ｘ’の８１４Ｂの薄い積層またはスペーサを形成し、ついで、４９９Ｇ電極材を積層してエネルギ経路４９７ＳＦ２Ｂを形成し、ついで、材料８０１の８１４Ｃ塗布を配置し、ついで、電極材４９９Ｇの積層を配置してシールド側電極経路８１０Ｂを形成し、ついで材料８０１で８１４Ｃを積層し、次に電極材４９９を積層してエネルギ経路４９７ＳＦ１Ａを形成し、ついで材料８０１または８０１’Ｘ’の８１４Ｂの薄い積層またはスペーサを作成し、ついで、電極材料４９９を別に積層してエネルギ経路４９７ＳＦ１Ｂを形成し、ついで材料８０１で８１４Ｃを積層し、ついで電極材料４９９Ｇを積層して、シールド側電極経路８００／８００−ＩＭＣを形成するが、これは特に１９２００などの典型的な実施形態の共有された中央シールド側電極配列バランス点であり、ついで材料８０１で８１４Ｃを積層し、ついで４９９電極材料を積層してバイパス電極経路４５５ＢＴを形成し、ついで材料８０１で８１４Ｃを付着させ、ついで、電極材４９９Ｇを積層して共通エネルギシールド側電極経路８１０Ｆ、材料８０１の８１４Ｃ、電極材料の層４９９を形成して、バイパス電極経路４６５ＢＴを形成する。ついで、材料８０１の８１４Ｃを形成し、ついで共通エネルギシールド側電極経路８２０Ｆ、ついで材料８０１の非常に薄い層８１４Ａ、ついで、電極材料４９９Ｇを積層して、共通エネルギシールド側電極経路８５０Ｂ／８５０Ｂ−ＩＭＯを形成し、最後に、材料８０１を付着または配置して、１９２００の物理的なスタッキング組成の基本的な層構造と支持要素の一部を備える。
【０２８０】
次に図１１を参照すると、以前に図１０に示された経路配列例１９２００は、図１１は１９２１０の実施形態の変形例という点で修正され、ここでは第１のバイパス電極対４５５ＢＴと４６５ＢＴが、分割フィードスルー電極経路４９７Ｆ４Ａと４９７Ｆ４Ｂおよび４９７Ｆ３Ａと４９７Ｆ３Ｂと置き換えられ、一方、４９７Ｆ１Ａ、４９７Ｆ１Ｂおよび４９７Ｆ２Ａ、４９７Ｆ２Ｂの「分割」電極フィードスルー電極経路を備える１９２００の底部分（図の位置に対して）は、依然として、特に１９２１０の実施形態のエネルギ調節回路配列要素を形成し、２つの別々の外部の電気的に相対する相補的なエネルギ経路に導電結合できるようになっている。２つの別々のエネルギ経路を備える導電的な結合は、完成したエネルギ調節回路配列要素１９２１０Ａの上面図（図面の位置に対して）である図１２に示されている。
【０２８１】
次に図１２を参照すると、図１１に示された配列１９２１０は、少なくとも配列１９２１０Ａの要素を伴う完成したエネルギ調節配列要素として示されており、ここでは種々のエネルギ使用負荷とエネルギソースに結合するための外部の相対するエネルギ経路またはトレース（図示せず）を有するＰＣＢの層６８０６（大きな外側の円の一部として表されている）の上に搭載されている。外部の結合電極４９８−１、４９８−Ｆ１Ａ、４９８−Ｆ２Ａ、４９８−２、４９８−Ｆ４Ａ、４９８−Ｆ３Ｂ、４９８−３、４９８−Ｆ１Ｂ、４９８−Ｆ２Ｂ、４９８−４、４９８−Ｆ４Ｂ、４９８−Ｆ３Ａはそれぞれ、それぞれの外側の結合電極構造によって示され、図１２の配列要素本体を囲んでいる。層６８０６の下の、別々のおよび／または、絶縁または材料８０１（図示せず）によって分割されたＰＣＢの第２の導電部分または層または共通エネルギ経路６８０３（円６８０６の中の大きな四角の部分として表されている）は、絶縁または材料８０１（完全には図示せず）によって層６８０６とは別および／または層６８０６から分離された、共通エネルギ経路と回路電圧イメージ基準ノードＣＲＮ（図示せず）を備える。１９２１０Ａなどの各エネルギ調節配列要素は、導電開口部または満たされたバイアス６８０４による導電結合手段（図示せず）によって、外側の共通エネルギ経路または部分６８０３に結合された、４つの外側の結合帯または電極４９８−１、４９８−２、４９８−３、４９８−４を備える。導電開口部または満たされたバイアス６８０４は、絶縁部６８０４Ｂによって層６８０６から絶縁されている。１９２１０Ａなどのエネルギ調節配列要素を通って伝播するエネルギ部分を次に説明する。
【０２８２】
次に１９２１０Ａなどのエネルギ調節配列要素に結合された第１の回路を参照すると、エネルギの部分はエネルギの流れの矢印に沿って、エネルギソース１からエネルギ経路（完全には図示せず）に沿って外側のクロスオーバフィードスルー結合電極４９８−Ｆ１Ａへ、分割フィードスルー電極経路４９７Ｆ１Ａ−Ｂに沿って配列要素１９２１０Ａの反対側にある外側の結合電極４９８−Ｆ１Ｂへ、外側のエネルギ経路（完全には図示せず）に沿ってエネルギ使用負荷−１へ伝播する。
【０２８３】
ついでエネルギの部分は、エネルギ使用負荷−１からエネルギ経路（完全には図示せず）に沿って外側の結合電極４９８−Ｆ２Ａへ、ＡＯＣを介して分割フィードスルー電極経路４９７Ｆ２Ａと４９７Ｆ２Ｂに沿って配列要素１９２１０Ａの反対側にある外側の結合電極４９８−Ｆ２Ｂへ、ついで、外部のエネルギ経路（完全には図示せず）に沿ってエネルギソース−１に戻るように伝播する。
【０２８４】
１９２１０Ａなどのエネルギ調節要素に結合された第１の回路を参照すると、エネルギの部分は、エネルギの流れの矢印が示すように、エネルギソース２からエネルギ経路（完全には図示せず）に沿って外側の結合電極４９８−Ｆ３Ａへ、クロスオーバ分割フィードスルー電極経路４９７Ｆ３Ａ−Ｂに沿って配列要素１９２１０Ａの反対側にある外側の結合電極４９８−Ｆ３Ｂへ、外側のエネルギ経路（完全には図示せず）に沿ってエネルギ使用負荷２へ伝播する。
【０２８５】
エネルギの部分はついで、エネルギ使用負荷２からエネルギ経路（完全には図示せず）に沿って外側の結合電極４９８−Ｆ４Ａへ、ＡＯＣを介して分割フィードスルー電極経路４９７Ｆ４Ａと４９７Ｆ４Ｂに沿って、配列要素１９２１０Ａの反対側の外側の結合電極４９８−Ｆ４Ｂへ、ついで、外部のエネルギ経路（完全には図示せず）に沿ってエネルギソース２に戻るように伝播する。
【０２８６】
上記の説明は、１９２１０Ａなどのエネルギ調節配列要素を介して通過するエネルギの部分の大部分について一般的な説明を提供するが、配列要素の調節機能を次に説明する。このように、それぞれ分割フィードスルー電極経路４９７Ｆ１Ａ、４９７Ｆ１Ｂ、および、４９７Ｆ１Ａ、４９７Ｆ１Ｂに沿って伝播するエネルギの部分は、より大きなグループの導電ケージ状またはケージ状シールド構造９００Ｂ、９００Ｃ、９００Ａを形成する内部の共有され共同する共通エネルギ経路／内部電極シールド８２０Ｆ、８１０Ｆ、８００／８００−ＩＭＣ、８１０Ｂ、８２０Ｂと、追加でオプションの８５０Ｆ／８５０Ｆ−ＩＭと８５０Ｂ／８５０Ｂ−ＩＭイメージ／シールド電極によって、内部と外部の影響から静電的および物理的にシールドされる。
【０２８７】
同時に、分割フィードスルー電極経路４９７Ｆ１Ａ、４９７Ｆ１Ｂ、および、４９７Ｆ１Ａ、４９７Ｆ１Ｂに沿って伝播するエネルギの部分は、アンペアの右手の法則にしたがって、伝播する方向に磁場または「Ｈ場」放射を有する。この磁場または「Ｈ」場は、対応する分割フィードスルー電極経路４９７Ｆ１Ａ、４９７Ｆ１Ｂ、および、４９７Ｆ１Ａ、４９７Ｆ１Ｂの対に沿って相対する一般的な方向で伝播するエネルギの部分が生成する、相対する磁場または「Ｈ」場によって部分的に相殺される。
【０２８８】
分割フィードスルー電極経路４９７Ｆ４Ａ、４９７Ｆ４Ｂ、および、４９７Ｆ３Ａ、４９７Ｆ３Ｂは、伝播するエネルギの部分が、分割フィードスルー電極経路４９７Ｆ１Ａ、４９７Ｆ１Ｂ、および、４９７Ｆ２Ａ、４９７Ｆ２Ｂを介して認められる、伝播するエネルギの部分に対して、９０度の角度の方向に向くように配列される。それぞれの「分割」電極対が９０度の角度の方向になっている、４９７Ｆ４Ａ＋４９７Ｆ４Ｂと４９７Ｆ３Ａ＋４９７Ｆ３Ｂなどの対になった分割フィードスルー電極経路、および、残りの分割フィードスルー電極経路４９７Ｆ１Ａ＋４９７Ｆ１Ｂと４９７Ｆ２Ａ＋４９７Ｆ２Ｂは、互いに対してそれぞれのＨ場伝播エネルギの部分に対して配列的にも破壊的にも最小の効果を有するので、各Ｃ１および／またはＣ２などへの効果を打ち消すかまたは無効にする。
【０２８９】
他のエネルギの部分は、導電的なより大きなグループになったケージ状のシールド構造９００Ｂ、９００Ｃ、９００Ａを配列する、内部で共有され相互結合された共同する共通エネルギ経路／内部電極シールド８２０Ｆ、８１０Ｆ、８００／８００−ＩＭＣ，８１０Ｂ、８２０Ｂに伝播し、また、追加でオプションの８５０Ｆ／８５０Ｆ−ＩＭと８５０Ｂ／８５０Ｂ−ＩＭイメージ／シールド電極はそれぞれまた集合として、共通導電開口部または満たされたバイアス６８０４によって外側の共通エネルギ経路または部分６８０３に導電的に結合される。このグループとなったシールド側電極経路に共通なマルチポイント結合は、基準電圧ノードの使用を強化し、電圧を印加したときに動作可能なほとんど任意の他の可能な高インピーダンスの経路に比べて低インピーダンス経路を確実に生成する。マルチ回路系部分に共通な低インピーダンスエネルギ経路は、回路１／１Ａと回路２／２Ａの過電圧およびサージ電圧の予防（示されている場合もあり示されていない場合もある）の両方を使用する他のエネルギの部分の調節を提供する補助となる。各電気的に相対する電極位置の対の間のエネルギ調節は、ＡＯＣ内でこれらの間だけでバランスをとるのではなく、各回路１／１Ａと回路２／２Ａが使用する基準電圧ノードに関してもバランスをとることに注意されたい。
【０２９０】
次に図１３Ａと図１３Ｂを参照すると、これまで描かれていなかった、ＧＮＤ’Ｘ"と示されるシールド側エネルギ経路部分と層の他の変形の配列が描かれており、これは、図１３Ａに示されたような１つまたは複数の種類の実施形態の層（複数可）の絶縁および導電エネルギ経路材料要素を備え、これらはついで、図１３Ｂに例が示される多くの配列の中に共に配置される。たとえば、示されたシールド側エネルギ経路層は、図１３Ａに示されているＧＮＤＡ，ＧＮＤＢ，ＧＮＤＣ、ＧＮＤＤ、ＧＮＤＥ，ＧＮＤＦ、ＧＮＤＧ、ＧＮＤＨと示された全般にプラナ状の絶縁／シールド側エネルギ経路層の中に形成され、種々の層の組み合わせに必要な絶縁／シールド側エネルギ経路層に関して材料７９９の部分と材料８０１の部分を両方備える（可能な組合せのいくつかの例が、図１３Ａと図１３Ｂに示されている）。
【０２９１】
図１３Ａでは、種々の示された絶縁／シールド側エネルギ経路層ＧＮＤＡ−ＧＮＤＨ、または絶縁／シールド側エネルギ経路層は、絶縁材または媒体８０１または分離帯８１４（これは単にシールド側エネルギ経路材料７９９によってカバーされていない暴露された層状の材料８０１のエネルギ経路縁８０５に沿った領域の一部また距離である）によって少なくとも部分的に囲まれたシールド側経路材料７９９を備える。シールド側経路材料７９９は特別ではないが、当業界で知られているものもあり知られていないものもある種々の導電材を使用することができ、その中には、電磁化合物、強磁性組み合わせ化合物などが含まれる。導電的にドーピングが適用された種々の材料、材料がエネルギの伝播について導電的な特性または性質をとるように一種の触媒を使用して化学的に配列された導電性の材料、および、開示されている場合もあり開示されていない場合もある（本明細書には図示せず）相補的な導電材のうちほとんど任意の導電材と組み合わせて同一な材料が使用できることに注意されたい。
【０２９２】
絶縁／シールド側エネルギ経路層ＧＮＤＦを除く、各絶縁／シールド側エネルギ経路層ＧＮＤＡ、ＧＮＤＢ、ＧＮＤＣ，ＧＮＤＤ，ＧＮＤＥ、ＧＮＤＧ，ＧＮＤＨは、通常は、ＧＮＤ’Ｘ’層のＧＮＤ’Ｘ導電部分の外部にある、共通導電領域または共通エネルギ経路への導電エネルギ経路接続を促進する、２つまたは２つ以上のエネルギ経路拡張領域を有する（７９−ＧＮＤ’Ｘ’と示される部分と種々の外部の導電付属部および／または導電部分は、一般的に７９８−’Ｘ’指示として知られる）。エネルギ経路拡張領域７９−ＧＮＤ’Ｘ’は、シールド側経路材料７９９のシールド側経路材料境界またはエネルギ経路縁８０５の中に伸び、ついで通常はこれを超えて、材料８０１を囲む境界線を介して、絶縁／シールド側エネルギ経路の外側の縁８１７に一致し、ついで、７９８−ＧＮＤＢ導電結合／終了部分または導電結合手段に一致する、シールド側経路材料７９９の一部に過ぎない。
【０２９３】
次に図１３Ｂを参照すると、Ａ、Ｂ、Ｃ、Ｄ、Ｅと示された５つの行を伴う４つの列のマトリックスが示され、マトリックスの各ボックスは、少なくとも１つの絶縁／シールド側エネルギ経路層を含む。各列は、２つの誘電／相補的なエネルギ経路層の対（図示せず）と組み合わせて、スタックされた配列で使用される、異なる配列の絶縁／シールド側エネルギ経路層を表す。この配列では、第１の絶縁／エネルギ経路層の対のうち１つの絶縁／エネルギ経路層は、行ＡとＢの絶縁／シールド側エネルギ経路層の間にスタックされ、第１の絶縁／エネルギ経路層の対のうち第２の絶縁／エネルギ経路層は、行ＢとＣの中の絶縁／シールド側エネルギ経路層の間に配列される。同様に、第２の絶縁／エネルギ経路層の対のうち１つの絶縁／エネルギ経路層は、行ＣとＤの中の絶縁／シールド側エネルギ経路層の間に配列され、第１の絶縁／エネルギ経路層の対のうち第２の絶縁／エネルギ経路層は、行ＤとＥの中の絶縁／シールド側エネルギ経路層の間に配列される。
【０２９４】
列１は、各誘電／電気的に相対する相補的なエネルギ経路層が、各誘電／電気的に相対する相補的なエネルギ経路層の上に配列された少なくとも１つの絶縁／シールド側エネルギ経路層ＧＮＤＢと、各電気的に相対する相補的なエネルギ経路層の下に配列された少なくとも１つの絶縁／シールド側エネルギ経路層ＧＮＤＢとを有するように、誘電／電気的に相対する相補的なエネルギ経路層（図示せず）の対の２つの組と共に使用できる、最小の数の絶縁／シールド側エネルギ経路層ＧＮＤＢ（この例では）を表す。ＧＮＤＢ層は、外部の導電部分または導電終了部分または共通接続手段である７９８−ＧＮＤＢの４つのユニットに導電接続／導電結合ができるようにし、ついでこれによって、典型的な新しい実施形態の内部に配置され典型的な新しい実施形態の一部を備える少なくとも２つの電気的に相対する相補的なエネルギ経路ではなく、外部の第３のエネルギ経路に共通に導電的に結合することを可能にする、７９−ＧＮＤＢ内部共通エネルギ経路拡張部の４つのユニットを有することに注意されたい。
【０２９５】
列２は、誘電／電気的に相対する相補的なエネルギ経路層の各対の、第１と第２の、誘電／電気的に相対する相補的なエネルギ経路層が、１つの絶縁／シールド側エネルギ経路層ＧＮＤＧによってのみ分離されている、絶縁／シールド側エネルギ経路層ＧＮＤＧの代替の配列を表す。しかし、誘電／電気的に相対する相補的なエネルギ経路層の各対は、絶縁／エネルギ経路層の各対の上に配列された少なくとも２つの絶縁／シールド側エネルギ経路層ＧＮＤＧを有し、誘電／電気的に相対する相補的なエネルギ経路層の各対は、絶縁／エネルギ経路層の各対の下に配列された少なくとも２つの絶縁／シールド側エネルギ経路層ＧＮＤＧを有する。
【０２９６】
列３は、可能な絶縁／シールド側エネルギ経路層の別の代替の配列を表すＧＮＤＡシールド側エネルギ経路層を描き、これは、列２に示されて使用されている層の配列の数と同じであるが、今度は、少なくとも２つの追加の絶縁／シールド側エネルギ経路層ＧＮＤＡが、誘電／電気的に相対する相補的なエネルギ経路層の各対の間に特に配置された、第１の中央の共通の導電的で共有されたシールド側エネルギ経路を挟んでいる点が異なる。ここで、第１の中央の共通で相互に共有されたシールド側エネルギ経路層を伴う２つの追加の共通シールド側エネルギ経路層ＧＮＤＡを導入し挟んだことにより、典型的な新しい実施形態のＡＯＣの中で動作する少なくとも２つの回路とは別の合計で３つの異なる共通シールド側エネルギ経路層が同時に、シールド側エネルギ経路構造を共有する。（行Ｃを参照のこと）。このタイプの配列に関するさらなる議論と開示を、図９に関して詳細に説明する。
【０２９７】
列４は、たとえばＧＮＤＡと示される種々の絶縁／シールド側エネルギ経路の可能な多数の代替の配列のうちさらに別の１つの配列を示すが、ほとんど任意のシールド側エネルギ経路グループまたは種に動作可能である。列４に関しては列３と異なり、ここではＧＮＤＡと示され、図４Ｃの配列のようにも配列できる３つの中央に配置されたシールド側エネルギ経路の代わりに、誘電／電気的に相対する相補的なエネルギ経路層の各対の間に配置された１つだけの絶縁／シールド側エネルギ経路層ＧＮＤＢがある。（列Ｃを参照のこと）。
【０２９８】
行Ｃ、列４に示される絶縁／シールド側エネルギ経路層ＧＮＤＢは、他の絶縁／シールド側エネルギ経路層ＧＮＤＡとは異なる配列で示されている。絶縁／シールド側エネルギ経路層ＧＮＤＢは、外部の導電結合部分７９８−ＧＮＤＢ（図示せず）に関して４つのエネルギ経路拡張領域を有する。このタイプの配列は、典型的な新しい実施形態に含まれる多くの可能な回路配列に対して、大きな可能性を生むことに注意されたい。たとえば、ＧＮＤＡ層の２つの側面には存在せず、ＧＮＤＢ層の側面上に配置された、２つの追加の７９−ＧＮＤＢ電極またはエネルギ経路拡張部は、必ずしも、２つの外部の７９８−ＧＮＤＢ（図示せず）エネルギ経路拡張部または共通終了構造または共通付属手段によって、第３の外部の共通エネルギ経路または領域に導電的に結合する必要はない。外部の導電的な結合部分７９８−ＧＮＤＢ（完全には図示せず）に導電的に結合する２つの追加の７９−ＧＮＤＢ（完全には図示せず）エネルギ経路拡張領域は、別の有効なエネルギソースに導電的に結合でき、これによって、これらの２つの外部の導電結合部分がエネルギソースに接続していない時、回路基準電圧またはイメージが、もともと、別の異なる実施形態の回路経路の対によって使用する共通に共有された回路電圧基準に対して調節できるようになる。このように、幅広い種類のハイブリッド能動／受動エネルギ調節実施形態を作成するチャンスが可能である。ＧＮＤＢシールド側エネルギ経路を、２つの相対する相補的なエネルギ経路（図示せず）および／または共通エネルギ経路（図示せず）の組のうちいずれにも電気的に共通ではない、追加の分離したエネルギ経路（図示せず）に対して、シールド側エネルギ経路８００／８００−ＩＭＣ−ＧＮＤＢに動作可能な、シールド側エネルギ経路の任意の部分の９９−ＧＮＤＢ拡張部分または直接導電結合によって、９９６−ＧＮＤＢの導電的な部分または導電終了部分または導電結合手段（図示せず）に選択的に結合するかまたは結合しないことにより、ユーザはたとえば、特にこのタイプの新しいエネルギ調節実施形態例に関してＡＯＣの部分内に含まれる１つまたは多数の分離した回路部分の対に沿って伝播するエネルギの部分が共通に同時に使用する、シールド側エネルギ経路８００／８００−ＩＭＣ−ＧＮＤＢへ、電圧またはエネルギバイアスおよび／または電荷を印加することができる。
【０２９９】
さらに、たとえばシールド側エネルギ経路８"ＸＸ"／８"ＸＸ"−ＩＭ"Ｘ"−ＧＮＤ"Ｘ"（図示せず）に対して動作可能な、９９８−ＧＮＤ"Ｘ"導電部分または導電終了部分または導電結合手段（完全には図示せず）への、シールド側エネルギ経路のうち任意の部分を、９９ＧＮＤ"Ｘ"拡張部を介するかまたは直接導電結合によって、ＧＮＤ’Ｘ"シールド側エネルギ経路の選択的な結合または非結合を介した、シールド側エネルギ経路（図示せず）の、２組の相対する相補的なエネルギ経路（図示せず）および／または共通エネルギ経路（図示せず）のいずれかへ電気的に共通ではないかおよび／または導電的に結合された、追加の分離したエネルギ経路（複数可、図示せず）への、既定の電圧を印加されたバイアス活性化によって、ユーザは、特にこのタイプの新しい、エネルギ調節実施形態（図示せず）に関して、ＡＯＣの部分の内部に含まれる１つまたは多数の分離した回路部分対（図示せず）に沿って伝播するエネルギ部分に共通で、これらのエネルギの部分が同時に使用する、たとえば、シールド側エネルギ経路８"ＸＸ"／８"ＸＸ"−ＩＭ"Ｘ"−ＧＮＤ"Ｘ"（複数可）へ、電圧またはエネルギバイアスおよび／または電荷を、印加することができる。
【０３００】
シールド側エネルギ経路の任意の部分の、９９８−ＧＮＤ"Ｘ"導電部または導電終了部または導電結合手段への（完全には図示せず）９９−ＧＮＤ"Ｘ"拡張部による結合または直接導電結合によって、導電的なシールド側エネルギ経路構造は、特定の用途に依存して選択的にタイミングが決められたスイッチ「オン」バイアスと「オフ」バイアスが可能になることに注意されたい。こうして、同様なシールド側エネルギ経路構造（図示せず）に関して可能な電圧を印加されないバイアスオプションとは逆に、典型的な新しい実施形態のシールド側エネルギ経路構造に関する、電圧を印加されたバイアス活性化および／またはバイアス非活性化は、典型的な新しい実施形態または装置（図示せず）のＡＯＣ内の、挙動と電気的な性能特性と、別々の、中に含まれる回路経路を使用するエネルギ部分の種々のエネルギ調節の効果とを変えることができる。不均一な９９−ＧＮＤ"Ｘ"拡張部のこのタイプのシールド側エネルギ経路配列は、中央に配列されたシールド側エネルギ経路だけに任されるのではなく、出願者は、分離された結合外側電極部分または、９９８−ＧＮＤ"Ｘ"などの外側のエネルギ経路部分の使用を介した、シールド側エネルギ経路の、ほとんど任意の既定の電圧を印加されたバイアス活性化を想定していることに注意されたい。
【０３０１】
図１３Ｂと図１３Ａを参照すると、種々の絶縁／シールド側エネルギ経路層の両方のタイプおよび数、および特定の配置の、可能なＧＮＤ’Ｘ"配列のほとんど任意の異質または同質な混合と一致は、ＧＮＤＡ〜ＧＮＤＨ層に示された例に限定されるのではなく、逆に、シールド側エネルギ経路導電領域が、導電エネルギ経路領域より大きいかまたは導電エネルギ経路領域と等しい領域を維持し、誘電／電気的に相対する相補的なエネルギ経路層のエネルギ領域が同じ配列内に使用されていることを条件として、シールド側エネルギ経路要素／誘電層が、物理的な支持と電気特性の両方に関して一種の誘電誘電層を使用するシールド側エネルギ経路を備える限り、これらのほとんど任意の変形例を使用できることに注意されたい。さらに簡単に触れておくが、演算増幅器、コンパレータ、またはセンサの不可欠な部分として動作可能な、典型的な新しい実施形態の非離散実施形態などの、典型的な新しい実施形態の他の非離散実施形態も想定される。
【０３０２】
演算増幅器は、２つの入力電圧を比較し、この電圧差の何倍もの出力電圧を生成することのできる、非常にゲインの高い差分電圧増幅器または装置である。絵運算増幅器は通常、演算増幅器のタイプに依存してこのタイプの減算と乗算プロセスを行うが、ほとんどの場合、２つの入力電圧は、並列回路の２つのエネルギ経路の間でどのように電流が共有されたかを制御する。入力電圧の間のわずかな差でも、２つのエネルギ経路の間には大きな電流差が生まれ、特に、より高い電圧入力が他の経路よりはるかに大きな電流を運ぶことによって制御されるエネルギ経路については、このことが言える。２つのエネルギ経路の間の電流のアンバランスによって配列要素に大きな電圧差が生じ、この電圧差は、差分電圧増幅の第２段で再び比較される。
【０３０３】
最終的に、電流と電圧の差は非常に大きくなり、最後の増幅器段を使用して、どちらの入力がより高い電圧を有しているかによって、大きな正の出力電圧または大きな負の出力電圧が生成される。典型的な用途では、出力電圧が実際に２つの極端な値の間になるように、フィードバックを使用して２つの入力電圧が互いに近くなるように維持する。この動作ポイントでは、演算増幅器は入力電圧のわずかな変化にも敏感で、わずかな電気信号に対しても素晴らしい増幅器となる。
【０３０４】
典型的な新しい実施形態のこの他の所定の非離散実施形態に関しては、導電シールド構造および外部共通エネルギ経路結合などの電気的に相補的な中性的なオブジェクトは、正の電荷と負の電荷の両方を含むことが一般に知られている。しかし、これらの反対の電荷は電圧を印加されない状態では等しい量である。しかしこれは、シールド側エネルギ経路の「皮」に沿った電荷が、別の近くの電荷からの影響を受けないということを意味するのではない。間に挟まれた電気的に中性なシールドアーキテクチャ構造と共に動作する、種々の相対する相補的なエネルギ経路対が近接していることにより、電圧を印加されると、間に挟まれたシールド側エネルギ経路アーキテクチャが、典型的な新しい実施形態ＡＯＣ内を通過する２つまたは２つ以上の別々の回路に沿って配置された一般に関係なく伝播するエネルギ部分に対して、同じソースと同じエネルギ使用負荷を備えた特定の回路の相対する相補的なエネルギ経路対のグループを備える、それぞれ機能するエネルギソースとエネルギ使用負荷の点で、少なくとも２つまたは２つ以上の別の一般に電気的に関連のない回路を備える電圧基準とイメージの両方に同時になることが可能になる。
【０３０５】
互いに対する測定が比較され、電気的に並列な関係で物理的に配置されるが、同じ包む共通に共有された導電シールド側エネルギ経路構造の間に逆鏡像の対の位置で配置された時、製造された導電領域が同様な、種々の電気的に相対して相補的なエネルギ経路対に関しては、同じソースから発するエネルギの一部のバランスがとれた部分は、同じシールド側エネルギ経路の１つの部分または側面上に電荷をおき、これによって、間に挟まれたシールドエネルギ経路の一部が、第１の相補的なエネルギ経路（図示せず）に対して、導電性の広い皮または側面領域のうち１つが帯電するが、第３の経路要素（図示せず）は依然として中性であり、同時に同じ共有された中央の導電的な共有されたシールド経路（図示せず）の反対側に物理的に配置された電荷の相補的な逆鏡像一致再配列を同時にバイアスに帯電し、挿入されたシールド（図示せず）の帯電された半分に対して反対の電荷をとり、同時に、経路上（図示せず）にあるエネルギ電子の一部が、シールド経路（図示せず）に向かってシフトし、同時に、帯電したオブジェクトの同様な電荷がそのオブジェクトから離れてシフトするようにさせる。共通エネルギ経路は、近接した相補的なエネルギ経路対に対して、「誘導された極性」を取得するが、これは、シールド経路、正の電荷と負の電荷が互いに相対的にずれ、このずれは近くの有効な電荷の存在によって「誘導される」という意味である。
【０３０６】
誘導された極性は共通の効果であり、雷が地面に落ちそうになる時に常に存在する。帯電した雲が空を流れると、比較的近くにある日よけや木がこの誘電された極性を取得する。オブジェクトの「皮」は雲とは逆の電荷で覆われ、雲と、反対に帯電した木やビルの上の間に雷が発生する。
【０３０７】
ＡＯＣ８１３に関しては、図５Ｅと図５Ｆの８５５ＡＡと８５５ＡＢなどのエネルギ経路の対は、実際には、中央の共有された導電領域または経路に対して、バランスのとれた一連のシーソー切り替えで互いに共同する。外部の観察者はエネルギ経路の電圧を印加されたグループが維持する切り替え作用を検出し、可能であれば測定することができるが、典型的な新しい実施形態回路のエネルギ使用負荷内にいる観察者は、典型的な新しい実施形態内の、バランスの取れた完全な注意と、これが伝播エネルギに与える影響の外見を扱うことができる。
【０３０８】
上記の利点を達成するために、センサの不可欠な一部として動作可能な部分、または、表面電位センサの一部として動作可能な典型的な実施形態の第１の態様によれば、典型的な実施形態は、帯電した部材の表面電位を検出する、帯電した部材に面する位置に配置された検出電極と、帯電した部材と検出電極の間に形成された静電キャパシタンスを周期的に変える配列と、検出電極に導電的に結合された初期段入力回路と、初期段入力回路の下流に導電的に結合され、初期段入力回路と基準ノード電圧からのＡＣ成分の差を増幅する演算増幅器を含む次段の増幅器回路とを備え、センサが基準ノード電圧と重なるノイズの影響を受けないように、初期段入力回路に供給されるソース電圧は、基準ノード電圧から導出される。
【０３０９】
従って基準ノード電圧にノイズが重なっても、初期段入力回路から出力されるＡＣ成分と基準ノード電圧の間の間にノイズ成分は現れない。従って次段の増幅器回路は、ノイズ成分の影響を受けずにＡＣ成分を増幅できる。この結果、測定の精度は簡単に改善される。指定されず、用途に依存するが、典型的な実施形態の材料８０１と、７９９などの導電材料はそれぞれ、材料タイプに関して配列が均一である。典型的な実施形態の追加の機能によれば、たとえば、二重表面電位電圧センサが、ＦＥＴ（電界効果トランジスタ）の第１のソースの導電領域および／または共通電位および／または共通アースによって生成される、初期段の二重入力回路または要素と、たとえばＦＥＴのドレーンとたとえばＦＥＴなどの第２のソースの追加の間で動作可能な抵抗性導電性要素で配列された対になった、通常は電気的に相対する相補的な導電要素または電極要素に沿ってある固有の抵抗と、たとえばＦＥＴ電源の間で使用する典型的な新しい実施形態の中央のシールド側電極構造に対して、低インピーダンスドレーンとして維持される、対になった通常は電気的に相補的な導電要素に沿った固有の抵抗を使用する。検出基準電極からの信号はたとえばＦＥＴのゲート、導電領域および／または共通電位および／または共通アースのそれぞれに供給され、共通電圧ドレーン電位は同時に、典型的な新しい実施形態を介して増幅器回路の続く段に印加される。
【０３１０】
典型的な新しい実施形態の変形例の第３の使用例を開示する。ここでは、二重線が、基準ノード電圧と、たとえば、検出側電極の両側の間に配置されＦＥＴのゲート端の両側または、ゲート端につながる入力回路部分に近接して配置されるシールド側電極構造の両方を供給する。基準ノード電圧は低出力インピーダンスを有する両方の別々のエネルギ供給回路の入力側と出力側の両方に共通なので、共通に共有された基準ノード電圧線は、シールド側電極構造としても効果的に機能できる。従って上記の配列では、検出側電極と、ゲート端につながる二重入力回路部分の二重配列は常に、共通の基準ノード電圧線とアース電極によってシールドされ、その結果、センサは、定義からＲＦ戻り電流に関する大きなループ領域を有する電力配分ネットワーク全体で発生する外来のノイズによる影響をあまり受けなくてすむ。図示されてはいないが、典型的な実施形態とエネルギ調節アーキテクチャ構造の一部は、これらの配列が非導電基板または導電的に作成された非ドープ領域の上にあり、同時に、従来の集積回路製造プロセスが提供する相互接続エネルギ伝播経路または層で配列された、導電または導電的に作成またはドープされた材料と組み合わせて導電シールド側電極基板を配列するので、有効なシリコン集積回路内で使用するように配列することができる。
【０３１１】
その結果できる非離散型エネルギ調節構造は、基板またはシールド側電極サブ層とは別の第１の導電層または第３の導電層であって、第１の誘電層８０１によってこれらの可能な要素から分離される第１の導電層と、第２の誘電層８０１および第３の導電層によって第１の導電層から分離される第２の導電層と、第３の誘電層によって第２の導電層から分離される第３の導電層とを含む（これは第１の導電層と電気的に相対している）。第２の導電層はついで第４の誘電層によって、追加の第３の導電層からは分離している。第１の導電層と第２の導電層は性質と動作が相補的であり、たとえば図１１に示されるように、並んだ相補的な電気回路アレイの中で、複数の対になっているが電気的に分離し、物理的な相互配置と回路機能方法を介して相補的な第１の伝導体と第２の伝導体の両方に共通な、相互接続された第３の導電経路のグループによって分離されている複数の伝導体の対に分割されることに注意されたい。
【０３１２】
第１の各伝導体は、場合によっては第１の端または第１のサブプライム端に導電的に結合できるが、残りの第２の伝導体は、第２の端または第２のサブプライム端に導電的に結合できる。第１の導電層と第２の導電層はすべて、導電結合部分（複数可）にかかわらず、導電的に結合された方法で、たとえば他のすべての第３の伝導体に導電的に結合された第３の伝導体によって互いに挿入され、また、第１の、第１のサブプライム、第２のまたは第２のサブプライムの外側の電極または外側の導電部分（複数可）または導電端ではない、第３の共通の外側の電極または外側の導電部分（複数可）にも挿入される。
【０３１３】
開示の図面の中には示されていないが、典型的な新しい実施形態の画定された切り替え閾値電圧が、種々の入力／出力結合ポート（完全には図示せず）に対して、典型的な新しい実施形態を使用する回路の他のより大きな部分について使用される中央の比較電圧を画定するように、シールド側電極構造とその外部の共同エネルギ経路要素を挿入することによって維持される、切り替え閾値電圧設定のエネルギ出力に導電的に結合された非反転入力を有するコンパレータ回路を作成することができる。
【０３１４】
典型的な新しい実施形態と、その可能なエネルギ調節機能の変形例は、共通電極シールド側構造を使用して、関連技術の配列によって開示された種々の集積回路抵抗器の比に通常配列された、抵抗器／分圧器（voltage divider、ボルテージデバイダ）ネットワークの中央タップをまねることができる。しかしこれらの種々の集積回路抵抗器の比を除去し、新しい実施形態要素の組み合わせ内に存在する固有の性質で間に合わせることができ、これらすべては電極抵抗性質など自然に発生するものである。
【０３１５】
共通電極シールド側構造または抵抗器／分圧器の相対し反対側にある電圧基準の値は、共通電極に電圧を印加すると生成され、共有された電極シールド構造を使用して、高レベル入力バッファと低レベル入力バッファの両方についてマスター回路の設計切り替え閾値要素に共有された等しい電圧基準を処理している、抵抗器／分圧器の中央タップをまねて共通電極シールド構造の両方の側面にある、共通電圧基準を即時に決定または画定することができる。
【０３１６】
従って、中央で共有された共通に生成された基準電圧要素を使用する、両方とも別々の回路の内部部分である、典型的な新しい実施形態が生成した抵抗器／分圧器、中央タップエミュレータ、またはシールド側電極構造からとられた電圧は、典型的な新しい実施形態の制御側回路の使用を制御することによって画定された実際の切り替え閾値電圧として比較し使用できる第２の比較電圧を画定する。
【０３１７】
従って、標準の手段によって同様に配列または製造され、標準の多数の対になった回線状況と共に使用され、同じように配列された実施形態の間の重要な変化としてだけ異なる既定の性質を有する材料８０１を有する実施形態のほとんどすべての実施形態と変形例は、特に、例外的な方法だけで挿入損性質測定値を生む。これによって、新しい導電シールド構造と外側の導電接続要素を使用する回路が、特に静電シールド側抑圧と物理的なシールドを使用して共同で働くことができ、特に典型的な新しい実施形態に混合された複数の可能な回路系部分のうち１つの中を伝播するエネルギの調節に影響を与える。
【０３１８】
種々の実施形態配列のユーザは、ほとんど任意のタイプの業界標準の接続と構造手段を使用してすべての共通エネルギ経路を互いに導電的に結合し、通常は等しい大きさの相補的な回路経路対とは別の同じ共通エネルギ経路に導電的に結合することができる。共通電極の導電結合は、電力と信号の分離、フィルタリング、挟むように配置された単一の電極構造の相対する側面に生成された「０」電圧基準の反対側に対する電気配置と開示された原理を使用する電圧バランス化などの、多数の別々のエネルギ調節機能を実行する同時の能力を達成することが望ましい。
【０３１９】
開示したように、追加で配置され、固有の中央の共有されたイメージ「０」電圧基準面と結合された、（＃−ＩＭ’Ｘ’）とマークされたシールド側エネルギ経路は、典型的な新しい実施形態のシールド効果を多くの方法で高める。また、相補的なエネルギ経路は、特にたとえば図２Ａ、図３Ａ、図４Ａ、図７Ａ、図８Ａ、図１０、図１５、図１６に示された種々のエネルギ経路配列に開示されるように、対称的にバランスが取れた配列になっていることに注意されたい。
【０３２０】
相補的なエネルギ経路対をほとんど包み、導電シールド状コンテナ８００’Ｘ’のグループの対を配列するシールド側電極コンテナ８００Ａ、８００Ｂ、８００Ｃ、８００Ｄ、８００Ｅ、８００Ｆ、８００Ｇ、８００Ｈを配列する、図１４に示されたこれらの経路８５０Ｆ／８５０Ｆ−ＩＭＯ、８４０Ｆ、８３０Ｆ、８２０Ｆ、８１０Ｆ、８００／８００−ＩＭＣ、８１０Ｂ、８２０Ｂ、８３０Ｂ、８４０Ｂ、８５０Ｂ／８５０Ｂ−ＩＭの挟み込み機能も、外側に接着された共通導電領域または共通エネルギ経路に対するエネルギ部分の伝播を相当な程度助け、同時に、典型的な実施形態内に含まれる回路を助ける電圧イメージ基準の形成を可能にする。
【０３２１】
導電的なシールド状のコンテナ８００’Ｘ’の対のグループを備える、典型的な共通の大きさのエネルギ経路の対の挟み込み機能も、外部に結合された導電部分（複数可）および／またはシールド側エネルギ経路に対するエネルギ部分の伝播に影響を与える補助となり、これはまた、共通導電部分を含み、および／または同時に、電圧イメージ基準補助−ＩＭ’Ｘ’を生成する。
【０３２２】
実施形態を配列する種々のシールド側導電構造がバランスが取れている場合、間違ってまたは考えた末に個別に追加された、ほとんど任意の追加のまたは余分の単一の導電シールド経路は必ずしも、重大な程度までエネルギ調節動作を妨害または低下させるものではなく、実際には、ここで必要なものについて記述されたように、自動化された層プロセス（複数可）が可能性としては追加の外側のシールド側層（複数可）を追加する製造プロセスの可能なコスト節約を可能にするか表すが、この場合、アンバランスな結果になる。
【０３２３】
従って、記述したように意図的または偶然に追加された外側のシールド側層（複数可）を含む、配列のマイナーなエラーまたは不一致は、典型的な実施形態（複数可）の大多数が用途（複数可）に利用された時に、典型的な実施形態の全体の性能にとって有害ではなく、出願者に十分に想定されている。
【０３２４】
典型的な実施形態の部分を配列する等しい数のシールド側電極コンテナ構造８００’Ｘ’は、従った既定のスタッキングシーケンスに従って実施形態構造の中でバランスがとれており、製造プロセスの間に間違ってまたは考えた末に追加されたほとんど任意の追加または余分の単一の導電シールド経路層が、エネルギ調節動作を十分に妨げるかまたは低下させることはないことに注意されたい。追加の余分の導電経路層は実際に製造プロセスの可能なコスト節約を示し、ほとんど任意の自動化された層プロセスは、２つの示された−ＩＭ’Ｘ’導電シールド側電極のうち１つを含む、記述されている場合もあり実際には記述されていない場合もある、追加の外側の層（複数可）を追加できる。これらの製造エラーが意図的であっても偶然であっても、８００’Ｘ’と示された共通の導電シールド側コンテナの正しく並べられたスタッキングを備える典型的な実施形態のバランスの完全性にとって徹底的に有害であるわけではない。論じたように、これは出願者らによって完全に想定されている。
【０３２５】
通常、典型的な実施形態の一部を配列するシールド側電極コンテナ構造８００’Ｘ’は、従った既定のスタッキングシーケンスに従って実施形態構造の中でバランスがとれている。通常、追加の外側の分離して同じ大きさの電気的に相対する差分導電経路対を適用する前に、追加または余分の単一の導電シールド側経路層を配置すべきではない。したがって、製造プロセスの間に追加の外側の分離した同じ大きさの電気的に相対する差分導電経路対を配置する前に、間違いまたは考えた末に追加されたほとんど任意の追加のまたは余分の単一導電シールド側経路層はそれぞれ、エネルギ調節動作を妨げるか低下させる。
【０３２６】
対照的に、典型的な実施形態のほとんど任意の変形例のエネルギ経路の、より大きなシールド側タイプの種類ではない、電気的に相対する相補的なすべてのエネルギ経路対を備えるおよび／またはこれによって特徴づけられる電極対および／または相補的なエネルギ経路の対の合計数は、偶数でなければならない。
【０３２７】
さらに図１４を参照すると、シールド側電極経路８５０Ｆ／８５０Ｆ−ＩＭＯ、８４０Ｆ、８３０Ｆ、８２０Ｆ、８１０Ｆ、８００／８００−ＩＭＣ、８１０Ｂ、８２０Ｂ、８３０Ｂ，８４０Ｂ、および８５０Ｂ／８５０Ｂ−ＩＭは、離散配列要素として配列された時に、典型的な実施形態の支持と外側のケーシングを提供する既定の性質を有する材料８０１によって囲まれているのが分かるであろう。７９８−ＧＮＤ’Ｘ’と示される共通の導電的な結合材料または構造は、たとえば、図１に示されたような共通電極エネルギ経路８００／８００−ＩＭＣについて図１４に詳細に示されているように、この配列について示されているように、少なくとも２つの側面において、構造１９９００内に含まれた共通経路電極材７９９Ｇの電極縁８０５において、共通シールド経路電極拡張部７９−ＧＮＤＡの長い連続的な部分に適用される。種々の絶縁材料８０１はまた、既定の電気調節機能が、実施形態ＡＯＣの中にあるかまたは実施形態ＡＯＣを使用する電気的に相対する差分導電エネルギ経路対の種々の組み合わせに沿って移動する伝播エネルギ部分に対して動作することを可能にする。
【０３２８】
さらに図１４を参照すると、図１４は、要素タイプ７９８−ＧＮＤ’Ｘ’共通導電接着手段、電極、および／または外側のエネルギ経路材部分、および／または外側の導電終端材部分が、シールド側エネルギ経路８５０Ｆ／８５０Ｆ−ＩＭＯ、８４０Ｆ、８３０Ｆ、８２０Ｆ、８１０Ｆ、８００／８００−ＩＭＣ、８１０Ｂ、８２０Ｂ、８３０Ｂ、８４０Ｂ、８５０Ｂ／８５０Ｂ−ＩＭＯがそれぞれ互いに電気的および物理的に結合することを可能にし、および、図１５に描かれたのと同様な同じ電気的に導電的な外部の共通導電経路または外部の共通導電エネルギ経路または領域６８０３と電気的および物理的に結合することを可能にしていることを表している。この新しく作成された共通エネルギ経路は差分経路ではなく（図示せず）、典型的な実施形態ＡＯＣと、７"ＸＸ"−ＧＮＤ’Ｘ’タイプ、および、要素タイプ７９８−ＧＮＤ’Ｘ’共通導電接着手段電極などの共通導電接着または結合部分、および／または、外側のエネルギ経路材料部分、および／または外側の導電終端材料部分内で使用される。
【０３２９】
１９９００などの汎用マルチ機能共通導電シールド構造は、たとえば描かれたような多数のスタックされた共通導電ケージ状構造９００Ａ、９００Ｂ、９００Ｃを備え、これらのケージ状構造９００Ａ、９００Ｂ、９００Ｃは、互いに導電的に結合され全般的に平行な関係の、多数のスタックされた共通導電ケージ状「コンテナ」８００Ａ、８００Ｂ、８００Ｃおよび８００Ｄ（それぞれ一般に８００"Ｘ"）と呼ばれる）を備える。各シールド側ケージ状構造８００’Ｘ’は、図１４の８５０Ｆ／８００Ｆ−ＩＭＯ、８４０Ｆ、８３０Ｆ、８２０Ｆ、８１０Ｆ、８００／８００−ＩＭＣ、８１０Ｂ、８２０Ｂ、８３０Ｂ、８４０Ｂ、８５０Ｂ／８５０Ｂ−ＩＭＯなどを有するエネルギ経路スタッキングを伴う少なくとも２つのシールド側エネルギ経路を備える。スタックされた共通導電ケージ状構造８００’Ｘ’の数は図に示された数に限定されるものではなく、ほとんど任意の偶数であってもよい。したがって、スタックされた共通導電ケージ状構造９００’Ｘ’の数も図に示された数に限定されず、任意の偶数または奇数であってよい。
【０３３０】
図示されてはいないが他の用途では、各共通導電ケージ状構造８００’Ｘ’の対は、図１との関係で以前に説明された少なくとも１つの導電経路電極を挟む。共通導電ケージ状構造８００’Ｘ’は、これらが対になっているという事実と、ほとんど任意のタイプの導電経路の対を、それぞれの共通導電ケージ状構造８００Ｘ内に挿入できるという事実を強調するために別に描かれている。従って、共通導電ケージ状構造８００’Ｘ’は、対になって、それぞれ９００Ｂ、９００Ａ、９００Ｃと描かれ、シリコンの中に埋め込まれるかまたはＰＣＢの一部、離散配列要素ネットワークなどを含むがこれらに限定されない離散または非離散配列で導電経路対と共に組み合わせて使用することができる、より大きな共通導電ケージ状構造９００Ｘを作成した時に汎用の用途を有する。
【０３３１】
図１４に示されるように、既定の性質を有する材料８０１は、個別のシールド側電極８５０Ｆ／８５０Ｆ−ＩＭＯ、８４０Ｆ、８３０Ｆ、８２０Ｆ、８１０Ｆ、８００／８００−ＩＭＣ、８１０Ｂ、８２０Ｂ、８３０Ｂ、８４０Ｂ、および８５０Ｂ／８５０Ｂ−ＩＭＯを、挟まれている、同じ大きさの電気的に相対する差分導電経路対または導電経路電極対（図示せず）から導電的に分離し、また、導電的に分離すると共に、外側の同じ大きさの電気的に相対する差分導電経路の少なくとも１つの対をシールドする。
【０３３２】
さらに図１４に示されるように、たとえばより大きなケージ９００Ａを配列する８００Ｅと８００Ｄなどの最低２つのケージは、特にほとんど任意の典型的な新しい実施形態のほとんどすべての層になった実施形態に使用するためにマルチ機能線調節構造を配列することが必要である。従って図１４に示されるように、各９００Ａ、９００Ｂ、９００Ｃごとに、最低で２つの共通導電ケージ状構造８００Ｘがある。ほとんど任意のシーケンスの非常に基本的なシールド側製造結果（既定の性質を有する材料８０１を除く）は、スタックされた、最低で３つの導電的に結合されたシールド側電極経路を備え、さらに、少なくとも２つの電気的に相対する差分電極エネルギ経路の対の組を備えるシールド側電極実施形態構造として表れ、１組は最低で３つの導電的に結合されたシールド側電極経路と対になりその内部にあり、もう１組は、電圧を印加されると、少なくとも動作側電気回路の１つの部分を含むように導電的に結合された最低で３つの導電的に結合されたシールド側電極経路と対になり、この経路に対しては外部である。
【０３３３】
要するに、一般に、単一のより大きなグループになったケージ状ケージ状構造９００’Ｘ’がより大きな外部の導電領域（図示せず）に接着されると、この組み合わせは、電圧を印加された線の調整を実行し、同時に、ケージ状構造９００’Ｘ’内にはさまれ、同時に、外側に配置された、一般的に同じ大きさの（特別の外側の電極を除く）電気的に相対する差分導電経路の少なくとも１つの対を導電的に分離する電気的に相対する差分電極経路（図示せず）の種々のグループの対に沿って伝播するエネルギに対してフィルタリング機能を実行する助けになる。
【０３３４】
スタックされたハイアラーキ状の連鎖を伴う、汎用ケージ状シールド側アーキテクチャのほとんどすべての変形例は、互いに、また、差分導電経路ではない外部に配置されたエネルギ経路と、共通の導電結合を共有する個別の層になった種々のシールド側電極を備える相互接続されたシールド構造として使用される。
【０３３５】
内部に配置されたシールド側電極の、互いに対する導電共通導電結合、および、差分導電経路ではない外部のエネルギ経路に対する導電共通導電結合により、この第３の経路が、典型的な実施形態内に含まれる回路の部分に基準電圧を提供できる別のエネルギ経路として同時に使用できる。グループ化された電極シールド側経路が使用する第３のエネルギ経路は同時に、伝播のために差分経路を使用するエネルギのそれぞれの部分が使用する既定の低インピーダンス経路の作成を可能にする。
【０３３６】
典型的な実施形態を介したエネルギの差分伝播により、互いに対して相補的でバランスの取れた方法で典型的な実施形態の部分を使用し、同様な関連技術に比べて回路系の効率を高めることができる、典型的な実施形態ＡＯＣ内のエネルギの部分を提供する装置または実施形態の作成が可能になる。この別の共通に共有された第３の経路は、通常はより大きな、電圧を印加された回路内の実際の物理的および電気的な配置の場所による、既定の、電圧を印加された回路内のエネルギに対して分圧器として作用するだけではない。この物理的および電気的な配置は、電圧を印加された動作の間、少なくとも１組の内部の相対して共同する差分導電エネルギ経路の対と、少なくとも１つの外側に配置された全般的に同じ大きさの（特別の外側の電極を例外とする）、電気的に相対する差分導電経路の対との間に挿入され電気的に共通に配置されたシールド側電極とするとよく説明できる。
【０３３７】
別の第３の経路はまた、電圧を印加された動作の間、典型的な実施形態および／またはその８１３ＡＯＣ（図示せず）内で動作する回路に対してだけではなく、同じ回路の、電気的に相対する差分導電経路の少なくとも１つの対と、外側に配置され全般的に同じ大きさで（特別な外側の電極を除く）、相対して共同する差分導電エネルギ経路の少なくとも１つの対の組に対しても、共通電圧基準ノードとして同時に使用され、共有される。
【０３３８】
特にほとんど任意の典型的な新しい実施形態は、それぞれ回路に導電的に結合された、相対して共同する差分導電エネルギ経路の対から生じるか、または、典型的な実施形態のＡＯＣ内の伝播回路エネルギの部分または電圧バランスが互いに逆転することから生じる、望ましくないエネルギ寄生を最小化または抑制する。特にほとんど任意の典型的な新しい実施形態は、有害で望ましくないエネルギ寄生を最小化し、ついで放出側の導電経路が、共通モードエネルギなどの形態で逃げて、回路系に戻り、ＡＯＣ影響の外で回路に悪影響を及ぼすことを防ぐ。
【０３３９】
次に図１５を参照すると、全体の構造１９９０５をより小さな、対になったケージ状の導電構造部分に分解し、たとえば、９００Ａだけに分解された、重なった導電シールド構造の種々のより小さなグループを表し、このグループはさらに、個別のシールド側電極エネルギ経路８１０Ｆ、８００／８００−ＩＭＣ、８１０Ｂを備え、シールド種のグループはほとんど常に、外部の共通導電材料６８０５または業界標準の接続手段（図示せず）と導電的に組み合わされ接続されて、外部に配置された共通導電領域または経路６８０３が使用できるようにし、特にほとんど任意の典型的な新しい実施形態の典型的な用途に関して、典型的な実施形態に接着または導電的に結合できる、種々の外部の電気的に相対する差分導電エネルギ経路ではない。
【０３４０】
図１５に見られるように、図１５の内側の８５５ＢＢと内側の８５５ＢＴなどの電気的に相対する差分導電バイパス伝播モードエネルギ経路の対と、外側の８６５ＢＢと外側の８６５ＢＴなどの電気的に相対する差分導電バイパス伝播モードエネルギ経路の対を調節するために、コンテナ８００’Ｘ’のより大きなスタッキングが、種々のシールド側電極が既定の方法で追加されて対になった９００’Ｘ’構造を形成し、９００’Ｘ’構造がさらに、図１４に示されるのと同様なより大きな全体のシールド側電極構造を形成できるような方法で、共通導電汎用シールド側電極構造１９９０５またはこの等価物を備えるか、またはこれによって特徴づけられる。
【０３４１】
共通導電結合材料接続７９８−ＧＮＤＡが、直接、および／または、たとえば図１５に示されるような７９−ＧＮＤ’Ｘ’などの全般的に示された電極拡張部の範囲によって、共通経路電極縁８０５の一部と一種の物理的および電気的接触を維持できる限り、完全に配列された典型的な実施形態は正しく機能すべきである。
【０３４２】
図１５では、図１５の内側の８５５ＢＢと８５５ＢＴなどのそれぞれの電気的に相対する差分導電バイパス伝播モードエネルギ経路対は、８５５ＢＢと８５５ＢＴの差分導電経路を内部ではさみ、これ自体が、一般に等しい８０６配置（図１を参照のこと）内の逆流である、シールド側電極経路８１０Ｆ、８００／８００−ＩＭＣ，８１０Ｂの種々の組み合わせなどの、共通に相互接続された導電経路をそれぞれ挟んでいると考えられる。さらに、外側の８６５ＢＢと外側の８６５ＢＴなどの、各電気的に相対する差分導電バイパス伝播モードエネルギ経路の対は互いにスタックされているが、ダイナミック動作の間、互いに導電的および電気的に分離されている。論じたように、この条件で、導電回路に電圧が印加されると、内部に配置されたシールド側電極および材料領域または付着に対して、相補的で共通の方法で、ノイズまたはエネルギ場の相殺または最小化、フィルタリングおよびサージの抑圧などの典型的な実施形態の機能を使用すべきである。図１５に見られるように、各コンテナ８００Ｄと８００Ｅは、より大きな構造９００Ａの中である程度互いに対して物理的に相対するが、それぞれ全般的に物理的および電気的に平行な方法で配置され動作する、内側の８５５ＢＢと内側の８５５ＢＴなどの、等しい数の同じ大きさの差分電極を保持し、これによって、種々のエネルギ調節機能を維持することができる。
【０３４３】
共同する８００Ｄと８００Ｅという個別のシールド状の構造を伴う、導電的でグループ化されたケージ状のシールド構造９００Ａは、回路内で電圧が印加されると電気的に１つになり、電極拡張部７９−ＧＮＤＡを使用して、同じ外部の共同導電経路領域６８０３に接着し、共通の導電領域６８０３に接着された電気接続用に外部に適用された共通導電材料になる。これは、導電接着のための導電ハンダ材料６８０５または他の通常の結合手段、または、抵抗フィットなどの業界内で知られた方法、または種々のハンダ方法として知られた方法（図示せず）、および、内部電極拡張部７９−ＧＮＤＡと、逆流ハンダ、導電エポキシと接着剤（図示せず）などの、一般に認められる業界の接着方法（図示せず）のほとんど任意の可能な手段を使用することによって行われる。
【０３４４】
この結果、ほとんど任意の製造シーケンスは次の通りである（既定の性質を有する材料８０１などを除く）。差分導電経路８６５ＢＢ、シールド側エネルギ経路８１０Ｂ、内部に配置された差分導電経路８５５ＢＢと中央の共通に共有されたシールド側エネルギ経路電極８００／８００−ＩＭＣ、内部差分導電経路８５５ＢＴ、シールド側エネルギ経路８１０Ｆ、外側の電気的に相対する差分導電経路８６５ＢＴ。図１５でこの例の完全な配列に電圧が印加されると、この結果電圧基準経路が形成される。
【０３４５】
さらに図１５を参照すると、８１０Ｆ、８００／８００−ＩＭＣ、８１０Ｂを備える部分は、図１５の実施形態１９９０５の部分を備えて示されている。所定の共通シールド電極は、２つの７９８−ＧＮＤＡ電極拡張部（図１に詳細に示される）を備えるシールド側電極として配列され、これはついで、１９９０５実施形態の他の要素と組み合わされて、ほとんど常に組み合わせて配置され、エネルギ経路対の２つのサブセットである内側の８５５ＢＴ、外側の８６５ＢＴ、内側の８５５ＢＢ、外側の８６５ＢＢの２つのサブセットの対を備え、また、シールド側電極エネルギ経路または構造９００Ａを共有する対のバイパス導電経路要素とみなされる、電気的に相対する差分導電バイパスエネルギ経路の２つの対を伴う実施形態を形成する。
【０３４６】
図１５は、典型的な実施形態１９９０５の付属した切断バージョンの種々の要素を描き、切断図で示される。別に動作するバイパスエネルギ伝播モードを使用する、電気的差分経路対に沿って同時に伝播するエネルギに関する別の回路を備える、スタックされた導電ハイアラーキ連鎖を伴う汎用の、グループ化されたケージ状シールドアーキテクチャ９００Ａの概念は、スタックされた共通導電ケージ状構造９００Ａを備える構造１９９０５を示し、ケージ状構造９００Ａはさらに、一般に並列だが相互接続された導電シールド側電極関係の、多数のスタックされた共通導電ケージ状構造またはコンテナ８００Ｄ、８００Ｅ（それぞれ一般に８００"Ｘ"と呼ばれる）を備える。各共通導電コンテナ８００Ｄと８００Ｅは、少なくとも２つのシールド側エネルギ経路電極８１０Ｆ、８００／８００−ＩＭＣ、８１０Ｂを備える。スタックされた共通導電相互接続されたシールド側電極ケージ状構造８００ｘの数は、通常偶数である。したがって、スタックされた共通導電ケージ状構造９００’Ｘ’の数もまた、本明細書に示された数に限定されず、通常は偶数または奇数である。
【０３４７】
また図１５に示されるように、各共通導電ケージ状構造８００’Ｘ’の対は、同じ大きさの導電差分バイパスモード経路電極の電気的に相対する対の、それぞれ別に動作する対を備えるかおよび／またはこれによって特徴づけられる、少なくとも１つの導電差分バイパスモード経路電極を挟む。スタックされた共通導電相互接続されたシールド側電極ケージ状構造８００’Ｘ’はほとんどすべて、別々の、しかし外部の差分導電エネルギ経路対と組み合わせて離散配列または非離散配列で使用することができ、この離散配列または非離散配列は、図１５に示されるような離散スタンドアローン配列要素などであるがこれに限定されるものではなく、または図示されない、配列要素の組みあわせ、シリコンＩＣ、インタポーザ、モジュール、基板またはＰＣＢの一部、エネルギ調節ネットワーク内への離散および非離散埋め込みを含むが、これらに限定されるものではない。
【０３４８】
シールド側エネルギ経路電極８１０Ｆ、８００／８００−ＩＭＣ、８１０Ｂは、ハンダ材料６８０５または当業界で知られたほとんど任意の他の接着手段で、外部の共通導電エネルギ経路または領域６８０３に導電結合点（複数可）を提供する７９−ＧＮＤＡ（複数可）に示されるようにすべて導電的に相互接続されている。各シールド側電極８１０Ｆ、８００／８００−ＩＭＣ、８１０Ｂは、既定の性質を有する材料８０１の上に形成され、エネルギ経路材料７９９Ｇの代わりに、既定の性質を有する材料８０１のみからなる側面帯を現す。
【０３４９】
図１５に示されるように、描かれた、電気的に相対する差分エネルギ経路の対になった組は、組または対であり、同じ大きさで相手の主な電極表面領域をほとんど完全に包むが、より大きなシールド側電極と、既定の性質を有する材料８０１によって分離されていることに注意されたい。これらは、電気的に相対する動作のために、導電接着のために相補的に対になっている（電圧を印加された時）。これらの、同じ大きさの相補的な電気的な差分電極またはエネルギ経路の対（動作において）は、常に互いに物理的に離れており、同時に、それぞれ相対する側面に電気的に配置されて、シールド側電極エネルギ経路の２つの主な導電部分のうち１つの電荷は、互いに対している。見出される電極のすべては一般に形状と見かけがプラナで、均一のグループごとにそれぞれ並んでおり、中を伝播する種々のエネルギの部分が効率的に使用する部分内で多くのレベルで対称性を生成する。
【０３５０】
それぞれ、共通の中央に配置されたシールド側エネルギ経路８００／８００−ＩＭＣを伴う、結合した共通導電および包む側の多数の共通シールド電極経路８１０Ｆ、８００／８００−ＩＭＣ、８１０Ｂの導電結合はほとんど常に、図１５に示されるように、外部の共通導電要素の拡張部、または外部の共通導電エネルギ経路または領域６８０３の拡張部のようになる。多数の共通シールド電極経路８１０Ｆ、８００／８００−ＩＭＣ、８１０Ｂはほとんど常に、間に多数の並列な方法で挿入され、差分電極伝導体の内側の８５５ＢＴと８５５ＢＢを挟み、一方、これら自体も外側に配置された８６５ＢＢと８６５ＢＴによって挟まれ、同時に、共通シールド電極経路８１０Ｆ、８００／８００−ＩＭＣ、８１０Ｂが、既定の性質を有する材料８０１の中で、相補的な電気的に相対する差分電極対８５５ＢＢ、８６５ＢＢ、８５５ＢＴ、８６５ＢＴに対して、最小の８１４Ｃ距離分離または「ループ領域」を有する状態を維持する。
【０３５１】
図１５に示される７９８−ＧＮＤＡのような外部の導電要素は、特に共通シールド電極経路８１０Ｆ、８００／８００−ＩＭＣ、８１０Ｂが実行する静電シールド機能（図示せず）の性能を助ける。この構造はまた、説明した、電圧が印加された組み合わせを促進し、外部の共通導電エネルギ経路または領域６８０３を強化し、実施形態１９９０５の中の相互接続されたシールド側電極を助けて、１９９０５内の差分電極伝導体８５５ＢＢ、８６５ＢＢ、８５５ＢＴ、８６５ＢＴエネルギ経路の導電経路の部分は、差分電極対８５５ＢＢ、８５５ＢＴ、８６５ＢＢ、８６５ＢＴを備える回路グループに対して導電結合手段８９０Ｂと８９１Ｂを接着する導電拡張部８１２Ａと８１２Ｂ構造によって外部に導電的に結合されるので、アセンブリ１９９０５の差分電極伝導体８５５ＢＢ、８６５ＢＢ、８５５ＢＴ、８６５ＢＴエネルギ経路の部分に沿って伝播するエネルギ部分に対して効率的な同時の調節を提供する補助となる。組み合わされ相互接続されたシールド側電極８１０Ｆ、８００／８００Ｂ−ＩＭＣ、８１０Ｂの内部と外部の並列配列グループはまた、それぞれ、エネルギの部分がこれらの開示された導電経路を沿って有効なアセンブリ負荷（複数可、図示せず）に沿って伝播する時にエネルギの部分がそれぞれ使用する、差分電極対の内側の８５５ＢＢと内側の８５５ＢＴを備える回路グループの部分と、ＡＯＣを介した差分電極対の外側の８６５ＢＴと外側の８６５ＢＴを含む回路グループの部分から逃げるかまたはこれらの部分に入る可能性がある、望ましくない寄生と電磁放射を相殺または抑制する助けとなる。
【０３５２】
汎用シールド側電極構造はまた、サブ回路エネルギ経路の部分が調和的に機能する差分経路ではない、共通低インピーダンスエネルギ経路（図示せず）と基準イメージ（図示せず）の生成を可能にする、同じタイプの図１５の物理的なシールド側電極構造１９９０５の、伝播回路エネルギ（図示せず）の部分に対する使用可能性を促進する。
【０３５３】
瞬間的に同時に同じ時間に、回路伝播エネルギの部分は、ほとんど常に、まさに同じ第３のエネルギ経路と基準イメージに対して、ＡＯＣの部分に含まれる他の相対するシールドされ分離された伝播するエネルギの部分に対して、瞬間的に、高インピーダンスのエネルギブロック機能を提供されるが、まさにこの瞬間に、この高インピーダンス低インピーダンス切り替え現象は、正反対の相対する方法で同じ瞬間に発生し、相補的な方法で互いに相対する位置に配置されたエネルギの部分に対して伝播し、同じ共有されたより大きな汎用シールド側電極構造の相対する側面に沿って伝播するエネルギに対しても電気的に調和した方法で生じる。
【０３５４】
これはたとえば、実施形態１９９０５に関して図１４と図１５に示された種類などの、複数の全般にプラナな層を含む。図１５に示されたこれらの全般的にプラナな層は、たとえば、製造の間適用または付着された７９９Ｇ導電材料を伴う、既定の性質を有するセラミック材料８０１を備えるかおよび／またはこれを特徴とする。シールド側電極層の主な電極面は（多いので番号はつけていない）、全般に、実施形態層１９９０５の既定の性質を有する主な材料８０１の表面に並列に配置される（いずれも図１５には示されていない）。
【０３５５】
図１５に示されるように、全般に対になって互いの間の距離が最小であるスタックされた導電ハイアラーキ連鎖を伴う、汎用グループ化されたケージ状シールドアーキテクチャ内の種々の相対する差分エネルギ経路の間に可能である、最良の磁場結合の相殺を可能にするために、相対する差分伝導体は別々に動作すべきである。所定の例外はあるかも知れない。しかし、全般に相対するかまたは位相をずらして動作することによって、相対して配置されたエネルギ経路の対８５５ＢＢと８６５ＢＢ、８５５ＢＴと８６５ＢＴの対の相互結合は、それぞれの相対する磁場の相互の相殺を強め、同時に典型的な実施形態ＡＯＣの中の同じ、相対して配置されたエネルギ経路対の種々の回路部分に沿って伝播するエネルギ部分にも発生する、静電またはファラデーシールド効果の使用において、たがいに同時に協力する。
【０３５６】
また、上に説明したように、付着または適用された、既定の性質を有する材料８０１または絶縁媒体材の全般に等しいスペーサで２つの差分導電経路を、汎用シールド側電極アーキテクチャの既定の要素と共に配置することによって、その結果生成される典型的な実施形態構造は説明したように、ＡＯＣ内の差分導電経路に沿って配置された回路エネルギの部分に有利なエネルギ調節を生む。説明した、相対する差分導電経路の対はまた、それぞれの差分エネルギ経路対８５５ＢＢと８６５ＢＢ、８５５ＢＴと８６５ＢＴのそれぞれに沿って存在する、伝播するエネルギの部分の全般的な方向にかかわらず、ある意味で電気的に相補的であるが、同時に互いに電気的に相対する、電圧を印加された関係を維持する。
【０３５７】
たとえば８５５ＢＢと８６５ＢＢ、８５５ＢＴと８６５ＢＴをそれぞれ備える図１５に示されたような配列は、この場合、８００−ＩＭＣ中央共通導電シールド要素などによって分離されたエネルギソースとエネルギ使用負荷の間に電気的に配置されたエネルギ経路として電気的に配置された、エネルギ経路として電気的に配置された２つのそれぞれの差分エネルギ経路８５５ＢＴと８６５ＢＴのうち１つを生成し、残りのそれぞれの差分エネルギ経路８５５ＢＢと８６５ＢＢはまた、最初の回路の電圧印加時に開始したエネルギ伝播のソースからみなされる、画定された回路に沿って伝播するエネルギの部分の所定の形態または別の形態の開始された部分である、エネルギーソースオリジネータに導電的に結合されて戻る、エネルギ使用負荷の間に配置された、電気的に配置されたエネルギ経路とみなされる。すなわち、たとえば２つのそれぞれの隣接するがシールドされ分離した差分エネルギ経路または差分電極８５５ＢＢと８６５ＢＢは、互いに相互に共同する関係で電圧を印加された状態で存在するが、物理的および電気的にシールドされたアーキテクチャの間で維持される、実際に物理的な分離は、それぞれが、互いに対して回路の伝播エネルギの部分を処理できる限り、５０ｍｍ未満またはそれ以下であるが、０ｍｍよりも大きい間で、一定範囲の任意の場所で維持される。
【０３５８】
結合された共通導電で包む側のマルチ共通シールド経路と、共通の中央に配置されたシールド側エネルギ経路８００’Ｘ’−ＩＭＣとの導電結合は、ほとんど常に、たとえば図１５に示されるように、外部の導電要素６８０３の拡張部のようになり、共通導電要素がほとんど常に、図１５に示されるように、相補的な位相の差分電極はそれ自体挟まれるが、既定の性質を有する材料８０１または絶縁媒体を備える距離だけ、外部の共通導電エネルギ経路または領域６８０３の拡張部から分離されている相補的な位相の差分電極に対してミクロンの距離分離または「ループ領域」を有するように、ほとんど常に多数の並列な方法で挿入される。
【０３５９】
これによって、図１５に示された外部の共通導電エネルギ経路または領域６８０３の電気的または導電的な拡張部が、特に静電シールド機能の性能を助けることが可能になり、上に説明した電圧を印加された組み合わせはほとんど常に、シールド側電極アセンブリ９００Ａの外側の差分伝導体８６５ＢＢと８６５ＢＴの部分の上またはこの部分に沿って伝播するエネルギに対して、効率的で同時の調節を強化または生成する。また、組み合わされた共通導電９００Ａの内部と外部の並列な配列グループはほとんど常に、エネルギの部分が導電経路（図示せず）に沿って、図１５には示されない有効なアセンブリ負荷（複数可）に伝播する時に、このエネルギの部分が使用する差分伝導体差分伝導体８５５ＢＴと８５５ＢＢの部分から逃げるまたはこの部分に入る可能性のある、望ましくない寄生と電磁放出を相殺または抑圧する。
【０３６０】
まったく図示されていないが、外側の部分的にシールドされたエネルギ経路８６５ＢＴと８６５ＢＢの９１１"Ｘ"拡張部（複数可）による結合、または任意の部分の直接導電結合によって、それぞれの９１２"Ｘ"導電部分または導電終了部または導電結合手段（完全には図示せず）と結合することから、変形例の実施形態（複数可）が導出されるが、導電的に分離された種々の相補的なエネルギ経路８６５ＢＴと８６５ＢＢはそれぞれ、選択的にタイミングを合わせて特定の用途に応じて「オン」バイアスと「オフ」バイアスを切り替えることができる。したがって、典型的な新しい実施形態に関する、電圧を印加されたバイアス活性化および／またはバイアス非活性化は、たとえば配列されない非バイアス動作可能な実施形態から通常期待されるような挙動と電気的な性能特性を変えることができ、同時に、典型的な新しい実施形態または装置のＡＯＣ内に別に含まれる回路経路を使用するエネルギの部分に対する種々のエネルギ調節効果も変えることができる。たとえば９１１"Ｘ"拡張部を使用するこのタイプのエネルギ経路配列が、外側の部分的にシールドされたエネルギ経路８６５ＢＴと８６５ＢＢだけに任せられるのではなく、出願者は、９１２"Ｘ"などの結合分離外側電極部分または外側のエネルギ経路部分の使用を介した、ほとんど任意の既定の、被シールドエネルギ経路の電圧を印加されたバイアス活性化を想定していることが重要であることに注意されたい。
【０３６１】
さらに、図示され、（＃−ＩＭ’Ｘ’）とマークされた経路などの所定のエネルギ経路が、キャパシタンスを追加する目的以外の追加の目的のために、典型的な新しい実施形態のエネルギ経路のバランスの外側に配置されたシールド側エネルギ経路を、近接して挟むような位置で配置される。奇数の等しい大きさと等しい形状の電極を有するシールド側配列はまた、先に説明した−ＩＭＩ"Ｘ"および／または−ＩＭＯ"Ｘ"と示されるイメージ平面シールド電極に関して任意のオプションのシールド電極（必ずしも図示せず）を含んでいてもよい。さらに、相補的なエネルギ経路本体部分８０からシールドされた、内部で生成されたエネルギ寄生の帯電した抑制を伴う、ケージ状効果または静電シールド効果機能を開示する。静電シールドは、内部で生成されたエネルギ寄生が相補的な導電エネルギ経路に逃げることを防ぐ保護を提供する。静電シールド機能はまた、挿入相補回路部分を、挟む側のシールド側電極経路（複数可）の領域、本体電極部分８１、または部分足跡内にほとんど完全に閉じ込めるかまたはほとんど完全に物理的にシールドして包むことによって、電圧を印加された相補的なエネルギ経路に起因するエネルギ寄生を最小化する助けとなる。
【０３６２】
導電および非導電材料部分の挿入は、制御された方法で共通のエネルギ経路内に含まれる、相対的な位相の電気的に相補的な動作の分離が非常に距離が小さいににもかかわらず使用されるシールド側電極または材料８０１のシールド機能である、電極の導電材料などのシールドを含むが、これに限定されない。種々の電気的に相対する等しい大きさの正反対のエネルギ経路を使用するエネルギ部分が、同時に、共通導電シールド構造の相対する側面の間でバランスのとれた電気的に並列な方法で相互作用できるように、共通導電部分へ接続されたときに、最適の動作が発生する。
【０３６３】
例外的に、典型的な新しい実施形態の機能強化と直列で動作する同時の浮遊寄生抑制と閉じ込め機能と共に、相対する位相の電気的に相補的な動作の、直接および／または間接的な分離（間接的＝ループ領域）の、非常に小さな距離（複数可）だけ互いに離れた、電気的に相対する導電エネルギ経路対に沿った方法で伝播するエネルギの種々の部分の相互エネルギ束相殺が行われる。Ｈ場場束は、伝導経路、トレース、ライン、または伝導体、導電層部分に沿って、右手の法則（アンペアの法則）に従って伝播する。エネルギ入力経路とエネルギ戻り経路をほとんど直接隣接し最小の分離で並列に、互いに密接に近づけることによって、対応する相補的なエネルギ場部分の材料８０１とシールド側エネルギ経路の少なくとも２つの部分を、別の個別の効果の相互相殺または最小化のために組み合わせることができる。相補的で対称的な経路を近くに配置するほど、相互相殺効果は高まる。
【０３６４】
図示されているといないとにかかわらず、ほとんどの実施形態において、共通エネルギ経路電極と等しい大きさの差分帯電したバイパスおよび／またはフィードスルー導電エネルギ経路電極の両方の経路の数は、既定の方法で増加させ、同じ要素に関して物理的に電気的に並列な関係であるとも見ることができ、また、回路エネルギソース（複数可）と回路エネルギ使用負荷（複数可）の間の電圧を印加された配置に関して電気的に並列であるとも見ることができる、全般的に物理的に並列な関係でいくつかの導電エネルギ経路要素の組み合わせを作成することができる。したがってこの配列は増大したキャパシタンスの値を作成するために追加することができる。
【０３６５】
共通「０」電圧または単に共通電圧基準は、シールド側エネルギ経路または電極を共有する相補的な回路系が、シールド側エネルギ経路または電極を越えて、共通の導電部分に結合されていてもいなくても、その相補的な回路系のために生成される。共有される中央に配置されたシールド側エネルギの組み合わせを囲む追加のシールド側エネルギ経路（ほとんどだが完全ではない）を使用して、サージ損失が増大した領域または部分に沿って、増大した固有のアースと、最適化されたケージ状またはケージ状静電シールド機能を提供することができる。また、出願者は、複数の分離された回路部分が、同じ共通エネルギ経路に導電的に結合され、少なくとも２つの分離したソースと少なくとも分離した２つの負荷の間で、共通電圧および／または回路電圧基準を共有し提供する、共同に共有された相対的な電極シールド側グループを使用できることも想定している。さらに出願者は、追加のシールド側共通伝導体を、特にほとんど任意の実施形態と共に使用して、示されているいずれかの両方および／または多数の回路に低インピーダンスの増大した共通経路状態を提供できることを想定している。
【０３６６】
特に、典型的な実施形態に所定の期間にわたって電圧を印加された時、維持された静電シールドは、電圧を印加された時だけのシールド機能となることに注意ｓれたい。したがって、したがってほとんど任意の新しい典型的な実施形態および／または新しい典型的な実施形態の回路配列は、多数であるとないとにかかわらず、エネルギ伝播の維持された静電シールドのために使用するように動作可能である。
【０３６７】
したがって、開示された共通導電シールド構造と外側の導電付属要素とを使用し、所定の電気的な調節機能または結果のために主に分類された既定の性質を有する材料８０１を使用する、離散または非離散の典型的な新しい実施形態は、たとえば、製造された非離散集積回路ダイまたはスーパーコンデンサ用途またはナノサイズのエネルギ調節構造などの中に、実施形態の変形例を組み込むことができる、非離散容量性または誘導性構造または電極を使用する、ほとんど任意の可能な層上の用途を含む。さらに、ほとんど任意の形態、厚さ、および／またはサイズの特定の実施形態を配列することができ、これは電気的な用途によって異なる。図示されている場合もあればいない場合もある典型的な実施形態は、直接容易に製造でき、集積回路マイクロプロセッサ回路またはチップウェハの中に組み込むことができる。集積回路はすでに作成され、ダイ領域の中にエッチングされた受動コンディショナと統合されているので、特にこの新しいアーキテクチャは容易にこの技術に組み込むことができる。
【０３６８】
図１６を参照する前に、エネルギ経路と複数のエネルギ経路の相対的に対称的なバランスを使用した、相補的に対称的でバランスのとれたエネルギ経路配列のアイディアについて論じる。相補的なエネルギ経路の種々の相対的な対が（必ずしも図示せず）、重なったかおよび／または相補的に逆鏡像で並ぶかのどちらかで、既定のアライメントに関して相補的に対称的に対になっている限り、また、種々の経路がシールド側エネルギ経路、任意の既定の距離関係、要素オフセット、および／または逆流に対して動作可能に維持されている限り、典型的な新しい実施形態（図示されている場合もあればいない場合もある）または一般にたとえば図１６に描かれた実施形態などの典型的な実施形態は、正常に動作可能であるかおよび／または最低、ユーザが求める種々の既定のエネルギ調節機能に対して、既定の電気調節のために動作可能である。
【０３６９】
すべての発生する機能は、もちろん実施する必要のある特定の既定の回路系エネルギ調節要件の最終的な回路系（複数可）結合（複数可）および／または、既定の配列（複数可）に部分的に依存する、実際のダイナミック性能である。
【０３７０】
バランスの取れたエネルギ経路配列（複数可）でもあるスタックされた導電連鎖を有する、汎用導電シールド側エネルギ経路配列および／アーキテクチャの静電シールド機能（図示せず）が、ダイナミックに相対するおよび／または相補的なエネルギ伝播を可能にするような方法で動作可能である限り（互いに対して）、たとえば、相対的なバランスおよび／または相対的な対および／または（場合によっては）相対的で相補的な対および／または（他の例では）逆の「鏡状の」要素マッチオフ（複数可）および／または相対的で逆方向の被シールド側の相補的な対（複数可）エネルギ経路バランス配列（複数可）も、被シールドエネルギ経路として可能である。すなわち、典型的な新しいアマルガム（必ずしも示されているわけではない）は、既定のエネルギ経路の既定の相対的な物理的な配置が欠けていても犠牲にならないということであり、これは、この既定のエネルギ経路の既定の相対的な物理的な配置が、ダイナミックな静電シールドがダイナミック動作の間に発生しないように防ぐように、互いに対して相対的である。
【０３７１】
たとえば、相対的なバランスおよび／または相対的な対および／または（場合によっては）相対的で相補的な対および／または（他の例では）逆の「鏡状」要素マッチオフ（複数可）および／または相対的で逆の方向の被シールド側の相補的な対（複数可）のエネルギ経路バランス配列は、通常、たとえば一般的に図１６として示される典型的な新しい実施形態に含まれる。他の共同所有された係属開示に対して見かけは異なっていても、シールド側導電エネルギ経路の使用によって、典型的な新しい実施形態のエネルギコンディショナの多くの多くの可能な変形例が可能になり、そのうち一部を次に開示する。
【０３７２】
たとえば、変形配列例（必ずしも図示せず）の配列は、複数のシールド電極および／またはシールド側エネルギ経路でもあってもよい第１の複数のエネルギ経路と、第１の複数の被シールド側相補電極および／または被シールド側の（相補的な）エネルギ経路でもあってもよい第２の複数のエネルギ経路と、第２の複数の被シールド側の相補的な電極および／または被シールド側の（相補的な）エネルギ経路でもあってもよい第３の複数のエネルギ経路とを含む、少なくとも３つの分離した複数のエネルギ経路を使用する。
【０３７３】
エネルギ配列の変形例（必ずしも図示せず）はまた、回路エネルギおよび／またはマルチ機能エネルギコンディショナの、新しいシリーズの離散および／非離散マルチ機能エネルギ経路配列（複数可）コンディショナの別の変形例に関して、既定の方法で他の要素と共に配列される、複数の種々の組み合わせのうち１つまたは複数を使用する、マルチ機能エネルギ経路配列（複数可）および／または単一および／またはマルチ経路エネルギのコンディショナ（複数可）としても動作可能である。
【０３７４】
次に図１６を参照すると、６９６９と示される対称的でバランスの取れた既定のスタックされたエネルギ経路配列の典型的な例が示されている。この配列は、離散配列要素の縁８１７において示されるように、全体的な離散配列要素の物理的な大きさおよび／またはフォームファクタの外側の大きさの変化と、既定の性質を持つ物質および／または材料８０１の表面に沿って外側の大きさの変化とを示し、これは以前の共同所有された２０００年１２月１５日に提出された米国仮出願第６０／２５５，８１８号に開示されており、この出願の一部は参照により本明細書に組み込まれている。
【０３７５】
配列要素７９７９に示されるように、配列６９６９は、電子的に離散または非離散した配列要素の中で互いに電気的に分離された２つの複数のエネルギ経路（典型的な配列では、１つの複数のエネルギ経路は等しく分割され、合計で３つの複数のエネルギ経路を作成している）の共同所有されたコンセプトの変形例を使用して、電気的に分離された複数の電極のコンセプトの変形例を拡大し、すでに開示した回路エネルギとマルチ機能エネルギコンディショナの、離散または非離散のマルチ機能エネルギ経路配列回路コンディショナの他の変形例を作成している。
【０３７６】
以前に説明したように、典型的な新しいエネルギ経路配列は通常、少なくとも２つの複数のエネルギ経路を備え、１つの複数のエネルギ経路は複数のシールド側エネルギ経路と考えられ、残りの複数のエネルギ経路は、複数の被シールド側エネルギ経路と考えられる。どの場合でも、他の材料要素と物理的な配列コンセプトを伴う、既定のエネルギ経路部分の合計混合物を形成して、新しい別のエネルギ経路配列を作成することができ、この場合、エネルギ経路配列例６９６９とラベルをつける。
【０３７７】
少なくとも３つの複数のエネルギ経路が必要なことに注意されたい。エネルギ経路配列例６９６９の第１の複数のエネルギ経路は、共通電極部材６６４５、６６６３５、６６２５、６６１５、６６００／６６００−ＩＭＣ、６６１０、６６２０、６６３０、６６４０と共に示されており、これらはすべて、本体電極部分８１を備える。これらの第１の複数のエネルギ経路のシールド側エネルギ経路部材は、エネルギ経路配列例６９６９の複数のシールド側エネルギ経路と考えられる。
【０３７８】
図１６に示されるような複数の被シールド側エネルギ経路と考えられる他の複数のエネルギ経路は、エネルギ経路６６８５ＢＢ、６６８５ＢＴ、６６７５ＢＢ、６６７５ＢＴ、６６６５ＢＢ、６６６５ＢＴ、６６５５ＢＢ、６６５５ＢＴを備える。この複数のエネルギ経路はさらに、この配列の相対する位置に配置されたエネルギ経路がその後対になるように、同じ偶数のエネルギ経路を備える２つの複数の被シールド側エネルギ経路に分割される。
【０３７９】
エネルギ経路配列例６９６９の複数の被シールド側エネルギ経路を、エネルギ経路６６８５ＢＢ、６６６５ＢＢ、６６５５ＢＢ、６６７５ＢＢを伴うエネルギ経路配列６９６９の第２の複数のエネルギ経路と考えられるものと、エネルギ経路６６７５ＢＴ、６６５５ＢＴ、６６６５ＢＴ、６６８５ＢＴを伴うエネルギ経路配列６９６９の第３の複数のエネルギ経路と考えられるものに分割する違いに注意されたい。
【０３８０】
典型的な新しいエネルギ経路配列は、たとえば同じ偶数のエネルギ経路と、シールド側エネルギ経路であるエネルギ経路配列例６９６９の第１の複数のエネルギ経路とを備える２つの複数のエネルギ経路を既定の方向に製造し配置することができる。同じ偶数のエネルギ経路を備える２つの複数のエネルギ経路はまた、エネルギ経路配列例６９６９の中で、複数として互いに対して配置し配列し、２つの個別の対応するエネルギ経路の間のより小さな配列に互いに対して配列することができる（複数の被シールド側エネルギ経路を分けた２つの複数の各エネルギ経路のうち１つ）。これらの２つの複数のエネルギ経路は、それぞれ、エネルギ経路配列例６９６９の、第１の複数の被シールド側エネルギ経路と第２の複数の被シールド側の（相補的な）エネルギ経路とも考えられる。
【０３８１】
したがって、複数の被シールド側エネルギ経路の一部を含む、配置された同じ偶数の被シールド側エネルギ経路の第１の半分は、複数の被シールド側エネルギ経路の一部を含む、配置された同じ偶数の被シールド側エネルギ経路の第２の部分である残りの半分について相補的であるといえる。シールドされた単一の複数のエネルギ経路の選択的な配置と方向は、実際に、これは共に、多くの方向でエネルギ経路配列例６９６９の部分に沿って伝播または移動するエネルギの部分を調節する既定の配列またはエネルギ経路配列に必要であるように、エネルギ経路配列例６９６９の複数のシールド側エネルギ経路によって互いからシールドされ、２つの複数のエネルギ経路として互いに対してインタラクティブでダイナミックな差分または相補的な電気動作のために動作可能である、２つの別の複数のエネルギ経路を形成する。
【０３８２】
エネルギ経路配列例６９６９の部分に沿って伝播するエネルギの部分は、エネルギ経路配列例６９６９の複数のシールド側エネルギ経路によって分離されていると分かる、エネルギの部分から互いに電気的に分離されていが、互いに隣接して非常に近接した２つの別の複数のエネルギ経路のそれぞれに沿って移動するように分離することができるが、これらは互いに隣接して非常に近接しているので、これらのエネルギの部分は多くの場合で互いに相互影響する範囲にあると考えられる。これは導電的に結合された複数の各エネルギ経路を、回路部分、または回路経路、および非回路導電部分に選択的に結合したためである。
【０３８３】
複数の被シールド側エネルギ経路の部分を備える、配置された同じ偶数のエネルギ経路の第１の半分は、残りの、複数の被シールド側エネルギ経路の部分を配列する、異なる配置だが同じ偶数のエネルギ経路の残りの第２の半分に沿ってあるエネルギのほかの部分に対して相補的であるといえる、エネルギの部分の伝播を可能にする。この配置の配列によって、離散電子配列要素７９７９のダイナミックに動作する部分が、少なくとも１つの回路のエネルギを、フィルタリング、バイパス、サージ吸収、エネルギソースから負荷に供給するエネルギ部分の分割などの多くの方法で調節することを可能にし、ユーザには、時間の一部について実際にはエネルギが分割されているのに負荷に対して中断されずにエネルギが供給されているように見える。この時間の一部について実際にエネルギを分割することは、この出願を提出する前までは、テスト装置の限界により正確に測定することはほとんど不可能と考えられていた。
【０３８４】
たとえば図１６などに示される典型的な実施形態は、複数のシールド側エネルギ経路と被シールド側エネルギ経路を備え、これらは、たとえば、中央に配置されたシールド側エネルギ経路８"ＸＸ"／８"ＸＸ"−ＩＭＣから離れた位置の間で、共通に対称的に外側に向かって両方向に既定のグラデーション（および／または段階的に）で全体の大きさが減少する（または他の実施形態では増加する）。中央に配置されたシールド側エネルギ経路は通常、典型的な実施形態について、対称な配列の中央のバランスポイントまたは支点／ディバイダとしての機能を果たすことに注意されたい。また、シールド側電極コンテナ８００Ｉ、８００Ｊ、８００Ｋ，８００Ｌ、８００Ｍ、８００Ｎは依然として、ほとんど完全にそれぞれの相補的なエネルギ経路を包み、対になった導電シールド状コンテナ８００’Ｘ’のグループを形成するように見え、これは再び、静電シールド機能を実行する助けになり、また、外部に結合された共通導電領域または共通エネルギ経路に対してエネルギの部分が伝播することを可能にして、電圧イメージ基準を作成し、また、典型的な実施形態を備えダイナミックに動作する回路部分（複数可）を助けることに注意されたい。しかし、シールド側電極および／またはシールド側導電経路コンテナ８００Ｉ、８００Ｊ、８００Ｋ、８００Ｌ、８００Ｍ、８００Ｎはそれぞれ、８００"Ｘ"コンテナの等しい大きさの対において全体的に相対的に比例して大きさが減少し（または他の実施形態では増加するように）、またたとえば図１４の中央に配置されたシールド側エネルギ経路６６００／６６００−ＩＭＣから外向きに両方向で形成された、対称的でバランスのとれた既定のグラデーション（および／または段階的な）のシーケンスとして描かれていることに注意されたい。したがって、８００Ｋと８００Ｌは均一であるが、８００Ｋと８００Ｌの両方の一部の中央に配置されたシールド側エネルギ経路６６００／６６００−ＩＭＣと相補的に対称的に配列され、８００"Ｘ"コンテナのバランスのとれた配分を開始する。このようにここでも、８００Ｊと８００Ｍは対になっており、８００Ｉと８００Ｎも相補的に対になっており、以下同様である。８００"Ｘ"導電コンテナは大きさも形状も均一ではなくなるが、図１６に示されるように、比例した大きさの配置配列スキームを対称的に挟むように等しく分割される。
【０３８５】
エネルギ経路配列例６９６９ではない複数の共通のエネルギ経路被シールドはすべて、互いに電気的に分離されている。３つの複数のエネルギ経路の各複数のエネルギ経路は、互いに導電的に結合され、実質的に同じ形状の共通のエネルギ経路部材のグループである（少なくとも３つの複数のエネルギ経路のうちそれぞれの複数のエネルギ経路の各本体電極部分８０／８１ごとに）。３つの複数のエネルギ経路の各複数のエネルギ経路の共通の電極部材はまた、それぞれ、エネルギ経路配列例６９６９の少なくとも２つの残りの複数のエネルギ経路のうち任意の１つの、他の１つの共通の電極部材から電気的に分離されている。
【０３８６】
エネルギ経路配列例６９６９の第１の複数のエネルギ経路の電極６６００／６６００−ＩＭＣは、この例については、エネルギ経路配列例６９６９の中央電極と、エネルギ経路配列例６９６９の第１の複数のエネルギ経路の中央電極の両方であると考えられる。第１の複数のエネルギ経路の共同に結合された電極部材は通常、エネルギ経路配列例６９６９の第２の複数のエネルギ経路と、エネルギ経路配列例６９６９の第３の複数のエネルギ経路の両方の電極部材をシールドしている。
【０３８７】
第１の複数のエネルギ経路はまた、実質的にすべての配列で、これらのシールド側エネルギ経路はそれぞれ、通常は、配列例６９６９に描かれた両方の複数のエネルギ経路の問題のそれぞれの本体電極部分８１に直接隣接する、第２の複数のエネルギ経路、または第３の複数のエネルギ経路のいずれかの任意の１つの電極の、任意の１つの単一の本体電極部分８０より大きな本体電極部分８１として、それぞれ所有するため、複数のシールド側エネルギ経路として考えられる。しかし、図１６には示されていないが出願者が十分に想定したように、複数のシールド側エネルギ経路がグラデーション的または段階的に、外向きに大きくなる配列である場合は例外である。
【０３８８】
これは、シールド側エネルギ経路が常に被シールド側エネルギ経路より大きいということを意味するのではなく、この条件は、たとえば、エネルギ経路配列例６９６９の第２の複数のエネルギ経路の被シールド側エネルギ経路６６５５ＢＢが、エネルギ経路配列内で（２）シールド側エネルギ経路６６３０と６６４０によって挟まれていない局所化された「挟まれた」状況だけに関する。この条件は局所化された「挟まれた」状況ではないので、従って、被シールド側エネルギ経路６６５５ＢＢは、シールド側エネルギ経路６６４０より大きくてもよいが、しかし、配列に示されるように、被シールド側エネルギ経路６６５５ＢＢは依然としてより大きなシールド側エネルギ経路と、これらの電極本体部分８１である６６００／６６００−ＩＭＣと６６１０によってシールドされる。配列要素７９７９は３つの複数のエネルギ経路すべてが、「段階的なサイズの」配列を使用していることを示すので、シールド側と被シールド側の大きさの関係に関するこの公理は注意すべきである。
【０３８９】
６９６９の他の変形例では、たとえば、シールド側／被シールド側エネルギ経路配列は、シールド側の複数が、複数のシールド側エネルギ経路に関して「段階的な大きさの」配列を使用しておらず（図示せず）、この変形例の複数のシールド側エネルギ経路の各シールドエネルギ経路は、第２の複数のエネルギ経路の任意の１つの電極または第３の複数のエネルギ経路の任意の１つの電極の、任意の１つの単一の本体電極部分８０よりも等しく大きな、均一の（複数の中において）本体電極部分８１を所有する、複数の重なった均一に配列された複数のシールド側エネルギ経路である場合にも作成できることに注意されたい。この場合、したがって、相補的なエネルギ経路対は、グラデーションになった（だんだん小さくなるかまたは大きくなる）「段階的な大きさの」配列を使用し、複数のシールド側で物理的に均一なエネルギ経路を、上に説明した配列要素の代替変形について使用しない。
【０３９０】
図１４に示されているが図１６には示されていない、挟む側の外側のエネルギ経路または挟む側の外側のシールド電極６６５０Ｆ／６６５０Ｆ−ＩＭＯ、６６５０／６６５０−ＩＭＯは、常に、使用されることが想定されるが、ユーザおよび／または製造業者のニーズに依存してオプションである、外側の挟む側のシールド電極および／または外側の挟む側のシールド側エネルギ経路６６５０Ｆ／６６５０Ｆ−ＩＭＯと６６５０／６６５０−ＩＭＯであることに注意されたい。マルチ機能のエネルギ経路配列例６９６９は、シールドされた少なくとも２つの複数のエネルギ経路対を備えるので、これらの２つの対になった複数は、互いに対して相補的であり、電子配列要素７９７９の電気動作の間（時間的に同じ時点で）、互いに対してシールドされ相補的である、複数のエネルギ経路として互いに対応し相対的に配置されることに注意されたい。
【０３９１】
しかし、個別のエネルギ経路対は、シールドされているが必ずしも互いに隣接していない（第１の複数のエネルギ経路の少なくとも１つのシールド側経路および／または部材によって分離される）少なくとも２つの複数のエネルギ経路の対を備える。たとえば、エネルギ経路配列例６９６９は、エネルギ経路配列の第２の複数のエネルギ経路６６８５ＢＢ、６６６５ＢＢ、６６５５ＢＢ、６６７５ＢＢを描く。典型的な新しいエネルギ経路配列の第２の複数のエネルギ経路の各相補的なおよび／またはシールドされた（相補的な）エネルギ経路は常に、相補的な相手として、典型的な新しいエネルギ経路配列の第３の複数のエネルギ経路の対応するエネルギ経路部材を有する。従って、第３の複数のエネルギ経路６６７５ＢＴ、６６５５ＢＴ、６６６５ＢＴ、６６８５ＢＴのエネルギ経路部材は、またエネルギ経路配列の第２の複数の（相補的な）エネルギ経路のエネルギ経路部材であり、エネルギ経路配列の第３の複数のエネルギ経路の各エネルギ経路は、常に、相補的な相手としてエネルギ経路配列の第２の複数のエネルギ経路の対応するエネルギ経路部材を有することが論理的に言える。
【０３９２】
通常、（中央に配置されたシールド側エネルギ経路６６００／６６００−ＩＭＣから見える）、中央に配置されたシールド側エネルギ経路６６００／６６００−ＩＭＣのいずれかの側面に、挟む側のより大きな中央に配置されたシールド側エネルギ経路６６００／６６００−ＩＭＣ、ついで、６６５５ＢＢと６６５５ＢＴを含む、相補的な同じ大きさの同じ形状の、被シールド側の（相補的な）エネルギ経路の対があることに注意されたい。被シールド側の（相補的な）エネルギ経路６６５５ＢＢと６６５５ＢＴは、たがいに電気的に分離され、少なくとも既定の性質を伴う物質および／または材料８０１と、シールド側の中央に配置されたエネルギ経路６６００／６６００−ＩＭＣによって分離される。これは通常、対応する被シールド側エネルギ経路対が、直接隣接する被シールド側の（相補的な）エネルギ経路対を、単一の複数の被シールド側エネルギ経路を備える同じ偶数の複数のエネルギ経路の個別のエネルギ経路の少なくとも１つの相補的な対から（または伝導体）作成する場合にあてはまる。
【０３９３】
たとえば６６６５ＢＢと６６６５ＢＴなどの均一に配列され、相補的に配置された被シールド側エネルギ経路対の他の被シールド側の（相補的な）エネルギ経路の各対は、配列６９６９の中で直接互いに隣接しない。この場合、この被シールド側の（相補的な）エネルギ経路対６６６５ＢＢと６６６５ＢＴは依然として、たがいに対して分離された関係を維持し、依然として、少なくとも既定の性質を持つ物質および／または材料８０１と、シールド側の中央に配置されたエネルギ経路６６００／６６００−ＩＭＣと間に維持する（同時に別の場合は別のもの）。
【０３９４】
この被シールド側の（相補的な）エネルギ経路対はまた、互いに相補的で相対的な配置関係であり、互いに対して依然としてそれぞれの方向と位置が対応して相対的であるが、典型的な新しいエネルギ経路配列の、より大きなシールド側の中央に配置されたエネルギ経路６６００／６６００−ＩＭＣの１つの側面から２つの等しい離れた距離である（任意の典型的なエネルギ経路の少なくとも２つの相対する向き合う側である１ＦＳおよび／または２ＦＳのいずれか）。したがって、これらの差分のエネルギ経路対はまた、電子配列要素７９７９内で電子的な動作の間（時間的に同じ時点で）互いに対して電気的に相対的および／または電気的に相補的に動作するが、互いに対して既定の距離関係である。
【０３９５】
これによって生じる新しい状況のうち１つは、第２の複数のエネルギ経路の実質的に同じ大きさと形状である対応するエネルギ経路の対と、第３の複数のエネルギ経路の実質的に同じ大きさと形状である対応するエネルギ経路の対が、通常は互いに隣接するようになることである。しかしたとえば６６５５ＢＢと６６５５ＢＴなどの第１の被シールド側の（相補的な）エネルギ経路の任意の第１の対のほとんど任意の配列は、例６９６９の６６００／６６００−ＩＭＣなどの配置に示されるように、シールド側の中央に配置されたエネルギ経路のそれぞれの相対的な側面を挟むので、互いに均一であり、この配列は例外である。
【０３９６】
被シールド側の第２の複数のエネルギ経路対と第３の複数のエネルギ経路対の任意の対応しないエネルギ経路部材は実質的に同じ形状であってもよいが、任意の隣接するエネルギ経路に対しては通常は同じ大きさではない。この公理によってさらに、少なくとも２つの複数のエネルギ経路の合成の間に、別の既定の対称的でバランスの取れたスタッキング配列を作成することが可能になる。
【０３９７】
図１６では、実施形態７９７９は、エネルギ経路と複数のエネルギ経路の相対的な対称的なバランスという新しいコンセプトの離散配列要素フォームファクタとして、最小の断面図として示されている。基本的に、配列６９６９に似た典型的な新しい実施形態は、エネルギ経路配列の、エネルギ経路本体部分８１の挿入する配置、および／または第１の複数のエネルギ経路の電極パターン８１、および／または、第１の複数のシールド側エネルギ経路６６４５、６６３５、６６２５、６６１５、６６００／６６００−ＩＭＣ、６６１０、６６２０、６６３０、６６４０を伴う、相補的および／または差分エネルギ経路のうち各１つの、種々のエネルギ経路、エネルギ経路本体部分８０、および／またはエネルギ経路パターン８０の既定のスタッキング形成を含む。本体電極部分８０および／または８１はそれぞれ、本体エネルギ経路部分８１および／または本体エネルギ経路部分８０の、それぞれ、７９Ｇ"Ｘ"および／または６６１１"Ｘ"などの可能なエネルギ経路拡張部を除いて描かれていることに注意されたい。
【０３９８】
本体エネルギ経路部分８０のすべてと、本体エネルギ経路部分８１全部から１つの本体エネルギ経路部分８１を引いた相対的に対称的なエネルギ経路配列は、中央に配置されたシールド側エネルギ経路６６００／６６００−ＩＭＣと、その本体エネルギ経路部分８１（上記の簡単な等式の、マイナス１の本体エネルギ経路部分８１）に対して、エネルギ経路配列がバランスが取れている結果である。
【０３９９】
したがって実施形態として記述されるかまたはその変形例であってよい少なくとも３つの複数のエネルギ経路は、増大してもよいし、同質に配列されたグループと個別のエネルギ経路の中に細分化してもよく、これは依然として、特に６９６９などの最小で対称的で相補的なエネルギ経路とシールド側エネルギ経路の組み合わせ配列に実質的に責任を有する。また、図１６に描かれた配列は離れて配列され、しだいに小さくなる少なくとも３つの複数のエネルギ経路であり（または段階的に小さくなる。中央に配置されたシールド側エネルギ経路６６００／６６００−ＩＭＣと、第１の差分エネルギ経路対に対して）、中央に配置されたシールド側エネルギ経路６６００／６６００−ＩＭＣと、第１の差分エネルギ経路対６６５５ＢＢと６６５５ＢＴから内部で移動し、全体的な配列要素７９７９の大きさおよび／またはフォームファクタにおいて外側ではこのような大きさの変化を見せるが内側では大きさの変化を見せないことに注意されたい。
【０４００】
より大きな中央シールド側エネルギ経路および／または中央に配置されたシールド側エネルギ経路６６００／６６００−ＩＭＣによって互いに離れた位置に示されるように、部分的に図に示された種々のエネルギ経路のそれぞれのエネルギ経路本体部分８０と８１は、対称的に、中央に配置されたシールド側エネルギ経路６６００／６６００−ＩＭＣから少なくとも２つの方向で外側に向き、しだいに小さくなる（または、段階的に小さくなる）ように、複数の内部のエネルギ経路の本体エネルギ経路部分８０と８１がそれぞれ占める（上からは図示せず）大部分のおよび／または主なエネルギ経路面積で形成される。
【０４０１】
中央に配置されたシールド側エネルギ経路６６００／６６００−ＩＭＣは通常、エネルギ経路配列対称のバランスポイントとしての役割を果たす。この場合、被シールド側の（相補的な）エネルギ経路対は、全体的な配列要素内で分割され、エネルギ経路配列は、６６００／６６００−ＩＭＣ中央シールド側エネルギ経路の１ＦＳおよび２ＦＳ本体エネルギ経路部分８１側面のいずれかの側面から開始する。たとえば他の配列要素では、２つの本体エネルギ経路部分８０／８１のエネルギ経路「表面」または、多くのエネルギ経路の１ＦＳと２ＦＳは、既定の性質を伴う材料８０１によって実質的に囲まれてラミネートされている（完全には図示せず）。
【０４０２】
配列要素７９全体の内部の新しいフォームファクタは、たとえば、配列要素７９７９などの回路（複数可）内で使用するように配置された場合、配列要素７９７９の縁８１７にある回路部分（複数可）に導電的に結合するように動作可能な、種々のエネルギ経路に関して動作可能なために必要な、種々のエネルギ経路延長部７９Ｇ’Ｘ"および／または６６１１"Ｘ"の相対的なサイズの差を除く。この、隣接する相補的なエネルギ経路に対してエネルギ経路対の大きさが変化しながら、依然として、エネルギ経路配列の第１の複数のエネルギ経路のシールド側エネルギ経路によってシールドされるというコンセプトは、中央に配置されたシールド側エネルギ経路６６００／６６００−ＩＭＣから対照的に離れていくように少なくとも２つの方向で離れるように見える。この大きさの変化はまた異なっていてもよい。１つの実施形態では、エネルギ経路配列の第１の複数のエネルギ経路のエネルギ経路は、特に物理的な性質で大きさと形状が同じおよび／または均一なままであり、たとえば図１４に示されるように、実施形態部分１９９００に対して同様に均一な、マルチ配列導電シールド側エネルギ経路配列と同様であってもよい。
【０４０３】
第２の複数のエネルギ経路６６８５ＢＢ、６６６５ＢＢ、６６５５ＢＢ、６６７５ＢＢと、第３の複数のエネルギ経路６６７５ＢＴ、６６５５ＢＴ、６６６５ＢＴ、６６８５ＢＴの、被シールド側の（相補的な）エネルギ経路対に沿って同時に伝播するエネルギは（図示せず）、バイパスおよび／またはフィードスルー（図示せず）エネルギ伝播モードのいずれかを使用することができる。従って、第２の複数のエネルギ経路６６８５ＢＢ、６６６５ＢＢ、６６５５ＢＢ、６６７５ＢＢと、第３の複数のエネルギ経路および／または、被シールド側エネルギ経路の被シールド電極（または単に伝導体）６６７５ＢＴ、６６５５ＢＴ、６６６５ＢＴ、６６８５ＢＴの、均一で対称的で相補的な差分エネルギ経路対（または単に伝導体）、および／または均一で対称的で相補的なエネルギ経路対の既定のパターンは、互いに対して物理的に並列であり、中央に配置されたシールド側エネルギ経路６６００／６６００−ＩＭＣの相対する側面１ＦＳと２ＦＳの上に互いに対して配置される。
【０４０４】
たとえば、４０、４１、４２、４３、４４、４５、４６、４７と示されたアライメントに従う逆流アライメントスキームは、十分に出願者が想定しており、６６４５、６６３５、６６２５、６６１５、６６００／６６００−ＩＭＣ，６６１０、６６２０、６６３０、６６４０、および、エネルギ経路配列の第１の複数のエネルギ経路の他のすべてのシールド側エネルギ経路シールド側電極（または単にシールド伝導体）、および、第２の複数のエネルギ経路の被シールド側の（相補的な）エネルギ経路６６８５ＢＢ、６６６５ＢＢ、６６５５ＢＢ、６６７５ＢＢ、および、第３の複数のエネルギ経路６６７５ＢＴ、６６５５ＢＴ、６６６５ＢＴ、６６８５ＢＴは、必ずしも、これらの被シールド側エネルギ経路被シールド電極（または単に伝導体）のそれぞれの隣接する相補的なおよび／または差分本体エネルギ経路部分８０に対して、本体エネルギ経路部分８０の大きさと一致するものではない。
【０４０５】
図１６では、第１の（相補的な）エネルギ経路対６６５５ＢＢと６６５５ＢＴの被シールド側の（相補的な）エネルギ経路、被シールド電極（または単に伝導体）の周辺縁８０３（複数可）の（ゼロベースに対する）φ度アライメント００１を決定することができる。これはまた、図１、図２、または図１４の第１の複数のシールド側エネルギ経路に関して、シールド側エネルギ経路の共通の並んだ縁８０５の（ゼロベースに対する）φ度アライメント００２にも当てはまる。
【０４０６】
図１６の場合、第１の（相補的な）エネルギ経路対６６５５ＢＢと６６５５ＢＴの被シールド側の（相補的な）エネルギ経路の被シールド側電極（または単に伝導体）の縁８０３の、（ゼロベースに対して）φ度アライメント００１に対する、６６００／６６００−ＩＭＣの８０５縁の相対的（ゼロベースに対して）φ度アライメント００２である。両方の（ゼロベースに対する）φ度アライメント００１と００２が確立されると、次に、相対角度５００Ｔ／５００Ｂと５５０Ｔ／５５０Ｂを伴う３つの複数のエネルギ経路の間に存在する、ほとんどの場合、非φ度（ゼロベースに対して）非平行アライメント関係を決定することができ、複数のエネルギ経路全部から、エネルギ経路の残りの部材の角度のある関係は、３つの複数の間のすべてについて互いに実質的に相対的で平行な関係を維持する。
【０４０７】
非φ度（ゼロベースに対して）非平行アライメント関係はまた、第１の被シールド側の（相補的な）エネルギ経路対６６５５ＢＢと６６５５ＢＴの中央のシールド側エネルギ経路６６００／６６００−ＩＭＣと（相補的な）エネルギ経路を含む、エネルギ経路配列の各第１の３つのエネルギ経路のφ度（ゼロベースに対して）アライメント関係と比較すると、確立される。中央のシールド側エネルギ経路６６００／６６００−ＩＭＣ各側面にある相対的で相補的な差は、任意の非φ度（ゼロベースに対して）アライメントエネルギ経路縁関係が、φ度（ゼロベースに対して）アライメント関係から変わり、第１の被シールド側の（相補的な）エネルギ経路対６６５５ＢＢと６６５５ＢＴの、中央のシールド側エネルギ経路６６００／６６００−ＩＭＣと被シールド側の（相補的な）エネルギ経路を含む、エネルギ経路配列の第１の３つのエネルギ経路に対して常に相対的であることを明らかにする。このように、エネルギ経路配列の中央のシールド側エネルギ経路または中央に配置されたシールド側エネルギ経路６６００／６６００−ＩＭＣを、第１の被シールド側の（相補的な）エネルギ経路対６６５５ＢＢと６６５５ＢＴで共にはさむことは、（ゼロベースに対して）φ度アライメント基準００１と００２を確立する助けとなり、これはさらに、図１６で５００Ｔ／５００Ｂと５５０Ｔ／５５０Ｂと示された非φ度（ゼロベースに対して）非平行アライメント関係の「製造後」の変更を決定して、たとえば、アライメント４０、４１、４２、４３、４４、４５、４６，４７によって描かれたエネルギ経路スキームのオフゼロアライメント関係の角度を決定する助けとなる。各複数の中の種々のエネルギ経路の反復する形状と大きさは、対応する相補的なエネルギ経路が、対応する相補的な複数のエネルギ経路について見つかる限り、常に許容可能であることに注意されたい。
【０４０８】
従って、複数のエネルギ経路すべての、相対的な対コンセプトと逆流または相対的な共通縁アライメントコンセプトスキームはさらに拡張されて、たとえば図１６に見られるように６６４５、６６３５、６６２５、６６１５、６６００／６６００−ＩＭＣ、６６１０、６６２０、６６３０、６６４０を含み、これは、エネルギ経路が配列７９７９の一部として製造された時、７９７９などの配列要素の中の各エネルギ経路配列例６９６９または実施形態の変形例が、中央に配置され共通に共有されたシールド側電極経路６６００／６６００−ＩＭＣに依然として自明の所定の相対的な逆流領域（必要な場合、８１４、８１４Ｆなど）を備える限り、共通縁８０５アライメント４４、４５、４６、４７を使用する。（層６６６００／６６００−ＩＭＣは、任意の続く導電層または導電付着に対して開始点として機能するが、必ずしも、実施形態を製造する第１の開始点ではない）。
【０４０９】
エネルギ経路配列例６９６９または実施形態の断面図を見、シールド側エネルギ経路６６４５、６６３５、６６２５、６６１５、６６００／６６００−ＩＭＣ、６６１０、６６２０、６６３０、６６４０を観察すると、配列６９６９、または、図１６の７９７９などのより大きなエネルギ経路配列スタックアップ（図示せず）は、配置され、中央の共通に共有されたシールド側電極経路６６００／６６００−ＩＭＣからそれぞれ機能する、４つのエネルギ経路対６６８５ＢＢと６６８５ＢＴ、６６７５ＢＢと６６７５ＢＴ、６６６５ＢＢと６６６５ＢＴ、６６５５ＢＢと６６５５ＢＴ（これらはすべて分割電極であってもよい）をシールドするように動作可能であり、図１６に見られる相補的なエネルギ経路６６５５ＢＢと６６５５ＢＴの第１の対に相対して、第２の同じ大きさの相補的な被シールド側エネルギ経路６６６５ＢＢと６６６５ＢＴの対との差を観察できるであろう（６９６９の他の材料要素は、明確に示すためにこの開示のこの部分では省略する）。
【０４１０】
従って、典型的な装置または典型的な新しい実施形態は通常は、比例的に縮小されるか拡大された、同じ大きさの相補的なエネルギ経路６６５５ＢＢと６６５５ＢＴの対に対して、比例的および対称的にバランスがとれている。また、エネルギ経路配列の中央のシールド側エネルギ経路または中央に配置されたシールド側エネルギ経路６６００／６６００−ＩＭＣを挟む、２つの差分エネルギ経路として表される、配列の第１の３つのエネルギ経路の組み合わされたφ度（ゼロベースに対して）平行アライメント関係００１と００２に対して、相補的な角５００Ｂと５００Ｔは、傾いた相補的な角度であることが分かるであろう。
【０４１１】
角度５００Ｂと５００Ｔ、５５０Ｂと５５０Ｔは、１つが、中央に配置されたシールド側エネルギ経路６６００／６６００−ＩＭＣと、配列の一部として配置された２つまたは２つ以上の対と共に移動して離れると、同じ相対的な相補的な距離間隔を維持するので、逆流または順流（図示せず）は、共通縁アライメント４０、４１、４２、４３、４４、４５、４６、４７を作成するが、これは必ずしもエネルギ経路配列の中央のシールド側エネルギ経路または中央に配置されたシールド側エネルギ経路６６００／６６００−ＩＭＣを挟む２つの差分エネルギ経路によって表される配列の第１の３つのエネルギ経路のφ度（ゼロベースに対して）に対して垂直に並んだ関係ではない。
【０４１２】
スタックされた導電ハイアラーキ連鎖を伴うファラデー状シールド側エネルギ経路アーキテクチャを依然として使用する、汎用マルチ機能導電シールド側エネルギ経路配列の一般的な原理に依然として従う、追加のエネルギ経路配列例６９６９または変形例７９７９が提供される。この相対的な対のコンセプトは、６９６９と７９７９などのほとんど任意の既定のエネルギ経路配列または実施形態に含まれる。これは、図１４には示されているが図１６には示されていない、他の共有されたおよび係属した開示に示されるような外側の電気的に相対する相補的なエネルギ経路対、または、外側のシールド側またはイメージエネルギ経路６６５５Ｔ／６６５５Ｔ−ＩＭＯと６６５０Ｂ／６６５０Ｂ−ＩＭＯを使用しない、既定のエネルギ経路配列または実施形態を含む。ほとんど任意の既定のエネルギ経路配列または６９６９および７９７９などの実施形態または他の実施形態は、逆流または「順流」スキーム（複数可）のテーパリングの任意の逆、および、アライメント４０、４１、４２、４３、４４、４５、４６、４７、またはこれらの逆流配列の任意の変形例、または反対の配列の任意の逆であることに注意されたい。このスキームおよび他の多くのスキームはすべて可能であり、出願者が完全に想定している。
【０４１３】
種々の相対的な対が一致し、相補的な相対するアライメントに対して対称的に対になっており、相対的に対になるかまたは相対的にバランスをとる対称的な関係で、他の距離関係と逆流を維持する限り、エネルギ経路配列例６９６９、または、７９７９などの配列要素の実施形態の変形例は、ユーザが要求する種々のエネルギ調節機能に関して既定の電気調節方法で動作する。この相対的なバランス調節、相対的な「双子の対」および／または相対的な「鏡状」の対および／または相対的な逆の「鏡状」要素の対またはマッチオフおよび／または相対的な対のバランス調節はすべて、多くの予期しない結果を生み、電気的に相対する相補的なまたは被シールド側の（相補的な）エネルギ経路対を備える、スタックされた導電ハイアラーキ連鎖を伴う、汎用ファラデーシールド側エネルギ経路アーキテクチャの静電シールド機能（図示せず）が犠牲にならない限り、実行しうる、以前の実施形態に対する新しい改善であり、構造的なエネルギ経路の改善である。
【０４１４】
第１の複数のエネルギ経路と第２の複数のエネルギ経路の被シールド側の（相補的な）エネルギ経路の合計はまた、同時に同じ数の経路を使用するが、個別の相補的な導電エネルギ経路の合計の半分が相対する位置にあるグループと電気的に異なる位相で均一な方法で、電気的に分離される。たとえばミクロンまたはミクロン以下の誘電体など物質８０１または既定の性質８０１を伴う材料は通常、絶縁および／または分離および／または介入機能を実行しており、これはほとんどすべての場合、たとえば配列６９６９と同様なエネルギ経路配列または配列６９６９自体またはそのＡＯＣ内の、任意の複数のエネルギ経路の非部材エネルギ経路の間で、直接の物理的な導電結合を防ぐ。
【０４１５】
たとえば配列６９６９と同様なエネルギ経路配列はまた、配列６９６９と同様な典型的な新しい実施形態が占める回路配列の部分において、全体の回路インピーダンスを低下する手段を提供し、これは、本質的にはシールド側エネルギ経路アーキテクチャの中にそれぞれ閉じ込められたアライメント関係であるものの中に維持される、被シールド側で相互に相対する導電エネルギ経路対の部分に沿って伝播するエネルギの相互作用を提供することによって促進される。配列６９６９と同様な典型的な新しい実施形態が占める回路配列の部分において全体的な回路インピーダンスを低下する手段は常に、導電的に接着または結合され（導電的に）回路の電圧基準ノードに対して電圧を印加されるか、または、シールドされているが、伝播するエネルギの部分によって低回路インピーダンス経路の部分として使用されるほとんど任意の変形例と共に、配列６９６９と同様な典型的な新しい実施形態の第１の複数のエネルギ経路に導電的に結合された、相対的なシールド側エネルギ経路の場合、各回路のエネルギソースと各回路のエネルギ使用負荷に対する。
【０４１６】
同時に、相互に相対する導電エネルギ経路要素対の完全に異なるグループは、本質的に互いに対してそれぞれ別のアライメント関係だが、同時に、平行で相互に相対する導電エネルギ経路要素対の第１の組に対して物理的に平行および／または垂直であり、説明したように互いに対して最小の差分影響を伴う共に作用するが別々の、平行で相互に相対する導電エネルギ経路要素対の各回路の組の中で、維持できる。
【０４１７】
ユーザは、エネルギ経路配列の第１の複数のエネルギ経路と共に使用される外側のエネルギ経路に対する、導電接続または結合の多くのオプションを有する。この外部のエネルギ経路は、第３のエネルギ経路の点で、または単に電圧を印加された回路（複数可）の共通導電基準ノードに関して、代替のエネルギ戻り経路として使用できる。
【０４１８】
一部の用途では、ユーザは、元の差分導電エネルギ経路ではなく、追加の数の外側の導電エネルギ経路と外側に結合して、エネルギ経路配列内に発生する回路インピーダンス低下を利用したい場合がある。この低インピーダンス経路現象はまた、代替のまたは補助の回路戻り経路を使用することによっても発生しうる。多くの場合、電圧を印加すると、種々の内部機能が同時に発生し、典型的な新しい実施形態の変形例の少なくともＡＯＣ部分の内部にあるシールド側エネルギ経路に沿って低インピーダンスエネルギ経路が生成されるが、これは通常、エネルギソース（複数可）とエネルギ使用負荷（複数可）から移動して、導電的に接続したまたは結合した（導電的に）ものとして電圧を印加された回路（複数可）の中に戻る、少なくとも種々の導電エネルギ経路の間に物理的に置かれた状態で動作するので、本質的には、シールド側エネルギ経路アーキテクチャおよび／または配列内で少なくとも相対して平行な方法で、種々の差分または被シールド側の（相補的な）エネルギ経路に沿って伝播するエネルギの部分によって同時に使用される。
【０４１９】
各それぞれの差分導電エネルギ経路対は、ほとんど完全に包まれたより小さな各差分導電エネルギ経路を囲むシールド側エネルギ経路シールドを備える内部のシールド側エネルギ経路に沿って生成される、相対的な回路「０」電圧基準イメージノードまたは「０」電圧共通導電エネルギ経路ノードを使用することができる。
【０４２０】
挟む側のシールド側エネルギ経路の領域足跡内で有効なエネルギ経路の回路シールドが維持され、ＡＯＣ内に含まれるかまたは実質的に含まれる限り、エネルギ経路配列実施形態の通常の、しかしほとんど任意の変形例において、少なくとも３つの同時のエネルギ調節機能が発生可能である。
【０４２１】
１）  有効な導電エネルギ経路からシールドされた、内部に生成したエネルギ寄生の帯電した囲い込みを伴う、物理的なシールド側ケージ状効果または静電シールド効果と、外部で生成したエネルギ寄生結合から同じ有効な導電エネルギ経路への物理的な保護提供と、エネルギ寄生の最小化は、通常、挟む側のシールド側エネルギ経路の領域足跡内に有効なエネルギ経路を挿入することを使用する、ほとんど完全に電圧を印加された物理的なシールド側包囲によるものである。
【０４２２】
２）  物理的に導電的な材料に、既定の性質を有する材料８０１の部分を挿入することによって、互いに影響する挟む側のシールド側エネルギ経路内に含まれるか実質的に含まれる、反対に帯電した有効な導電エネルギ経路を非常にわずかな距離で制御された方法で分離することが可能になる。
【０４２３】
３）  磁束エネルギは、ＲＦ戻り経路が通常並列で対応するソーストレースに隣接する場合、ソース経路に関連して戻り経路で観察される磁束エネルギは通常は相対する方向になるという方法で、伝播ラインまたはライン伝導体または層の中を移動するため、同時の遊離エネルギ寄生の相補的に帯電した抑圧と物理的なシールドと電気的なシールドの囲い込みと、相対する相補的な電極対または導電エネルギ経路対に沿った方法で伝播するエネルギ部分の種々の部分の、エネルギ束フィールドを相互に相殺する。相互に相対する場を共に組み合わせると、通常は、相殺効果または最小化効果が観察される。相互に相対するかまたは被シールド側（相補）エネルギ経路を近づければ近づけるほど、相殺効果は高い。
【０４２４】
繰り返すと、典型的な実施形態例は、たとえば８００／８００−ＩＭＣなどの中央に配置されたシールド側エネルギ経路をはさむように動作可能な要素の、バランスのとれた相補的な対称的な部分を有する、互いに対して配置された既定のエネルギ経路および材料部分８０１の、相対的にバランスのとれた相補的で対称的な配列を備える。
【０４２５】
種々のエネルギ経路の形成の反対側では、被シールド側の相補的な電極および／または被シールド側の（相補的な）エネルギ経路に関するエネルギ経路メインパターン８０と、シールドまたはシールド側電極に関する８１などのエネルギ経路本体部分は、本体部分エネルギ経路部分８０と８１（開示のこの部分に関して本体エネルギ経路部分８０のエネルギ経路拡張部７９"Ｘ"および／または本体エネルギ経路部分８１のエネルギ経路拡張部７９Ｇ"Ｘ"を除く）は、１つの場合ではたとえばシールドまたはシールド側エネルギ経路６６００／６６００−ＩＭＣである中央のシールド側エネルギ経路に対して相対的にバランスがとれており、相補的で対称的な配置になっている。
【０４２６】
中央のエネルギ経路８"ＸＸ"または６６００／８"ＸＸ"−ＩＭＣまたは６６００−ＩＭＣに対して、相対的にバランスの取れた相補的に対称的な配列は、典型的な実施形態の既定の中心部から既定のシーケンスで、全体の大きさおよび／または導電面積または部分が、グラデーションおよび／または段階的な方法で（および／または段階的な方法で）減少するように（または図示されていないが他の一部の変形例では増大するように）配置される、複数のエネルギ経路をグループとしておよび個別としてまた対として含む（この説明はすでに完成した実施形態例の説明であり、製造シーケンスとして理解すべきではなく（所望の目的とする結果を生む任意の製造シーケンスまたは方法で配列が動作可能であるため）、見かけ上、大きさがしだいにグラデーション状に異なり、スタッキングおよび／または層になって既定の中心から外側の部分境界部分に向かって離れ、たとえば、性質を持つ材料８０１の部分および／または材料部分８０１の層になった組み合わせで材料７９９を使用した３次元の結果を伴う）。
【０４２７】
多くの実施形態を参照すると、形状、厚さ、大きさは、シールド側電極と接続配列から導出される電気的な用途に依存して変わることがあり、少なくとも２つの導電コンテナであって、この導電コンテナはついで少なくとも１つのより大きな単独の導電的で均質的なケージ状構造を形成し、これはさらに、均一および／または異質に混合されるが、等しい大きさの電極対またはエネルギ経路対を、少なくとも１つまたは複数の電圧を印加された回路（複数可）の中で離散または非離散動作方法で含む導電コンテナを形成することが明らかになるであろう。
【０４２８】
図からわかるように、可能なエネルギ調節配列（複数可）と変形例のわずかな選択のみを示し、説明したが、当業者であれば典型的なエネルギ調節配列（複数可）の精神と範囲から離れることなく、他の修正例と変形例も作成できることが理解されるであろう。最後に、示された種々の実施形態とその要素の種々の態様と要素の限定は全体としておよび／または部分的におよび／または修正によって相互交換可能であり、前述の説明は例示的なものにすぎず、全体としてまたはさらに付随する請求項に説明されるエネルギ調節配列（複数可）を限定する意図ではないことも理解されよう。
【図面の簡単な説明】
【０４２９】
【図１】特に提示された典型的な配列による、典型的な変形実施形態の例の一部となる、導電性シールド側エネルギ経路と、これに相補的な被シールド側エネルギ経路を、スタッキングシーケンスおよび／または配置から見た平面図を示す。
【図２Ａ】特に提示された典型的な配列による、エネルギ調節配列である実施形態６００５の拡大平面図を示す図である。
【図２Ｂ】特に提示された典型的な配列による、図２Ａの配列要素６００５の離散バージョンの一部の上面図である。
【図２Ｃ】特に提示された典型的な配列による、多くの可能な回路系配列（複数可）の中で実施形態６００５を使用したマルチ回路配列０００５を示す図である。
【図３Ａ】特に提示された典型的な配列による例である、マルチ回路共通モードと差分モードのエネルギコンディショナである実施形態８００５の拡大平面図であり、このエネルギコンディショナは、たとえば（１）クロスオーバフィードスルー対、（１）ストレートフィードスルー対、および（１）たとえばコプラナシールド側を伴うバイパス対が含まれる、少なくとも３つの別の相補的なエネルギ経路対を備るが、含まれる対はこれに限定されない。
【図３Ｂ】特に提示された典型的な配列による、図３Ａの配列要素８００５の一部の上面図である。
【図４Ａ】特に提示された典型的な配列による例である、マルチ回路共通モードと差分モードのエネルギコンディショナである実施形態１０００５の拡大平面図であり、このエネルギコンディショナは、（２）対がたとえばコプラナーである３つの別の相補的なバイパスエネルギ経路対を備える。
【図４Ｂ】特に提示された典型的な配列による、図４Ａの配列要素１０００５を使用した配列要素の一部の上面図である。
【図４Ｃ】特に提示された典型的な配列による、シールド層形成の一部の断面図である。
【図５Ａ】特に提示された典型的な配列による、配列要素の層形成の一部の上面図である。
【図５Ｂ】特に提示された典型的な配列による、配列要素の層形成の一部の上面図である。
【図５Ｃ】特に提示された典型的な配列による、配列要素の層形成の一部の上面図である。
【図５Ｄ】特に提示された典型的な配列による、配列要素の層形成の一部の上面図である。
【図５Ｅ】特に提示された典型的な配列による、配列要素の層形成の一部の上面図である。
【図５Ｆ】特に提示された典型的な配列による、配列要素の層形成の一部の上面図である。
【図６Ａ】特に提示された典型的な配列による、配列要素の層形成の一部の上面図である。
【図６Ｂ】特に提示された典型的な配列による、配列要素の層形成の一部の上面図である。
【図６Ｃ】特に提示された典型的な配列による、配列要素の層形成の一部の上面図である。
【図６Ｄ】特に提示された典型的な配列による、配列要素の層形成の一部の上面図である。
【図７Ａ】エネルギ経路実施形態の例１００５の拡大平面図であるが、これは特に提示された典型的な配列による多くの可能な配列のうち１つに過ぎない。
【図７Ｂ】特に提示された典型的な配列による、多くの可能な配列のうち１つの中で実施形態１２０５を使用した、たとえば図７Ａの配列に似たマルチ回路配列の上面図である。
【図８Ａ】特に提示された典型的な配列による、多くの可能な配列のうち１つに過ぎない、エネルギ経路実施形態の例１１０５の拡大平面図である。
【図８Ｂ】特に提示された典型的な配列による、多くの可能な配列のうち１つの中で実施形態１２０７を使用した、たとえば図８Ａの配列と同様なマルチ回路配列の上面図である。
【図９】特に提示された典型的な配列による、たとえば図１０の１９２００などの配列実施形態を有する配列要素の一部の上面図である。
【図１０】特に提示された典型的な配列による、多くの可能な配列のうち１つに過ぎない、配列の実施形態１９２００の断面図である。
【図１１】特に提示された典型的な配列による、多くの可能な配列のうち１つに過ぎない、配列の実施形態１９２１０の断面図である。
【図１２】特に提示された典型的な配列による、多くの可能な配列の１つの中で、たとえば図１１の実施形態１９２１０を使用したマルチ回路配列１９２１０Ａの上面から見た外面図である。
【図１３Ａ】特に提示された典型的な配列による、種々の配列要素の層形成の一部を示した拡大平面図である。
【図１３Ｂ】特に提示された典型的な配列による、種々の配列要素の層形成の一部を示した別の図である。
【図１４】特に提示された典型的な配列によって、スタックされたシールド側エネルギ経路ハイアラーキ連鎖を有する、典型的な汎用シールド側エネルギ経路アーキテクチャおよび／または配列の多くの変形例の１つである、実施形態１９９００の例の一部の拡大透視図の一部である。
【図１５】特に提示された典型的な配列による、エネルギ調節配列である、実施形態１９９０５の断面図である。
【図１６】特に提示された典型的な配列による、種々の相補的な被シールド側エネルギ経路とシールド側エネルギ経路の例としての配列である６９６９を含む、代替の実施形態７９７９の断面図の一部を示す図である。
【図１】
2004527108.tif 000003
【図２Ａ】
2004527108.tif 000004
【図２Ｂ】
2004527108.tif 000005
【図２Ｃ】
2004527108.tif 000006
【図３Ａ】
2004527108.tif 000007
【図３Ｂ】
2004527108.tif 000008
【図４Ａ】
2004527108.tif 000009
【図４Ｂ】
2004527108.tif 000010
【図４Ｃ】
2004527108.tif 000011
【図５Ａ】
2004527108.tif 000012
【図５Ｂ】
2004527108.tif 000013
【図５Ｃ】
2004527108.tif 000014
【図５Ｄ】
2004527108.tif 000015
【図５Ｅ】
2004527108.tif 000016
【図５Ｆ】
2004527108.tif 000017
【図６Ａ】
2004527108.tif 000018
【図６Ｂ】
2004527108.tif 000019
【図６Ｃ】
2004527108.tif 000020
【図６Ｄ】
2004527108.tif 000021
【図７Ａ】
2004527108.tif 000022
【図７Ｂ】
2004527108.tif 000023
【図８Ａ】
2004527108.tif 000024
【図８Ｂ】
2004527108.tif 000025
【図９】
2004527108.tif 000026
【図１０】
2004527108.tif 000027
【図１１】
2004527108.tif 000028
【図１２】
2004527108.tif 000029
【図１３Ａ】
2004527108.tif 000030
【図１３Ｂ】
2004527108.tif 000031
【図１４】
2004527108.tif 000032
【図１５】
2004527108.tif 000033
【図１６】
2004527108.tif 000034
【国際公開パンフレット】
2004527108.tif 000035
2004527108.tif 000036
2004527108.tif 000037
2004527108.tif 000038
2004527108.tif 000039
2004527108.tif 000040
2004527108.tif 000041
2004527108.tif 000042
2004527108.tif 000043
2004527108.tif 000044
2004527108.tif 000045
2004527108.tif 000046
2004527108.tif 000047
2004527108.tif 000048
2004527108.tif 000049
2004527108.tif 000050
2004527108.tif 000051
2004527108.tif 000052
2004527108.tif 000053
2004527108.tif 000054
2004527108.tif 000055
2004527108.tif 000056
2004527108.tif 000057
2004527108.tif 000058
2004527108.tif 000059
2004527108.tif 000060
2004527108.tif 000061
2004527108.tif 000062
2004527108.tif 000063
2004527108.tif 000064
2004527108.tif 000065
2004527108.tif 000066
2004527108.tif 000067
2004527108.tif 000068
2004527108.tif 000069
2004527108.tif 000070
2004527108.tif 000071
2004527108.tif 000072
2004527108.tif 000073
2004527108.tif 000074
2004527108.tif 000075
2004527108.tif 000076
2004527108.tif 000077
2004527108.tif 000078
2004527108.tif 000079
2004527108.tif 000080
2004527108.tif 000081
2004527108.tif 000082
2004527108.tif 000083
2004527108.tif 000084
2004527108.tif 000085
2004527108.tif 000086
2004527108.tif 000087
2004527108.tif 000088
2004527108.tif 000089
2004527108.tif 000090
2004527108.tif 000091
2004527108.tif 000092
2004527108.tif 000093
2004527108.tif 000094
2004527108.tif 000095
2004527108.tif 000096
2004527108.tif 000097
2004527108.tif 000098
2004527108.tif 000099
2004527108.tif 000100
2004527108.tif 000101
2004527108.tif 000102
2004527108.tif 000103
2004527108.tif 000104
2004527108.tif 000105
2004527108.tif 000106
2004527108.tif 000107
2004527108.tif 000108
2004527108.tif 000109
2004527108.tif 000110
2004527108.tif 000111
2004527108.tif 000112
2004527108.tif 000113
2004527108.tif 000114
2004527108.tif 000115
2004527108.tif 000116
2004527108.tif 000117
2004527108.tif 000118
2004527108.tif 000119
2004527108.tif 000120
2004527108.tif 000121
2004527108.tif 000122
2004527108.tif 000123
2004527108.tif 000124
2004527108.tif 000125
2004527108.tif 000126
2004527108.tif 000127
2004527108.tif 000128
2004527108.tif 000129
2004527108.tif 000130
2004527108.tif 000131
2004527108.tif 000132
2004527108.tif 000133
2004527108.tif 000134
2004527108.tif 000135
2004527108.tif 000136
2004527108.tif 000137
2004527108.tif 000138
2004527108.tif 000139
2004527108.tif 000140
2004527108.tif 000141
2004527108.tif 000142
2004527108.tif 000143
2004527108.tif 000144
2004527108.tif 000145
2004527108.tif 000146
2004527108.tif 000147
2004527108.tif 000148
2004527108.tif 000149
2004527108.tif 000150
2004527108.tif 000151
2004527108.tif 000152
2004527108.tif 000153
2004527108.tif 000154
2004527108.tif 000155
2004527108.tif 000156
2004527108.tif 000157
2004527108.tif 000158
2004527108.tif 000159
2004527108.tif 000160
2004527108.tif 000161
2004527108.tif 000162
2004527108.tif 000163
2004527108.tif 000164
2004527108.tif 000165
2004527108.tif 000166
2004527108.tif 000167
2004527108.tif 000168
2004527108.tif 000169
2004527108.tif 000170
2004527108.tif 000171
2004527108.tif 000172
2004527108.tif 000173
2004527108.tif 000174
2004527108.tif 000175
2004527108.tif 000176
2004527108.tif 000177
2004527108.tif 000178
2004527108.tif 000179
2004527108.tif 000180
2004527108.tif 000181
2004527108.tif 000182
2004527108.tif 000183
2004527108.tif 000184
2004527108.tif 000185
2004527108.tif 000186
2004527108.tif 000187
2004527108.tif 000188
2004527108.tif 000189
2004527108.tif 000190
2004527108.tif 000191
2004527108.tif 000192
2004527108.tif 000193
2004527108.tif 000194
2004527108.tif 000195
2004527108.tif 000196
2004527108.tif 000197
2004527108.tif 000198
2004527108.tif 000199
2004527108.tif 000200
2004527108.tif 000201
2004527108.tif 000202
2004527108.tif 000203
2004527108.tif 000204
2004527108.tif 000205
2004527108.tif 000206
2004527108.tif 000207
2004527108.tif 000208
2004527108.tif 000209
2004527108.tif 000210
2004527108.tif 000211
2004527108.tif 000212
2004527108.tif 000213
2004527108.tif 000214
2004527108.tif 000215
2004527108.tif 000216
2004527108.tif 000217
2004527108.tif 000218
2004527108.tif 000219
2004527108.tif 000220
2004527108.tif 000221
【国際公開パンフレット（コレクトバージョン）】
2004527108.tif 000222
2004527108.tif 000223
【国際調査報告】
2004527108.tif 000224